(57)【要約】  本発明の実施例は、タイミング及び／又は周波数のトラッキング／同期性能を向上させ、システム全体の性能を改善させることができる情報決定方法、端末機器及びネットワーク機器を提供する。この方法は、端末機器が、ネットワーク機器により送信された第１の構成情報を受信し、この第１の構成情報は、少なくとも１つのＣＳＩ−ＲＳリソースグループを構成し、及びこの少なくとも１つのＣＳＩ−ＲＳリソースグループに対する第１のオフセットを指示するために使用されるステップと、この端末機器が、このネットワーク機器により送信された第１の指示情報を受信し、この第１の指示情報は、この端末機器が第１の信号を受信するようにトリガーするために使用されるステップと、この第１の指示情報に応答して、この端末機器が、この第１の構成情報に基づいてこの第１の信号を受信するステップと、を含み、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロットを占有し、Ｐ及びＱは、２以上の整数である。
2021527966.tif 000002
【特許請求の範囲】
【請求項１】
端末機器が、ネットワーク機器により送信された第１の構成情報を受信し、前記第１の構成情報は、少なくとも１つのチャネル状態情報参照信号ＣＳＩ−ＲＳリソースグループを構成し、及び前記少なくとも１つのＣＳＩ−ＲＳリソースグループに対する第１のオフセットを指示するために使用されるステップと、
前記端末機器が、前記ネットワーク機器により送信された第１の指示情報を受信し、前記第１の指示情報は、前記端末機器が第１の信号を受信するようにトリガーするために使用されるステップと、
前記第１の指示情報に応答して、前記端末機器が、前記第１の構成情報に基づいて前記第１の信号を受信するステップと、を含み、
ここで、各ＣＳＩ−ＲＳリソースグループは、Ｐ個のＣＳＩ−ＲＳリソースを含み、前記少なくとも１つのＣＳＩ−ＲＳリソースグループは、第１の信号を決定するために使用され、前記第１の信号は、Ｑ個のスロットを占有し、Ｐ及びＱは、２以上の整数である
ことを特徴とする情報決定方法。
【請求項２】
前記端末機器は、前記第１の信号を使用してタイミング及び／又は周波数のトラッキング／同期を行う
ことを特徴とする請求項１に記載の情報決定方法。
【請求項３】
前記第１の構成情報はまた、前記少なくとも１つのＣＳＩ−ＲＳリソースグループに対応する第１の指示パラメータを構成するために使用され、前記第１の指示パラメータは、前記少なくとも１つのＣＳＩ−ＲＳリソースグループの用途を指示するために使用される
ことを特徴とする請求項１又は２に記載の情報決定方法。
【請求項４】
前記第１の指示パラメータは、パラメータｔｒｓ−Ｉｎｆｏである
ことを特徴とする請求項３に記載の情報決定方法。
【請求項５】
前記少なくとも１つのＣＳＩ−ＲＳリソースグループは、第１のＣＳＩ−ＲＳリソースグループを含み、Ｐ＝Ｑ＝２であり、
前記端末機器が、前記第１の構成情報に基づいて前記第１の信号を受信するステップは、
前記端末機器が、前記第１の指示情報を受信したとき、前記第１のオフセットに基づいてスロットｎを決定するステップと、
前記端末機器が、前記スロットｎに基づいて第１のスロット及び第２のスロットを決定し、及び前記第１のスロット及び前記第２のスロットで前記第１のＣＳＩ−ＲＳリソースグループ内の前記第１の信号を受信するステップと、を含み、
ここで、ｎは、０以上の整数である
ことを特徴とする請求項１〜４のいずれか１項に記載の情報決定方法。
【請求項６】
前記第１のスロットは、前記スロットｎであり、前記第２のスロットは、スロットｎ＋１であり、又は
前記第１のスロットは、前記スロットｎ−１であり、前記第２のスロットは、スロットｎであり、又は
前記第１のスロットは、前記スロットｎであり、前記第２のスロットは、スロットｍであり、前記スロットｍは、前記スロットｎの後の前記第１の信号を伝送できる最初の有効なダウンリンクスロットである
ことを特徴とする請求項５に記載の情報決定方法。
【請求項７】
前記第１の構成情報はまた、前記少なくとも１つのＣＳＩ−ＲＳリソースグループに対する第２のオフセットを指示するために使用され、前記少なくとも１つのＣＳＩ−ＲＳリソースグループは、第１のＣＳＩ−ＲＳリソースグループを含み、Ｐ＝Ｑ＝２であり、
前記端末機器が、前記第１の構成情報に基づいて前記第１の信号を受信するステップは、
前記端末機器が、前記第１の指示情報を受信したとき、前記第１のオフセット及び前記第２のオフセットに基づいてスロットｎ及びスロットｍを決定するステップと、
前記端末機器が、前記スロットｎ及び前記スロットｍで前記第１のＣＳＩ−ＲＳリソースグループ内の前記第１の信号を受信するステップと、を含み、
ここで、ｎ及びｍは、０以上の整数である
ことを特徴とする請求項１〜４のいずれか１項に記載の情報決定方法。
【請求項８】
前記端末機器が、前記第１の指示情報を受信したとき、前記第１のオフセット及び前記第２のオフセットに基づいてスロットｎ及びスロットｍを決定するステップは、
前記端末機器が、前記第１の指示情報を受信したとき、前記第１のオフセットに基づいて前記スロットｎを決定し、及び前記第２のオフセットに基づいて前記スロットｍを決定するステップ、又は
前記端末機器が、前記第１の指示情報を受信したとき、前記第１のオフセットに基づいて前記スロットｎを決定し、及び前記第１のオフセット及び前記第２のオフセットに基づいて前記スロットｍを決定するステップを含む
ことを特徴とする請求項７に記載の情報決定方法。
【請求項９】
前記スロットｎと前記スロットｍとは、２つの連続するスロットであり、又は
前記スロットｍは、前記スロットｎの後の前記第１の信号を伝送できる最初の有効なダウンリンクスロットである
ことを特徴とする請求項７又は８に記載の情報決定方法。
【請求項１０】
前記少なくとも１つのＣＳＩ−ＲＳリソースグループは、第１のＣＳＩ−ＲＳリソースグループを含み、Ｐ＝４、Ｑ＝２であり、
前記端末機器が、前記第１の構成情報に基づいて前記第１の信号を受信するステップは、
前記端末機器が、前記第１の指示情報を受信したとき、前記第１のオフセットに基づいてスロットｎを決定するステップと、
前記端末機器が、前記スロットｎに基づいて第１のスロット及び第２のスロットを決定し、及び前記第１のスロット及び前記第２のスロットで前記第１のＣＳＩ−ＲＳリソースグループ内の前記第１の信号を受信するステップと、を含み、
ここで、ｎは、０以上の整数である
ことを特徴とする請求項１〜４のいずれか１項に記載の情報決定方法。
【請求項１１】
前記第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
前記端末機器が、前記第１のスロット及び前記第２のスロットで前記第１のＣＳＩ−ＲＳリソースグループ内の前記第１の信号を受信するステップは、
前記端末機器が、前記第１のＣＳＩ−ＲＳリソースグループ構成情報における４つのＣＳＩ−ＲＳリソースの位置順に基づき、前記第１のスロットで前記第１のＣＳＩ−ＲＳリソース及び第２のＣＳＩ−ＲＳリソース内の前記第１の信号を受信し、及び前記第２のスロットで前記第３のＣＳＩ−ＲＳリソース及び前記第４のＣＳＩ−ＲＳリソース内の前記第１の信号を受信することを決定し、ここで、前記第１のＣＳＩ−ＲＳリソースグループ構成情報における前記４つのＣＳＩ−ＲＳリソースの位置順は、前記第１のＣＳＩ−ＲＳリソース＞前記第３のＣＳＩ−ＲＳリソース、前記第１のＣＳＩ−ＲＳリソース＞前記第４のＣＳＩ−ＲＳリソース、前記第２のＣＳＩ−ＲＳリソース＞前記第３のＣＳＩ−ＲＳリソース、前記第２のＣＳＩ−ＲＳリソース＞前記第４のＣＳＩ−ＲＳリソースであり、又は、前記第１のＣＳＩ−ＲＳリソースグループ構成情報における前記４つのＣＳＩ−ＲＳリソースの位置順は、前記第３のＣＳＩ−ＲＳリソース＞前記第１のＣＳＩ−ＲＳリソース、前記第３のＣＳＩ−ＲＳリソース＞前記第２のＣＳＩ−ＲＳリソース、前記第４のＣＳＩ−ＲＳリソース＞前記第１のＣＳＩ−ＲＳリソース、前記第４のＣＳＩ−ＲＳリソース＞前記第２のＣＳＩ−ＲＳリソースであるステップ、又は
前記端末機器が、前記第１のＣＳＩ−ＲＳリソースグループ内の４つのＣＳＩ−ＲＳリソースの識別子ＩＤに基づき、前記第１のスロットで前記第１のＣＳＩ−ＲＳリソース及び第２のＣＳＩ−ＲＳリソース内の前記第１の信号を受信し、及び前記第２のスロットで前記第３のＣＳＩ−ＲＳリソース及び前記第４のＣＳＩ−ＲＳリソース内の前記第１の信号を受信することを決定し、ここで、前記第１のＣＳＩ−ＲＳリソースグループ内の４つのＣＳＩ−ＲＳリソースのＩＤの順序は、前記第１のＣＳＩ−ＲＳリソース＞前記第３のＣＳＩ−ＲＳリソース、前記第１のＣＳＩ−ＲＳリソース＞前記第４のＣＳＩ−ＲＳリソース、前記第２のＣＳＩ−ＲＳリソース＞前記第３のＣＳＩ−ＲＳリソース、前記第２のＣＳＩ−ＲＳリソース＞前記第４のＣＳＩ−ＲＳリソースであり、又は、前記第１のＣＳＩ−ＲＳリソースグループ内の４つのＣＳＩ−ＲＳリソースのＩＤの順序は、前記第３のＣＳＩ−ＲＳリソース＞前記第１のＣＳＩ−ＲＳリソース、前記第３のＣＳＩ−ＲＳリソース＞前記第２のＣＳＩ−ＲＳリソース、前記第４のＣＳＩ−ＲＳリソース＞前記第１のＣＳＩ−ＲＳリソース、前記第４のＣＳＩ−ＲＳリソース＞前記第２のＣＳＩ−ＲＳリソースであるステップ、又は
前記端末機器が、前記第１のスロットで前記第１のＣＳＩ−ＲＳリソース及び第２のＣＳＩ−ＲＳリソース内の前記第１の信号を受信し、及び前記第２のスロットで前記第３のＣＳＩ−ＲＳリソース及び前記第４のＣＳＩ−ＲＳリソース内の前記第１の信号を受信し、ここで、前記第１のＣＳＩ−ＲＳリソースと前記第３のＣＳＩ−ＲＳリソースとは、１つのリソース集合に属し、前記第２のＣＳＩ−ＲＳリソースと前記第４のＣＳＩ−ＲＳリソースとは、１つのリソース集合に属し、前記第１のＣＳＩ−ＲＳリソースと前記第３のＣＳＩ−ＲＳリソースとは、少なくとも時間区域及び／又は周波数区域のリソース構成が同じであり、前記第２のＣＳＩ−ＲＳリソースと前記第４のＣＳＩ−ＲＳリソースとは、少なくとも時間区域及び／又は周波数区域のリソース構成が同じであるステップを含む
ことを特徴とする請求項１０に記載の情報決定方法。
【請求項１２】
前記第１のスロットは、前記スロットｎであり、前記第２のスロットは、スロットｎ＋１であり、又は
前記第１のスロットは、前記スロットｎ−１であり、前記第２のスロットは、スロットｎであり、又は
前記第１のスロットは、前記スロットｎであり、前記第２のスロットは、スロットｍであり、前記スロットｍは、前記スロットｎの後の前記第１の信号を伝送できる最初の有効なダウンリンクスロットである
ことを特徴とする請求項１０又は１１に記載の情報決定方法。
【請求項１３】
前記第１の構成情報はまた、前記少なくとも１つのＣＳＩ−ＲＳリソースグループに対する第２のオフセットを指示するために使用され、前記少なくとも１つのＣＳＩ−ＲＳリソースグループは、第１のＣＳＩ−ＲＳリソースグループを含み、Ｐ＝４、Ｑ＝２であり、
前記端末機器が、前記第１の構成情報に基づいて前記第１の信号を受信するステップは、
前記端末機器が、前記第１の指示情報を受信したとき、前記第１のオフセット及び前記第２のオフセットに基づいてスロットｎ及びスロットｍを決定するステップと、
前記端末機器が、前記スロットｎ及び前記スロットｍで前記第１のＣＳＩ−ＲＳリソースグループ内の前記第１の信号を受信するステップと、を含み、
ここで、ｎ及びｍは、０以上の整数である
ことを特徴とする請求項１〜４のいずれか１項に記載の情報決定方法。
【請求項１４】
前記第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
前記端末機器が、前記スロットｎ及び前記スロットｍで前記第１のＣＳＩ−ＲＳリソースグループ内の前記第１の信号を受信するステップは、
前記端末機器が、前記第１のＣＳＩ−ＲＳリソースグループ構成情報における４つのＣＳＩ−ＲＳリソースの位置順に基づき、前記スロットｎで前記第１のＣＳＩ−ＲＳリソース及び第２のＣＳＩ−ＲＳリソース内の前記第１の信号を受信し、及び前記スロットｍで前記第３のＣＳＩ−ＲＳリソース及び前記第４のＣＳＩ−ＲＳリソース内の前記第１の信号を受信することを決定し、ここで、前記第１のＣＳＩ−ＲＳリソースグループ構成情報における前記４つのＣＳＩ−ＲＳリソースの位置順は、前記第１のＣＳＩ−ＲＳリソース＞前記第３のＣＳＩ−ＲＳリソース、前記第１のＣＳＩ−ＲＳリソース＞前記第４のＣＳＩ−ＲＳリソース、前記第２のＣＳＩ−ＲＳリソース＞前記第３のＣＳＩ−ＲＳリソース、前記第２のＣＳＩ−ＲＳリソース＞前記第４のＣＳＩ−ＲＳリソースであり、又は、前記第１のＣＳＩ−ＲＳリソースグループ構成情報における前記４つのＣＳＩ−ＲＳリソースの位置順は、前記第３のＣＳＩ−ＲＳリソース＞前記第１のＣＳＩ−ＲＳリソース、前記第３のＣＳＩ−ＲＳリソース＞前記第２のＣＳＩ−ＲＳリソース、前記第４のＣＳＩ−ＲＳリソース＞前記第１のＣＳＩ−ＲＳリソース、前記第４のＣＳＩ−ＲＳリソース＞前記第２のＣＳＩ−ＲＳリソースであるステップ、又は
前記端末機器が、前記第１のＣＳＩ−ＲＳリソースグループ内の４つのＣＳＩ−ＲＳリソースの識別子ＩＤに基づき、前記スロットｎで前記第１のＣＳＩ−ＲＳリソース及び第２のＣＳＩ−ＲＳリソース内の前記第１の信号を受信し、及び前記スロットｍで前記第３のＣＳＩ−ＲＳリソース及び前記第４のＣＳＩ−ＲＳリソース内の前記第１の信号を受信することを決定し、ここで、前記第１のＣＳＩ−ＲＳリソースグループ内の４つのＣＳＩ−ＲＳリソースのＩＤの順序は、前記第１のＣＳＩ−ＲＳリソース＞前記第３のＣＳＩ−ＲＳリソース、前記第１のＣＳＩ−ＲＳリソース＞前記第４のＣＳＩ−ＲＳリソース、前記第２のＣＳＩ−ＲＳリソース＞前記第３のＣＳＩ−ＲＳリソース、前記第２のＣＳＩ−ＲＳリソース＞前記第４のＣＳＩ−ＲＳリソースであり、又は、前記第１のＣＳＩ−ＲＳリソースグループ内の４つのＣＳＩ−ＲＳリソースのＩＤの順序は、前記第３のＣＳＩ−ＲＳリソース＞前記第１のＣＳＩ−ＲＳリソース、前記第３のＣＳＩ−ＲＳリソース＞前記第２のＣＳＩ−ＲＳリソース、前記第４のＣＳＩ−ＲＳリソース＞前記第１のＣＳＩ−ＲＳリソース、前記第４のＣＳＩ−ＲＳリソース＞前記第２のＣＳＩ−ＲＳリソースであるステップ、又は
前記端末機器が、前記スロットｎで前記第１のＣＳＩ−ＲＳリソース及び第２のＣＳＩ−ＲＳリソース内の前記第１の信号を受信し、及び前記スロットｍで前記第３のＣＳＩ−ＲＳリソース及び前記第４のＣＳＩ−ＲＳリソース内の前記第１の信号を受信し、ここで、前記第１のＣＳＩ−ＲＳリソースと前記第３のＣＳＩ−ＲＳリソースとは、１つのリソース集合に属し、前記第２のＣＳＩ−ＲＳリソースと前記第４のＣＳＩ−ＲＳリソースとは、１つのリソース集合に属し、前記第１のＣＳＩ−ＲＳリソースと前記第３のＣＳＩ−ＲＳリソースとは、少なくとも時間区域及び／又は周波数区域のリソース構成が同じであり、前記第２のＣＳＩ−ＲＳリソースと前記第４のＣＳＩ−ＲＳリソースとは、少なくとも時間区域及び／又は周波数区域のリソース構成が同じであるステップを含む
ことを特徴とする請求項１３に記載の情報決定方法。
【請求項１５】
前記端末機器が、前記第１の指示情報を受信したとき、前記第１のオフセット及び前記第２のオフセットに基づいてスロットｎ及びスロットｍを決定するステップは、
前記端末機器が、前記第１の指示情報を受信したとき、前記第１のオフセットに基づいて前記スロットｎを決定し、及び前記第２のオフセットに基づいて前記スロットｍを決定するステップ、又は
前記端末機器が、前記第１の指示情報を受信したとき、前記第１のオフセットに基づいて前記スロットｎを決定し、及び前記第１のオフセット及び前記第２のオフセットに基づいて前記スロットｍを決定するステップを含む
ことを特徴とする請求項１３又は１４に記載の情報決定方法。
【請求項１６】
前記スロットｎと前記スロットｍとは、２つの連続するスロットであり、又は
前記スロットｍは、前記スロットｎの後の前記第１の信号を伝送できる最初の有効なダウンリンクスロットである
ことを特徴とする請求項１３〜１５のいずれか１項に記載の情報決定方法。
【請求項１７】
前記少なくとも１つのＣＳＩ−ＲＳリソースグループは、第１のＣＳＩ−ＲＳリソースグループを含み、前記第１の構成情報はまた、前記第１のＣＳＩ−ＲＳリソースグループ内の各ＣＳＩ−ＲＳリソースに対する第３のオフセットを指示するために使用され、Ｐ＝４、Ｑ＝２であり、
前記端末機器が、前記第１の構成情報に基づいて前記第１の信号を受信するステップは、
前記端末機器が、前記第１の指示情報を受信したとき、前記第１のオフセット及び第１のＣＳＩ−ＲＳリソースに対する第３のオフセットに基づいてスロットｎを決定し、又は、前記端末機器が、前記第１の指示情報を受信したとき、第１のＣＳＩ−ＲＳリソースに対する第３のオフセットに基づいてスロットｎを決定し、ここで、前記第１のＣＳＩ−ＲＳリソースは、前記第１のＣＳＩ−ＲＳリソースグループ内の４つのＣＳＩ−ＲＳリソースのうちのいずれか１つのＣＳＩ−ＲＳリソースであるステップと、
前記端末機器が、前記スロットｎで前記第１のＣＳＩ−ＲＳリソース内の前記第１の信号を受信するステップと、を含み、
ここで、ｎは、０以上の整数である
ことを特徴とする請求項１〜４のいずれか１項に記載の情報決定方法。
【請求項１８】
前記第３のオフセットは具体的に、前記第１のＣＳＩ−ＲＳリソースグループ内に構成され、又は、具体的に、それに対応するＣＳＩ−ＲＳリソース内に構成される
ことを特徴とする請求項１７に記載の情報決定方法。
【請求項１９】
前記第３のオフセットが具体的に、前記第１のＣＳＩ−ＲＳリソースグループ内に構成される場合、
前記第１のＣＳＩ−ＲＳリソースグループ内のＣＳＩ−ＲＳリソースの一部又は全部は、前記第３のオフセットが構成される
ことを特徴とする請求項１８に記載の情報決定方法。
【請求項２０】
前記第１のＣＳＩ−ＲＳリソースグループに、第３のオフセットが構成されていないＣＳＩ−ＲＳリソースが少なくとも１つ含まれる場合、前記第１の構成情報は、前記第３のオフセットが構成されていない少なくとも１つのＣＳＩ−ＲＳリソースのうちの各ＣＳＩ−ＲＳリソースに対応する前記第３のオフセットを事前構成値として指示する
ことを特徴とする請求項１９に記載の情報決定方法。
【請求項２１】
前記第３のオフセットが具体的に、それに対応するＣＳＩ−ＲＳリソース内に構成される場合、前記第１のＣＳＩ−ＲＳリソースグループは、第２のＣＳＩ−ＲＳリソースを含み、
前記第２のＣＳＩ−ＲＳリソース内に前記第３のオフセットが構成されない場合、前記第１の構成情報は、前記第２のＣＳＩ−ＲＳリソースに対応する前記第３のオフセットを事前構成値として指示する
ことを特徴とする請求項１８に記載の情報決定方法。
【請求項２２】
前記事前構成値は、０である
ことを特徴とする請求項２０又は２１に記載の情報決定方法。
【請求項２３】
前記第３のオフセットが具体的に、それに対応するＣＳＩ−ＲＳリソース内に構成される場合、前記第１のＣＳＩ−ＲＳリソースに対応する前記第３のオフセットは、フィールドの指示に応じて周期的信号構成に従って解読した後に得られたオフセットによって決定される
ことを特徴とする請求項１８に記載の情報決定方法。
【請求項２４】
前記少なくとも１つのＣＳＩ−ＲＳリソースグループは、第１のＣＳＩ−ＲＳリソースグループ及び第２のＣＳＩ−ＲＳリソースグループを含み、Ｐ＝Ｑ＝２であり、
前記端末機器が、前記第１の構成情報に基づいて前記第１の信号を受信するステップは、
前記端末機器が、前記第１の指示情報を受信したとき、前記第１のＣＳＩ−ＲＳリソースグループに対応する前記第１のオフセットに基づいてスロットｎを決定し、及び前記第２のＣＳＩ−ＲＳリソースグループに対応する前記第１のオフセットに基づいてスロットｍを決定するステップと、
前記端末機器が、前記スロットｎで前記第１のＣＳＩ−ＲＳリソースグループ内の前記第１の信号を受信し、及び前記スロットｍで前記第２のＣＳＩ−ＲＳリソースグループ内の前記第１の信号を受信するステップと、を含み、
ここで、ｎ及びｍは、０以上の整数である
ことを特徴とする請求項１〜４のいずれか１項に記載の情報決定方法。
【請求項２５】
前記第１のＣＳＩ−ＲＳリソースグループに対応する前記第１のオフセットと前記第２のＣＳＩ−ＲＳリソースグループに対応する前記第１のオフセットとの間は、Ｋスロットの差があり、Ｋは、１以上の整数である
ことを特徴とする請求項２４に記載の情報決定方法。
【請求項２６】
Ｋ＝１である
ことを特徴とする請求項２５に記載の情報決定方法。
【請求項２７】
前記第１の信号は、トラッキング用の非周期的ＣＳＩ−ＲＳ信号である
ことを特徴とする請求項１〜２６のいずれか１項に記載の情報決定方法。
【請求項２８】
前記第１の構成情報は、無線リソース制御ＲＲＣシグナリングであり、前記第１の指示情報は、ダウンリンク制御情報ＤＣＩシグナリングである
ことを特徴とする請求項１〜２７のいずれか１項に記載の情報決定方法。
【請求項２９】
ネットワーク機器が、端末機器に第１の構成情報を送信し、前記第１の構成情報は、少なくとも１つのチャネル状態情報参照信号ＣＳＩ−ＲＳリソースグループを構成し、及び前記少なくとも１つのＣＳＩ−ＲＳリソースグループに対する第１のオフセットを指示するために使用されるステップと、
前記ネットワーク機器が、前記端末機器に第１の指示情報を送信し、前記第１の指示情報は、前記端末機器が第１の信号を受信するようにトリガーするために使用されるステップと、
前記ネットワーク機器が、前記第１の構成情報に基づいて前記端末機器に前記第１の信号を送信するステップと、を含み、
ここで、各ＣＳＩ−ＲＳリソースグループは、Ｐ個のＣＳＩ−ＲＳリソースを含み、前記少なくとも１つのＣＳＩ−ＲＳリソースグループは、第１の信号を決定するために使用され、前記第１の信号は、Ｑ個のスロットを占有し、Ｐ及びＱは、２以上の整数である
ことを特徴とする情報決定方法。
【請求項３０】
前記端末機器は、前記第１の信号を使用してタイミング及び／又は周波数のトラッキング／同期を行う
ことを特徴とする請求項２９に記載の情報決定方法。
【請求項３１】
前記第１の構成情報はまた、前記少なくとも１つのＣＳＩ−ＲＳリソースグループに対応する第１の指示パラメータを構成するために使用され、前記第１の指示パラメータは、前記少なくとも１つのＣＳＩ−ＲＳリソースグループの用途を指示するために使用される
ことを特徴とする請求項２９又は３０に記載の情報決定方法。
【請求項３２】
前記第１の指示パラメータは、パラメータｔｒｓ−Ｉｎｆｏである
ことを特徴とする請求項３１に記載の情報決定方法。
【請求項３３】
前記少なくとも１つのＣＳＩ−ＲＳリソースグループは、第１のＣＳＩ−ＲＳリソースグループを含み、Ｐ＝Ｑ＝２であり、
前記ネットワーク機器が、前記第１の構成情報に基づいて前記端末機器に前記第１の信号を送信するステップは、
前記ネットワーク機器が、前記第１の指示情報を送信するとき、前記第１のオフセットに基づいてスロットｎを決定するステップと、
前記ネットワーク機器が、前記スロットｎに基づいて第１のスロット及び第２のスロットを決定し、及び前記第１のスロット及び前記第２のスロットで前記端末機器に前記第１のＣＳＩ−ＲＳリソースグループ内の前記第１の信号を送信するステップと、を含み、
ここで、ｎは、０以上の整数である
ことを特徴とする請求項２９〜３２のいずれか１項に記載の情報決定方法。
【請求項３４】
前記第１のスロットは、前記スロットｎであり、前記第２のスロットは、スロットｎ＋１であり、又は
前記第１のスロットは、前記スロットｎ−１であり、前記第２のスロットは、スロットｎであり、又は
前記第１のスロットは、前記スロットｎであり、前記第２のスロットは、スロットｍであり、前記スロットｍは、前記スロットｎの後の前記第１の信号を伝送できる最初の有効なダウンリンクスロットである
ことを特徴とする請求項３３に記載の情報決定方法。
【請求項３５】
前記第１の構成情報はまた、前記少なくとも１つのＣＳＩ−ＲＳリソースグループに対する第２のオフセットを指示するために使用され、前記少なくとも１つのＣＳＩ−ＲＳリソースグループは、第１のＣＳＩ−ＲＳリソースグループを含み、Ｐ＝Ｑ＝２であり、
前記ネットワーク機器が、前記第１の構成情報に基づいて前記端末機器に前記第１の信号を送信するステップは、
前記ネットワーク機器が、前記第１の指示情報を送信するとき、前記第１のオフセット及び前記第２のオフセットに基づいてスロットｎ及びスロットｍを決定するステップと、
前記ネットワーク機器が、前記スロットｎ及び前記スロットｍで前記端末機器に前記第１のＣＳＩ−ＲＳリソースグループ内の前記第１の信号を送信するステップと、を含み、
ここで、ｎ及びｍは、０以上の整数である
ことを特徴とする請求項２９〜３２のいずれか１項に記載の情報決定方法。
【請求項３６】
前記ネットワーク機器が、前記第１の指示情報を送信するとき、前記第１のオフセット及び前記第２のオフセットに基づいてスロットｎ及びスロットｍを決定するステップは、
前記ネットワーク機器が、前記第１の指示情報を送信するとき、前記第１のオフセットに基づいて前記スロットｎを決定し、及び前記第２のオフセットに基づいて前記スロットｍを決定するステップ、又は
前記ネットワーク機器が、前記第１の指示情報を送信するとき、前記第１のオフセットに基づいて前記スロットｎを決定し、及び前記第１のオフセット及び前記第２のオフセットに基づいて前記スロットｍを決定するステップを含む
ことを特徴とする請求項３５に記載の情報決定方法。
【請求項３７】
前記スロットｎと前記スロットｍとは、２つの連続するスロットであり、又は
前記スロットｍは、前記スロットｎの後の前記第１の信号を伝送できる最初の有効なダウンリンクスロットである
ことを特徴とする請求項３５又は３６に記載の情報決定方法。
【請求項３８】
前記少なくとも１つのＣＳＩ−ＲＳリソースグループは、第１のＣＳＩ−ＲＳリソースグループを含み、Ｐ＝４、Ｑ＝２であり、
前記ネットワーク機器が、前記第１の構成情報に基づいて前記端末機器に前記第１の信号を送信するステップは、
前記ネットワーク機器が、前記第１の指示情報を送信するとき、前記第１のオフセットに基づいてスロットｎを決定するステップと、
前記ネットワーク機器が、前記スロットｎに基づいて第１のスロット及び第２のスロットを決定し、及び前記第１のスロット及び前記第２のスロットで前記端末機器に前記第１のＣＳＩ−ＲＳリソースグループ内の前記第１の信号を送信するステップと、を含み、
ここで、ｎは、０以上の整数である
ことを特徴とする請求項２９〜３２のいずれか１項に記載の情報決定方法。
【請求項３９】
前記第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
前記ネットワーク機器が、前記第１のスロット及び前記第２のスロットで前記端末機器に前記第１のＣＳＩ−ＲＳリソースグループ内の前記第１の信号を送信するステップは、
前記ネットワーク機器が、前記第１のＣＳＩ−ＲＳリソースグループ構成情報における４つのＣＳＩ−ＲＳリソースの位置順に基づき、前記第１のスロットで前記第１のＣＳＩ−ＲＳリソース及び第２のＣＳＩ−ＲＳリソース内の前記第１の信号を送信し、及び前記第２のスロットで前記第３のＣＳＩ−ＲＳリソース及び前記第４のＣＳＩ−ＲＳリソース内の前記第１の信号を送信することを決定し、ここで、前記第１のＣＳＩ−ＲＳリソースグループ構成情報における前記４つのＣＳＩ−ＲＳリソースの位置順は、前記第１のＣＳＩ−ＲＳリソース＞前記第３のＣＳＩ−ＲＳリソース、前記第１のＣＳＩ−ＲＳリソース＞前記第４のＣＳＩ−ＲＳリソース、前記第２のＣＳＩ−ＲＳリソース＞前記第３のＣＳＩ−ＲＳリソース、前記第２のＣＳＩ−ＲＳリソース＞前記第４のＣＳＩ−ＲＳリソースであり、又は、前記第１のＣＳＩ−ＲＳリソースグループ構成情報における前記４つのＣＳＩ−ＲＳリソースの位置順は、前記第３のＣＳＩ−ＲＳリソース＞前記第１のＣＳＩ−ＲＳリソース、前記第３のＣＳＩ−ＲＳリソース＞前記第２のＣＳＩ−ＲＳリソース、前記第４のＣＳＩ−ＲＳリソース＞前記第１のＣＳＩ−ＲＳリソース、前記第４のＣＳＩ−ＲＳリソース＞前記第２のＣＳＩ−ＲＳリソースであるステップ、又は
前記ネットワーク機器が、前記第１のＣＳＩ−ＲＳリソースグループ内の４つのＣＳＩ−ＲＳリソースの識別子ＩＤに基づき、前記第１のスロットで前記第１のＣＳＩ−ＲＳリソース及び第２のＣＳＩ−ＲＳリソース内の前記第１の信号を送信し、及び前記第２のスロットで前記第３のＣＳＩ−ＲＳリソース及び前記第４のＣＳＩ−ＲＳリソース内の前記第１の信号を送信することを決定し、ここで、前記第１のＣＳＩ−ＲＳリソースグループ内の４つのＣＳＩ−ＲＳリソースのＩＤの順序は、前記第１のＣＳＩ−ＲＳリソース＞前記第３のＣＳＩ−ＲＳリソース、前記第１のＣＳＩ−ＲＳリソース＞前記第４のＣＳＩ−ＲＳリソース、前記第２のＣＳＩ−ＲＳリソース＞前記第３のＣＳＩ−ＲＳリソース、前記第２のＣＳＩ−ＲＳリソース＞前記第４のＣＳＩ−ＲＳリソースであり、又は、前記第１のＣＳＩ−ＲＳリソースグループ内の４つのＣＳＩ−ＲＳリソースのＩＤの順序は、前記第３のＣＳＩ−ＲＳリソース＞前記第１のＣＳＩ−ＲＳリソース、前記第３のＣＳＩ−ＲＳリソース＞前記第２のＣＳＩ−ＲＳリソース、前記第４のＣＳＩ−ＲＳリソース＞前記第１のＣＳＩ−ＲＳリソース、前記第４のＣＳＩ−ＲＳリソース＞前記第２のＣＳＩ−ＲＳリソースであるステップ、又は
前記ネットワーク機器が、前記第１のスロットで前記第１のＣＳＩ−ＲＳリソース及び第２のＣＳＩ−ＲＳリソース内の前記第１の信号を送信し、及び前記第２のスロットで前記第３のＣＳＩ−ＲＳリソース及び前記第４のＣＳＩ−ＲＳリソース内の前記第１の信号を送信し、ここで、前記第１のＣＳＩ−ＲＳリソースと前記第３のＣＳＩ−ＲＳリソースとは、１つのリソース集合に属し、前記第２のＣＳＩ−ＲＳリソースと前記第４のＣＳＩ−ＲＳリソースとは、１つのリソース集合に属し、前記第１のＣＳＩ−ＲＳリソースと前記第３のＣＳＩ−ＲＳリソースとは、少なくとも時間区域及び／又は周波数区域のリソース構成が同じであり、前記第２のＣＳＩ−ＲＳリソースと前記第４のＣＳＩ−ＲＳリソースとは、少なくとも時間区域及び／又は周波数区域のリソース構成が同じであるステップを含む
ことを特徴とする請求項３８に記載の情報決定方法。
【請求項４０】
前記第１のスロットは、前記スロットｎであり、前記第２のスロットは、スロットｎ＋１であり、又は
前記第１のスロットは、前記スロットｎ−１であり、前記第２のスロットは、スロットｎであり、又は
前記第１のスロットは、前記スロットｎであり、前記第２のスロットは、スロットｍであり、前記スロットｍは、前記スロットｎの後の前記第１の信号を伝送できる最初の有効なダウンリンクスロットである
ことを特徴とする請求項３８又は３９に記載の情報決定方法。
【請求項４１】
前記第１の構成情報はまた、前記少なくとも１つのＣＳＩ−ＲＳリソースグループに対する第２のオフセットを指示するために使用され、前記少なくとも１つのＣＳＩ−ＲＳリソースグループは、第１のＣＳＩ−ＲＳリソースグループを含み、Ｐ＝４、Ｑ＝２であり、
前記ネットワーク機器が、前記第１の構成情報に基づいて前記端末機器に前記第１の信号を送信するステップは、
前記ネットワーク機器が、前記第１の指示情報を送信するとき、前記第１のオフセット及び前記第２のオフセットに基づいてスロットｎ及びスロットｍを決定するステップと、
前記ネットワーク機器が、前記スロットｎ及び前記スロットｍで前記端末機器に前記第１のＣＳＩ−ＲＳリソースグループ内の前記第１の信号を送信するステップと、を含み、
ここで、ｎ及びｍは、０以上の整数である
ことを特徴とする請求項２９〜３２のいずれか１項に記載の情報決定方法。
【請求項４２】
前記第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
前記ネットワーク機器が、前記スロットｎ及び前記スロットｍで前記端末機器に前記第１のＣＳＩ−ＲＳリソースグループ内の前記第１の信号を送信するステップは、
前記ネットワーク機器が、前記第１のＣＳＩ−ＲＳリソースグループ構成情報における４つのＣＳＩ−ＲＳリソースの位置順に基づき、前記スロットｎで前記第１のＣＳＩ−ＲＳリソース及び第２のＣＳＩ−ＲＳリソース内の前記第１の信号を送信し、及び前記スロットｍで前記第３のＣＳＩ−ＲＳリソース及び前記第４のＣＳＩ−ＲＳリソース内の前記第１の信号を送信することを決定し、ここで、前記第１のＣＳＩ−ＲＳリソースグループ構成情報における前記４つのＣＳＩ−ＲＳリソースの位置順は、前記第１のＣＳＩ−ＲＳリソース＞前記第３のＣＳＩ−ＲＳリソース、前記第１のＣＳＩ−ＲＳリソース＞前記第４のＣＳＩ−ＲＳリソース、前記第２のＣＳＩ−ＲＳリソース＞前記第３のＣＳＩ−ＲＳリソース、前記第２のＣＳＩ−ＲＳリソース＞前記第４のＣＳＩ−ＲＳリソースであり、又は、前記第１のＣＳＩ−ＲＳリソースグループ構成情報における前記４つのＣＳＩ−ＲＳリソースの位置順は、前記第３のＣＳＩ−ＲＳリソース＞前記第１のＣＳＩ−ＲＳリソース、前記第３のＣＳＩ−ＲＳリソース＞前記第２のＣＳＩ−ＲＳリソース、前記第４のＣＳＩ−ＲＳリソース＞前記第１のＣＳＩ−ＲＳリソース、前記第４のＣＳＩ−ＲＳリソース＞前記第２のＣＳＩ−ＲＳリソースであるステップ、又は
前記ネットワーク機器が、前記第１のＣＳＩ−ＲＳリソースグループ内の４つのＣＳＩ−ＲＳリソースの識別子ＩＤに基づき、前記スロットｎで前記第１のＣＳＩ−ＲＳリソース及び第２のＣＳＩ−ＲＳリソース内の前記第１の信号を送信し、及び前記スロットｍで前記第３のＣＳＩ−ＲＳリソース及び前記第４のＣＳＩ−ＲＳリソース内の前記第１の信号を送信することを決定し、ここで、前記第１のＣＳＩ−ＲＳリソースグループ内の４つのＣＳＩ−ＲＳリソースのＩＤの順序は、前記第１のＣＳＩ−ＲＳリソース＞前記第３のＣＳＩ−ＲＳリソース、前記第１のＣＳＩ−ＲＳリソース＞前記第４のＣＳＩ−ＲＳリソース、前記第２のＣＳＩ−ＲＳリソース＞前記第３のＣＳＩ−ＲＳリソース、前記第２のＣＳＩ−ＲＳリソース＞前記第４のＣＳＩ−ＲＳリソースであり、又は、前記第１のＣＳＩ−ＲＳリソースグループ内の４つのＣＳＩ−ＲＳリソースのＩＤの順序は、前記第３のＣＳＩ−ＲＳリソース＞前記第１のＣＳＩ−ＲＳリソース、前記第３のＣＳＩ−ＲＳリソース＞前記第２のＣＳＩ−ＲＳリソース、前記第４のＣＳＩ−ＲＳリソース＞前記第１のＣＳＩ−ＲＳリソース、前記第４のＣＳＩ−ＲＳリソース＞前記第２のＣＳＩ−ＲＳリソースであるステップ、又は
前記ネットワーク機器が、前記スロットｎで前記第１のＣＳＩ−ＲＳリソース及び第２のＣＳＩ−ＲＳリソース内の前記第１の信号を送信し、及び前記スロットｍで前記第３のＣＳＩ−ＲＳリソース及び前記第４のＣＳＩ−ＲＳリソース内の前記第１の信号を送信し、ここで、前記第１のＣＳＩ−ＲＳリソースと前記第３のＣＳＩ−ＲＳリソースとは、１つのリソース集合に属し、前記第２のＣＳＩ−ＲＳリソースと前記第４のＣＳＩ−ＲＳリソースとは、１つのリソース集合に属し、前記第１のＣＳＩ−ＲＳリソースと前記第３のＣＳＩ−ＲＳリソースとは、少なくとも時間区域及び／又は周波数区域のリソース構成が同じであり、前記第２のＣＳＩ−ＲＳリソースと前記第４のＣＳＩ−ＲＳリソースとは、少なくとも時間区域及び／又は周波数区域のリソース構成が同じであるステップを含む
ことを特徴とする請求項４１に記載の情報決定方法。
【請求項４３】
前記ネットワーク機器が、前記第１の指示情報を送信するとき、前記第１のオフセット及び前記第２のオフセットに基づいてスロットｎ及びスロットｍを決定するステップは、
前記ネットワーク機器が、前記第１の指示情報を送信するとき、前記第１のオフセットに基づいて前記スロットｎを決定し、及び前記第２のオフセットに基づいて前記スロットｍを決定するステップ、又は
前記ネットワーク機器が、前記第１の指示情報を送信するとき、前記第１のオフセットに基づいて前記スロットｎを決定し、及び前記第１のオフセット及び前記第２のオフセットに基づいて前記スロットｍを決定するステップを含む
ことを特徴とする請求項４１又は４２に記載の情報決定方法。
【請求項４４】
前記スロットｎと前記スロットｍとは、２つの連続するスロットであり、又は
前記スロットｍは、前記スロットｎの後の前記第１の信号を伝送できる最初の有効なダウンリンクスロットである
ことを特徴とする請求項４１〜４３のいずれか１項に記載の情報決定方法。
【請求項４５】
前記少なくとも１つのＣＳＩ−ＲＳリソースグループは、第１のＣＳＩ−ＲＳリソースグループを含み、前記第１の構成情報はまた、前記第１のＣＳＩ−ＲＳリソースグループ内の各ＣＳＩ−ＲＳリソースに対する第３のオフセットを指示するために使用され、Ｐ＝４、Ｑ＝２であり、
前記ネットワーク機器が、前記第１の構成情報に基づいて前記端末機器に前記第１の信号を送信するステップは、
前記ネットワーク機器が、前記第１の指示情報を送信するとき、前記第１のオフセット及び第１のＣＳＩ−ＲＳリソースに対する第３のオフセットに基づいてスロットｎを決定し、又は、前記ネットワーク機器が、前記第１の指示情報を送信するとき、第１のＣＳＩ−ＲＳリソースに対する第３のオフセットに基づいてスロットｎを決定し、ここで、前記第１のＣＳＩ−ＲＳリソースは、前記第１のＣＳＩ−ＲＳリソースグループ内の４つのＣＳＩ−ＲＳリソースのうちのいずれか１つのＣＳＩ−ＲＳリソースであるステップと、
前記ネットワーク機器が、前記スロットｎで前記端末機器に前記第１のＣＳＩ−ＲＳリソース内の前記第１の信号を送信するステップと、を含み、
ここで、ｎは、０以上の整数である
ことを特徴とする請求項２９〜３２のいずれか１項に記載の情報決定方法。
【請求項４６】
前記第３のオフセットは具体的に、前記第１のＣＳＩ−ＲＳリソースグループ内に構成され、又は、具体的に、それに対応するＣＳＩ−ＲＳリソース内に構成される
ことを特徴とする請求項４５に記載の情報決定方法。
【請求項４７】
前記第３のオフセットが具体的に、前記第１のＣＳＩ−ＲＳリソースグループ内に構成される場合、
前記第１のＣＳＩ−ＲＳリソースグループ内のＣＳＩ−ＲＳリソースの一部又は全部は、前記第３のオフセットが構成される
ことを特徴とする請求項４６に記載の情報決定方法。
【請求項４８】
前記第１のＣＳＩ−ＲＳリソースグループに、第３のオフセットが構成されていないＣＳＩ−ＲＳリソースが少なくとも１つ含まれる場合、前記第１の構成情報は、前記第３のオフセットが構成されていない少なくとも１つのＣＳＩ−ＲＳリソースのうちの各ＣＳＩ−ＲＳリソースに対応する前記第３のオフセットを事前構成値として指示する
ことを特徴とする請求項４７に記載の情報決定方法。
【請求項４９】
前記第３のオフセットが具体的に、それに対応するＣＳＩ−ＲＳリソース内に構成される場合、前記第１のＣＳＩ−ＲＳリソースグループは、第２のＣＳＩ−ＲＳリソースを含み、
前記第２のＣＳＩ−ＲＳリソース内に前記第３のオフセットが構成されない場合、前記第１の構成情報は、前記第２のＣＳＩ−ＲＳリソースに対応する前記第３のオフセットを事前構成値として指示する
ことを特徴とする請求項４６に記載の情報決定方法。
【請求項５０】
前記事前構成値は、０である
ことを特徴とする請求項４８又は４９に記載の情報決定方法。
【請求項５１】
前記第３のオフセットが具体的に、それに対応するＣＳＩ−ＲＳリソース内に構成される場合、前記第１のＣＳＩ−ＲＳリソースに対応する前記第３のオフセットは、フィールドの指示に応じて周期的信号構成に従って解読した後に得られたオフセットによって決定される
ことを特徴とする請求項４６に記載の情報決定方法。
【請求項５２】
前記少なくとも１つのＣＳＩ−ＲＳリソースグループは、第１のＣＳＩ−ＲＳリソースグループ及び第２のＣＳＩ−ＲＳリソースグループを含み、Ｐ＝Ｑ＝２であり、
前記ネットワーク機器が、前記第１の構成情報に基づいて前記端末機器に前記第１の信号を送信するステップは、
前記ネットワーク機器が、前記第１の指示情報を送信するとき、前記第１のＣＳＩ−ＲＳリソースグループに対応する前記第１のオフセットに基づいてスロットｎを決定し、及び前記第２のＣＳＩ−ＲＳリソースグループに対応する前記第１のオフセットに基づいてスロットｍを決定するステップと、
前記ネットワーク機器が、前記スロットｎで前記端末機器に前記第１のＣＳＩ−ＲＳリソースグループ内の前記第１の信号を送信し、及び前記スロットｍで前記端末機器に前記第２のＣＳＩ−ＲＳリソースグループ内の前記第１の信号を送信するステップと、を含み、
ここで、ｎ及びｍは、０以上の整数である
ことを特徴とする請求項２９〜３２のいずれか１項に記載の情報決定方法。
【請求項５３】
前記第１のＣＳＩ−ＲＳリソースグループに対応する前記第１のオフセットと前記第２のＣＳＩ−ＲＳリソースグループに対応する前記第１のオフセットとの間は、Ｋスロットの差があり、Ｋは、１以上の整数である
ことを特徴とする請求項５２に記載の情報決定方法。
【請求項５４】
Ｋ＝１である
ことを特徴とする請求項５３に記載の情報決定方法。
【請求項５５】
前記第１の信号は、トラッキング用の非周期的ＣＳＩ−ＲＳ信号である
ことを特徴とする請求項２９〜５４のいずれか１項に記載の情報決定方法。
【請求項５６】
前記第１の構成情報は、無線リソース制御ＲＲＣシグナリングであり、前記第１の指示情報は、ダウンリンク制御情報ＤＣＩシグナリングである
ことを特徴とする請求項２９〜５５のいずれか１項に記載の情報決定方法。
【請求項５７】
ネットワーク機器により送信された第１の構成情報を受信するために使用される通信ユニットを備え、前記第１の構成情報は、少なくとも１つのチャネル状態情報参照信号ＣＳＩ−ＲＳリソースグループを構成し、及び前記少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、前記少なくとも１つのＣＳＩ−ＲＳリソースグループは、第１の信号を決定するために使用され、前記第１の信号は、Ｑ個のスロットを占有し、Ｐ及びＱは、２以上の整数であり、
前記通信ユニットはまた、前記ネットワーク機器により送信された第１の指示情報を受信するために使用され、前記第１の指示情報は、前記端末機器が前記第１の信号を受信するようにトリガーするために使用され、
前記通信ユニットはまた、前記第１の指示情報に応答して、前記第１の構成情報に基づいて前記第１の信号を受信するために使用される
ことを特徴とする端末機器。
【請求項５８】
前記端末機器は、前記第１の信号を使用してタイミング及び／又は周波数のトラッキング／同期を行う
ことを特徴とする請求項５７に記載の端末機器。
【請求項５９】
前記第１の構成情報はまた、前記少なくとも１つのＣＳＩ−ＲＳリソースグループに対応する第１の指示パラメータを構成するために使用され、前記第１の指示パラメータは、前記少なくとも１つのＣＳＩ−ＲＳリソースグループの用途を指示するために使用される
ことを特徴とする請求項５７又は５８に記載の端末機器。
【請求項６０】
前記第１の指示パラメータは、パラメータｔｒｓ−Ｉｎｆｏである
ことを特徴とする請求項５９に記載の端末機器。
【請求項６１】
前記少なくとも１つのＣＳＩ−ＲＳリソースグループは、第１のＣＳＩ−ＲＳリソースグループを含み、Ｐ＝Ｑ＝２であり、前記端末機器は、処理ユニットをさらに備え、
前記通信ユニットが前記第１の指示情報を受信したとき、前記処理ユニットが、前記第１のオフセットに基づいてスロットｎを決定し、ｎは、０以上の整数であり、
前記処理ユニットが、前記スロットｎに基づいて第１のスロット及び第２のスロットを決定し、及び前記通信ユニットが、前記第１のスロット及び前記第２のスロットで前記第１のＣＳＩ−ＲＳリソースグループ内の前記第１の信号を受信する
ことを特徴とする請求項５７〜６０のいずれか１項に記載の端末機器。
【請求項６２】
前記第１のスロットは、前記スロットｎであり、前記第２のスロットは、スロットｎ＋１であり、又は
前記第１のスロットは、前記スロットｎ−１であり、前記第２のスロットは、スロットｎであり、又は
前記第１のスロットは、前記スロットｎであり、前記第２のスロットは、スロットｍであり、前記スロットｍは、前記スロットｎの後の前記第１の信号を伝送できる最初の有効なダウンリンクスロットである
ことを特徴とする請求項６１に記載の端末機器。
【請求項６３】
前記第１の構成情報はまた、前記少なくとも１つのＣＳＩ−ＲＳリソースグループに対する第２のオフセットを指示するために使用され、前記少なくとも１つのＣＳＩ−ＲＳリソースグループは、第１のＣＳＩ−ＲＳリソースグループを含み、Ｐ＝Ｑ＝２であり、前記端末機器は、処理ユニットをさらに備え、
前記通信ユニットが前記第１の指示情報を受信したとき、前記処理ユニットが、前記第１のオフセット及び前記第２のオフセットに基づいてスロットｎ及びスロットｍを決定し、ｎ及びｍは、０以上の整数であり、
前記通信ユニットが、前記スロットｎ及び前記スロットｍで前記第１のＣＳＩ−ＲＳリソースグループ内の前記第１の信号を受信する
ことを特徴とする請求項５７〜６０のいずれか１項に記載の端末機器。
【請求項６４】
前記処理ユニットは具体的に、
前記通信ユニットが前記第１の指示情報を受信したとき、前記第１のオフセットに基づいて前記スロットｎを決定し、及び前記第２のオフセットに基づいて前記スロットｍを決定し、又は
前記通信ユニットが前記第１の指示情報を受信したとき、前記第１のオフセットに基づいて前記スロットｎを決定し、及び前記第１のオフセット及び前記第２のオフセットに基づいて前記スロットｍを決定するために使用される
ことを特徴とする請求項６３に記載の端末機器。
【請求項６５】
前記スロットｎと前記スロットｍとは、２つの連続するスロットであり、又は
前記スロットｍは、前記スロットｎの後の前記第１の信号を伝送できる最初の有効なダウンリンクスロットである
ことを特徴とする請求項６３又は６４に記載の端末機器。
【請求項６６】
前記少なくとも１つのＣＳＩ−ＲＳリソースグループは、第１のＣＳＩ−ＲＳリソースグループを含み、Ｐ＝４、Ｑ＝２であり、前記端末機器は、処理ユニットをさらに備え、
前記通信ユニットが前記第１の指示情報を受信したとき、前記処理ユニットが、前記第１のオフセットに基づいてスロットｎを決定し、ｎは、０以上の整数であり、
前記処理ユニットが、前記スロットｎに基づいて第１のスロット及び第２のスロットを決定し、及び前記通信ユニットが、前記第１のスロット及び前記第２のスロットで前記第１のＣＳＩ−ＲＳリソースグループ内の前記第１の信号を受信する
ことを特徴とする請求項５７〜６０のいずれか１項に記載の端末機器。
【請求項６７】
前記第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
前記通信ユニットは具体的に、
前記第１のＣＳＩ−ＲＳリソースグループ構成情報における４つのＣＳＩ−ＲＳリソースの位置順に基づき、前記第１のスロットで前記第１のＣＳＩ−ＲＳリソース及び第２のＣＳＩ−ＲＳリソース内の前記第１の信号を受信し、及び前記第２のスロットで前記第３のＣＳＩ−ＲＳリソース及び前記第４のＣＳＩ−ＲＳリソース内の前記第１の信号を受信することを決定し、ここで、前記第１のＣＳＩ−ＲＳリソースグループ構成情報における前記４つのＣＳＩ−ＲＳリソースの位置順は、前記第１のＣＳＩ−ＲＳリソース＞前記第３のＣＳＩ−ＲＳリソース、前記第１のＣＳＩ−ＲＳリソース＞前記第４のＣＳＩ−ＲＳリソース、前記第２のＣＳＩ−ＲＳリソース＞前記第３のＣＳＩ−ＲＳリソース、前記第２のＣＳＩ−ＲＳリソース＞前記第４のＣＳＩ−ＲＳリソースであり、又は、前記第１のＣＳＩ−ＲＳリソースグループ構成情報における前記４つのＣＳＩ−ＲＳリソースの位置順は、前記第３のＣＳＩ−ＲＳリソース＞前記第１のＣＳＩ−ＲＳリソース、前記第３のＣＳＩ−ＲＳリソース＞前記第２のＣＳＩ−ＲＳリソース、前記第４のＣＳＩ−ＲＳリソース＞前記第１のＣＳＩ−ＲＳリソース、前記第４のＣＳＩ−ＲＳリソース＞前記第２のＣＳＩ−ＲＳリソースであり、又は
前記第１のＣＳＩ−ＲＳリソースグループ内の４つのＣＳＩ−ＲＳリソースの識別子ＩＤに基づき、前記第１のスロットで前記第１のＣＳＩ−ＲＳリソース及び第２のＣＳＩ−ＲＳリソース内の前記第１の信号を受信し、及び前記第２のスロットで前記第３のＣＳＩ−ＲＳリソース及び前記第４のＣＳＩ−ＲＳリソース内の前記第１の信号を受信することを決定し、ここで、前記第１のＣＳＩ−ＲＳリソースグループ内の４つのＣＳＩ−ＲＳリソースのＩＤの順序は、前記第１のＣＳＩ−ＲＳリソース＞前記第３のＣＳＩ−ＲＳリソース、前記第１のＣＳＩ−ＲＳリソース＞前記第４のＣＳＩ−ＲＳリソース、前記第２のＣＳＩ−ＲＳリソース＞前記第３のＣＳＩ−ＲＳリソース、前記第２のＣＳＩ−ＲＳリソース＞前記第４のＣＳＩ−ＲＳリソースであり、又は、前記第１のＣＳＩ−ＲＳリソースグループ内の４つのＣＳＩ−ＲＳリソースのＩＤの順序は、前記第３のＣＳＩ−ＲＳリソース＞前記第１のＣＳＩ−ＲＳリソース、前記第３のＣＳＩ−ＲＳリソース＞前記第２のＣＳＩ−ＲＳリソース、前記第４のＣＳＩ−ＲＳリソース＞前記第１のＣＳＩ−ＲＳリソース、前記第４のＣＳＩ−ＲＳリソース＞前記第２のＣＳＩ−ＲＳリソースであり、又は
前記第１のスロットで前記第１のＣＳＩ−ＲＳリソース及び第２のＣＳＩ−ＲＳリソース内の前記第１の信号を受信し、及び前記第２のスロットで前記第３のＣＳＩ−ＲＳリソース及び前記第４のＣＳＩ−ＲＳリソース内の前記第１の信号を受信するために使用され、ここで、前記第１のＣＳＩ−ＲＳリソースと前記第３のＣＳＩ−ＲＳリソースとは、１つのリソース集合に属し、前記第２のＣＳＩ−ＲＳリソースと前記第４のＣＳＩ−ＲＳリソースとは、１つのリソース集合に属し、前記第１のＣＳＩ−ＲＳリソースと前記第３のＣＳＩ−ＲＳリソースとは、少なくとも時間区域及び／又は周波数区域のリソース構成が同じであり、前記第２のＣＳＩ−ＲＳリソースと前記第４のＣＳＩ−ＲＳリソースとは、少なくとも時間区域及び／又は周波数区域のリソース構成が同じである
ことを特徴とする請求項６６に記載の端末機器。
【請求項６８】
前記第１のスロットは、前記スロットｎであり、前記第２のスロットは、スロットｎ＋１であり、又は
前記第１のスロットは、前記スロットｎ−１であり、前記第２のスロットは、スロットｎであり、又は
前記第１のスロットは、前記スロットｎであり、前記第２のスロットは、スロットｍであり、前記スロットｍは、前記スロットｎの後の前記第１の信号を伝送できる最初の有効なダウンリンクスロットである
ことを特徴とする請求項６６又は６７に記載の端末機器。
【請求項６９】
前記第１の構成情報はまた、前記少なくとも１つのＣＳＩ−ＲＳリソースグループに対する第２のオフセットを指示するために使用され、前記少なくとも１つのＣＳＩ−ＲＳリソースグループは、第１のＣＳＩ−ＲＳリソースグループを含み、Ｐ＝４、Ｑ＝２であり、前記端末機器は、処理ユニットをさらに備え、
前記通信ユニットが前記第１の指示情報を受信したとき、前記処理ユニットが、前記第１のオフセット及び前記第２のオフセットに基づいてスロットｎ及びスロットｍを決定し、ｎ及びｍは、０以上の整数であり、
前記通信ユニットが、前記スロットｎ及び前記スロットｍで前記第１のＣＳＩ−ＲＳリソースグループ内の前記第１の信号を受信する
ことを特徴とする請求項５７〜６０のいずれか１項に記載の端末機器。
【請求項７０】
前記第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
前記通信ユニットは具体的に、
前記第１のＣＳＩ−ＲＳリソースグループ構成情報における４つのＣＳＩ−ＲＳリソースの位置順に基づき、前記スロットｎで前記第１のＣＳＩ−ＲＳリソース及び第２のＣＳＩ−ＲＳリソース内の前記第１の信号を受信し、及び前記スロットｍで前記第３のＣＳＩ−ＲＳリソース及び前記第４のＣＳＩ−ＲＳリソース内の前記第１の信号を受信することを決定し、ここで、前記第１のＣＳＩ−ＲＳリソースグループ構成情報における前記４つのＣＳＩ−ＲＳリソースの位置順は、前記第１のＣＳＩ−ＲＳリソース＞前記第３のＣＳＩ−ＲＳリソース、前記第１のＣＳＩ−ＲＳリソース＞前記第４のＣＳＩ−ＲＳリソース、前記第２のＣＳＩ−ＲＳリソース＞前記第３のＣＳＩ−ＲＳリソース、前記第２のＣＳＩ−ＲＳリソース＞前記第４のＣＳＩ−ＲＳリソースであり、又は、前記第１のＣＳＩ−ＲＳリソースグループ構成情報における前記４つのＣＳＩ−ＲＳリソースの位置順は、前記第３のＣＳＩ−ＲＳリソース＞前記第１のＣＳＩ−ＲＳリソース、前記第３のＣＳＩ−ＲＳリソース＞前記第２のＣＳＩ−ＲＳリソース、前記第４のＣＳＩ−ＲＳリソース＞前記第１のＣＳＩ−ＲＳリソース、前記第４のＣＳＩ−ＲＳリソース＞前記第２のＣＳＩ−ＲＳリソースであり、又は
前記第１のＣＳＩ−ＲＳリソースグループ内の４つのＣＳＩ−ＲＳリソースの識別子ＩＤに基づき、前記スロットｎで前記第１のＣＳＩ−ＲＳリソース及び第２のＣＳＩ−ＲＳリソース内の前記第１の信号を受信し、及び前記スロットｍで前記第３のＣＳＩ−ＲＳリソース及び前記第４のＣＳＩ−ＲＳリソース内の前記第１の信号を受信することを決定し、ここで、前記第１のＣＳＩ−ＲＳリソースグループ内の４つのＣＳＩ−ＲＳリソースのＩＤの順序は、前記第１のＣＳＩ−ＲＳリソース＞前記第３のＣＳＩ−ＲＳリソース、前記第１のＣＳＩ−ＲＳリソース＞前記第４のＣＳＩ−ＲＳリソース、前記第２のＣＳＩ−ＲＳリソース＞前記第３のＣＳＩ−ＲＳリソース、前記第２のＣＳＩ−ＲＳリソース＞前記第４のＣＳＩ−ＲＳリソースであり、又は、前記第１のＣＳＩ−ＲＳリソースグループ内の４つのＣＳＩ−ＲＳリソースのＩＤの順序は、前記第３のＣＳＩ−ＲＳリソース＞前記第１のＣＳＩ−ＲＳリソース、前記第３のＣＳＩ−ＲＳリソース＞前記第２のＣＳＩ−ＲＳリソース、前記第４のＣＳＩ−ＲＳリソース＞前記第１のＣＳＩ−ＲＳリソース、前記第４のＣＳＩ−ＲＳリソース＞前記第２のＣＳＩ−ＲＳリソースであり、又は
前記スロットｎで前記第１のＣＳＩ−ＲＳリソース及び第２のＣＳＩ−ＲＳリソース内の前記第１の信号を受信し、及び前記スロットｍで前記第３のＣＳＩ−ＲＳリソース及び前記第４のＣＳＩ−ＲＳリソース内の前記第１の信号を受信するために使用され、ここで、前記第１のＣＳＩ−ＲＳリソースと前記第３のＣＳＩ−ＲＳリソースとは、１つのリソース集合に属し、前記第２のＣＳＩ−ＲＳリソースと前記第４のＣＳＩ−ＲＳリソースとは、１つのリソース集合に属し、前記第１のＣＳＩ−ＲＳリソースと前記第３のＣＳＩ−ＲＳリソースとは、少なくとも時間区域及び／又は周波数区域のリソース構成が同じであり、前記第２のＣＳＩ−ＲＳリソースと前記第４のＣＳＩ−ＲＳリソースとは、少なくとも時間区域及び／又は周波数区域のリソース構成が同じである
ことを特徴とする請求項６９に記載の端末機器。
【請求項７１】
前記処理ユニットは具体的に、
前記第１の指示情報を受信したとき、前記第１のオフセットに基づいて前記スロットｎを決定し、及び前記第２のオフセットに基づいて前記スロットｍを決定し、又は
前記第１の指示情報を受信したとき、前記第１のオフセットに基づいて前記スロットｎを決定し、及び前記第１のオフセット及び前記第２のオフセットに基づいて前記スロットｍを決定するために使用される
ことを特徴とする請求項６９又は７０に記載の端末機器。
【請求項７２】
前記スロットｎと前記スロットｍとは、２つの連続するスロットであり、又は
前記スロットｍは、前記スロットｎの後の前記第１の信号を伝送できる最初の有効なダウンリンクスロットである
ことを特徴とする請求項６９〜７１のいずれか１項に記載の端末機器。
【請求項７３】
前記少なくとも１つのＣＳＩ−ＲＳリソースグループは、第１のＣＳＩ−ＲＳリソースグループを含み、前記第１の構成情報はまた、前記第１のＣＳＩ−ＲＳリソースグループ内の各ＣＳＩ−ＲＳリソースに対する第３のオフセットを指示するために使用され、Ｐ＝４、Ｑ＝２であり、前記端末機器は、処理ユニットをさらに備え、
前記通信ユニットが前記第１の指示情報を受信したとき、前記処理ユニットが、前記第１のオフセット及び第１のＣＳＩ−ＲＳリソースに対する第３のオフセットに基づいてスロットｎを決定し、又は、前記通信ユニットが前記第１の指示情報を受信したとき、前記処理ユニットが、第１のＣＳＩ−ＲＳリソースに対する第３のオフセットに基づいてスロットｎを決定し、ここで、前記第１のＣＳＩ−ＲＳリソースは、前記第１のＣＳＩ−ＲＳリソースグループ内の４つのＣＳＩ−ＲＳリソースのうちのいずれか１つのＣＳＩ−ＲＳリソースであり、ｎは、０以上の整数であり、
前記通信ユニットが、前記スロットｎで前記第１のＣＳＩ−ＲＳリソース内の前記第１の信号を受信する
ことを特徴とする請求項５７〜６０のいずれか１項に記載の端末機器。
【請求項７４】
前記第３のオフセットは具体的に、前記第１のＣＳＩ−ＲＳリソースグループ内に構成され、又は、具体的に、それに対応するＣＳＩ−ＲＳリソース内に構成される
ことを特徴とする請求項７３に記載の端末機器。
【請求項７５】
前記第３のオフセットが具体的に、前記第１のＣＳＩ−ＲＳリソースグループ内に構成される場合、
前記第１のＣＳＩ−ＲＳリソースグループ内のＣＳＩ−ＲＳリソースの一部又は全部は、前記第３のオフセットが構成される
ことを特徴とする請求項７４に記載の端末機器。
【請求項７６】
前記第１のＣＳＩ−ＲＳリソースグループに、第３のオフセットが構成されていないＣＳＩ−ＲＳリソースが少なくとも１つ含まれる場合、前記第１の構成情報は、前記第３のオフセットが構成されていない少なくとも１つのＣＳＩ−ＲＳリソースのうちの各ＣＳＩ−ＲＳリソースに対応する前記第３のオフセットを事前構成値として指示する
ことを特徴とする請求項７５に記載の端末機器。
【請求項７７】
前記第３のオフセットが具体的に、それに対応するＣＳＩ−ＲＳリソース内に構成される場合、前記第１のＣＳＩ−ＲＳリソースグループは、第２のＣＳＩ−ＲＳリソースを含み、
前記第２のＣＳＩ−ＲＳリソース内に前記第３のオフセットが構成されない場合、前記第１の構成情報は、前記第２のＣＳＩ−ＲＳリソースに対応する前記第３のオフセットを事前構成値として指示する
ことを特徴とする請求項７４に記載の端末機器。
【請求項７８】
前記事前構成値は、０である
ことを特徴とする請求項７６又は７７に記載の端末機器。
【請求項７９】
前記第３のオフセットが具体的に、それに対応するＣＳＩ−ＲＳリソース内に構成される場合、前記第１のＣＳＩ−ＲＳリソースに対応する前記第３のオフセットは、フィールドの指示に応じて周期的信号構成に従って解読した後に得られたオフセットによって決定される
ことを特徴とする請求項７４に記載の端末機器。
【請求項８０】
前記少なくとも１つのＣＳＩ−ＲＳリソースグループは、第１のＣＳＩ−ＲＳリソースグループ及び第２のＣＳＩ−ＲＳリソースグループを含み、Ｐ＝Ｑ＝２であり、前記端末機器は、処理ユニットをさらに備え、
前記通信ユニットが前記第１の指示情報を受信したとき、前記処理ユニットが、前記第１のＣＳＩ−ＲＳリソースグループに対応する前記第１のオフセットに基づいてスロットｎを決定し、及び前記第２のＣＳＩ−ＲＳリソースグループに対応する前記第１のオフセットに基づいてスロットｍを決定し、ｎ及びｍは、０以上の整数であり、
前記通信ユニットが、前記スロットｎで前記第１のＣＳＩ−ＲＳリソースグループ内の前記第１の信号を受信し、及び前記スロットｍで前記第２のＣＳＩ−ＲＳリソースグループ内の前記第１の信号を受信する
ことを特徴とする請求項５７〜６０のいずれか１項に記載の端末機器。
【請求項８１】
前記第１のＣＳＩ−ＲＳリソースグループに対応する前記第１のオフセットと前記第２のＣＳＩ−ＲＳリソースグループに対応する前記第１のオフセットとの間は、Ｋスロットの差があり、Ｋは、１以上の整数である
ことを特徴とする請求項８０に記載の端末機器。
【請求項８２】
Ｋ＝１である
ことを特徴とする請求項８１に記載の端末機器。
【請求項８３】
前記第１の信号は、トラッキング用の非周期的ＣＳＩ−ＲＳ信号である
ことを特徴とする請求項５７〜８２のいずれか１項に記載の端末機器。
【請求項８４】
前記第１の構成情報は、無線リソース制御ＲＲＣシグナリングであり、前記第１の指示情報は、ダウンリンク制御情報ＤＣＩシグナリングである
ことを特徴とする請求項５７〜８３のいずれか１項に記載の端末機器。
【請求項８５】
端末機器に第１の構成情報を送信するために使用される通信ユニットを備え、前記第１の構成情報は、少なくとも１つのチャネル状態情報参照信号ＣＳＩ−ＲＳリソースグループを構成し、及び前記少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、前記少なくとも１つのＣＳＩ−ＲＳリソースグループは、第１の信号を決定するために使用され、前記第１の信号は、Ｑ個のスロットを占有し、Ｐ及びＱは、２以上の整数であり、
前記通信ユニットはまた、前記端末機器に第１の指示情報を送信するために使用され、前記第１の指示情報は、前記端末機器が前記第１の信号を受信するようにトリガーするために使用され、
前記通信ユニットはまた、前記第１の構成情報に基づいて前記端末機器に前記第１の信号を送信するために使用される
ことを特徴とするネットワーク機器。
【請求項８６】
前記端末機器は、前記第１の信号を使用してタイミング及び／又は周波数のトラッキング／同期を行う
ことを特徴とする請求項８５に記載のネットワーク機器。
【請求項８７】
前記第１の構成情報はまた、前記少なくとも１つのＣＳＩ−ＲＳリソースグループに対応する第１の指示パラメータを構成するために使用され、前記第１の指示パラメータは、前記少なくとも１つのＣＳＩ−ＲＳリソースグループの用途を指示するために使用される
ことを特徴とする請求項８５又は８６に記載のネットワーク機器。
【請求項８８】
前記第１の指示パラメータは、パラメータｔｒｓ−Ｉｎｆｏである
ことを特徴とする請求項８７に記載の情報決定方法。
【請求項８９】
前記少なくとも１つのＣＳＩ−ＲＳリソースグループは、第１のＣＳＩ−ＲＳリソースグループを含み、Ｐ＝Ｑ＝２であり、前記ネットワーク機器は、処理ユニットをさらに備え、
前記通信ユニットが前記第１の指示情報を送信するとき、前記処理ユニットが、前記第１のオフセットに基づいてスロットｎを決定し、ｎは、０以上の整数であり、
前記処理ユニットが、前記スロットｎに基づいて第１のスロット及び第２のスロットを決定し、及び前記通信ユニットが、前記第１のスロット及び前記第２のスロットで前記端末機器に前記第１のＣＳＩ−ＲＳリソースグループ内の前記第１の信号を送信する
ことを特徴とする請求項８５〜８８のいずれか１項に記載のネットワーク機器。
【請求項９０】
前記第１のスロットは、前記スロットｎであり、前記第２のスロットは、スロットｎ＋１であり、又は
前記第１のスロットは、前記スロットｎ−１であり、前記第２のスロットは、スロットｎであり、又は
前記第１のスロットは、前記スロットｎであり、前記第２のスロットは、スロットｍであり、前記スロットｍは、前記スロットｎの後の前記第１の信号を伝送できる最初の有効なダウンリンクスロットである
ことを特徴とする請求項８９に記載のネットワーク機器。
【請求項９１】
前記第１の構成情報はまた、前記少なくとも１つのＣＳＩ−ＲＳリソースグループに対する第２のオフセットを指示するために使用され、前記少なくとも１つのＣＳＩ−ＲＳリソースグループは、第１のＣＳＩ−ＲＳリソースグループを含み、Ｐ＝Ｑ＝２であり、前記ネットワーク機器は、処理ユニットをさらに備え、
前記通信ユニットが前記第１の指示情報を送信するとき、前記処理ユニットが、前記第１のオフセット及び前記第２のオフセットに基づいてスロットｎ及びスロットｍを決定し、ｎ及びｍは、０以上の整数であり、
前記通信ユニットが、前記スロットｎ及び前記スロットｍで前記端末機器に前記第１のＣＳＩ−ＲＳリソースグループ内の前記第１の信号を送信する
ことを特徴とする請求項８５〜８８のいずれか１項に記載のネットワーク機器。
【請求項９２】
前記処理ユニットは具体的に、
前記通信ユニットが前記第１の指示情報を送信するとき、前記第１のオフセットに基づいて前記スロットｎを決定し、及び前記第２のオフセットに基づいて前記スロットｍを決定し、又は
前記通信ユニットが前記第１の指示情報を送信するとき、前記第１のオフセットに基づいて前記スロットｎを決定し、及び前記第１のオフセット及び前記第２のオフセットに基づいて前記スロットｍを決定するために使用される
ことを特徴とする請求項９１に記載のネットワーク機器。
【請求項９３】
前記スロットｎと前記スロットｍとは、２つの連続するスロットであり、又は
前記スロットｍは、前記スロットｎの後の前記第１の信号を伝送できる最初の有効なダウンリンクスロットである
ことを特徴とする請求項９１又は９２に記載のネットワーク機器。
【請求項９４】
前記少なくとも１つのＣＳＩ−ＲＳリソースグループは、第１のＣＳＩ−ＲＳリソースグループを含み、Ｐ＝４、Ｑ＝２であり、前記ネットワーク機器は、処理ユニットをさらに備え、
前記通信ユニットが前記第１の指示情報を送信するとき、前記処理ユニットが、前記第１のオフセットに基づいてスロットｎを決定し、ｎは、０以上の整数であり、
前記処理ユニットが、前記スロットｎに基づいて第１のスロット及び第２のスロットを決定し、及び前記通信ユニットが、前記第１のスロット及び前記第２のスロットで前記端末機器に前記第１のＣＳＩ−ＲＳリソースグループ内の前記第１の信号を送信する
ことを特徴とする請求項８５〜８８のいずれか１項に記載のネットワーク機器。
【請求項９５】
前記第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
前記通信ユニットは具体的に、
前記第１のＣＳＩ−ＲＳリソースグループ構成情報における４つのＣＳＩ−ＲＳリソースの位置順に基づき、前記第１のスロットで前記第１のＣＳＩ−ＲＳリソース及び第２のＣＳＩ−ＲＳリソース内の前記第１の信号を送信し、及び前記第２のスロットで前記第３のＣＳＩ−ＲＳリソース及び前記第４のＣＳＩ−ＲＳリソース内の前記第１の信号を送信することを決定し、ここで、前記第１のＣＳＩ−ＲＳリソースグループ構成情報における前記４つのＣＳＩ−ＲＳリソースの位置順は、前記第１のＣＳＩ−ＲＳリソース＞前記第３のＣＳＩ−ＲＳリソース、前記第１のＣＳＩ−ＲＳリソース＞前記第４のＣＳＩ−ＲＳリソース、前記第２のＣＳＩ−ＲＳリソース＞前記第３のＣＳＩ−ＲＳリソース、前記第２のＣＳＩ−ＲＳリソース＞前記第４のＣＳＩ−ＲＳリソースであり、又は、前記第１のＣＳＩ−ＲＳリソースグループ構成情報における前記４つのＣＳＩ−ＲＳリソースの位置順は、前記第３のＣＳＩ−ＲＳリソース＞前記第１のＣＳＩ−ＲＳリソース、前記第３のＣＳＩ−ＲＳリソース＞前記第２のＣＳＩ−ＲＳリソース、前記第４のＣＳＩ−ＲＳリソース＞前記第１のＣＳＩ−ＲＳリソース、前記第４のＣＳＩ−ＲＳリソース＞前記第２のＣＳＩ−ＲＳリソースであり、又は
前記第１のＣＳＩ−ＲＳリソースグループ内の４つのＣＳＩ−ＲＳリソースの識別子ＩＤに基づき、前記第１のスロットで前記第１のＣＳＩ−ＲＳリソース及び第２のＣＳＩ−ＲＳリソース内の前記第１の信号を送信し、及び前記第２のスロットで前記第３のＣＳＩ−ＲＳリソース及び前記第４のＣＳＩ−ＲＳリソース内の前記第１の信号を送信することを決定し、ここで、前記第１のＣＳＩ−ＲＳリソースグループ内の４つのＣＳＩ−ＲＳリソースのＩＤの順序は、前記第１のＣＳＩ−ＲＳリソース＞前記第３のＣＳＩ−ＲＳリソース、前記第１のＣＳＩ−ＲＳリソース＞前記第４のＣＳＩ−ＲＳリソース、前記第２のＣＳＩ−ＲＳリソース＞前記第３のＣＳＩ−ＲＳリソース、前記第２のＣＳＩ−ＲＳリソース＞前記第４のＣＳＩ−ＲＳリソースであり、又は、前記第１のＣＳＩ−ＲＳリソースグループ内の４つのＣＳＩ−ＲＳリソースのＩＤの順序は、前記第３のＣＳＩ−ＲＳリソース＞前記第１のＣＳＩ−ＲＳリソース、前記第３のＣＳＩ−ＲＳリソース＞前記第２のＣＳＩ−ＲＳリソース、前記第４のＣＳＩ−ＲＳリソース＞前記第１のＣＳＩ−ＲＳリソース、前記第４のＣＳＩ−ＲＳリソース＞前記第２のＣＳＩ−ＲＳリソースであり、又は
前記第１のスロットで前記第１のＣＳＩ−ＲＳリソース及び第２のＣＳＩ−ＲＳリソース内の前記第１の信号を送信し、及び前記第２のスロットで前記第３のＣＳＩ−ＲＳリソース及び前記第４のＣＳＩ−ＲＳリソース内の前記第１の信号を送信するために使用され、ここで、前記第１のＣＳＩ−ＲＳリソースと前記第３のＣＳＩ−ＲＳリソースとは、１つのリソース集合に属し、前記第２のＣＳＩ−ＲＳリソースと前記第４のＣＳＩ−ＲＳリソースとは、１つのリソース集合に属し、前記第１のＣＳＩ−ＲＳリソースと前記第３のＣＳＩ−ＲＳリソースとは、少なくとも時間区域及び／又は周波数区域のリソース構成が同じであり、前記第２のＣＳＩ−ＲＳリソースと前記第４のＣＳＩ−ＲＳリソースとは、少なくとも時間区域及び／又は周波数区域のリソース構成が同じである
ことを特徴とする請求項９４に記載のネットワーク機器。
【請求項９６】
前記第１のスロットは、前記スロットｎであり、前記第２のスロットは、スロットｎ＋１であり、又は
前記第１のスロットは、前記スロットｎ−１であり、前記第２のスロットは、スロットｎであり、又は
前記第１のスロットは、前記スロットｎであり、前記第２のスロットは、スロットｍであり、前記スロットｍは、前記スロットｎの後の前記第１の信号を伝送できる最初の有効なダウンリンクスロットである
ことを特徴とする請求項９４又は９５に記載のネットワーク機器。
【請求項９７】
前記第１の構成情報はまた、前記少なくとも１つのＣＳＩ−ＲＳリソースグループに対する第２のオフセットを指示するために使用され、前記少なくとも１つのＣＳＩ−ＲＳリソースグループは、第１のＣＳＩ−ＲＳリソースグループを含み、Ｐ＝４、Ｑ＝２であり、前記ネットワーク機器は、処理ユニットをさらに備え、
前記通信ユニットが前記第１の指示情報を送信するとき、前記処理ユニットが、前記第１のオフセット及び前記第２のオフセットに基づいてスロットｎ及びスロットｍを決定し、ｎ及びｍは、０以上の整数であり、
前記通信ユニットが、前記スロットｎ及び前記スロットｍで前記端末機器に前記第１のＣＳＩ−ＲＳリソースグループ内の前記第１の信号を送信する
ことを特徴とする請求項８５〜８８のいずれか１項に記載のネットワーク機器。
【請求項９８】
前記第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
前記通信ユニットは具体的に、
前記第１のＣＳＩ−ＲＳリソースグループ構成情報における４つのＣＳＩ−ＲＳリソースの位置順に基づき、前記スロットｎで前記第１のＣＳＩ−ＲＳリソース及び第２のＣＳＩ−ＲＳリソース内の前記第１の信号を送信し、及び前記スロットｍで前記第３のＣＳＩ−ＲＳリソース及び前記第４のＣＳＩ−ＲＳリソース内の前記第１の信号を送信することを決定し、ここで、前記第１のＣＳＩ−ＲＳリソースグループ構成情報における前記４つのＣＳＩ−ＲＳリソースの位置順は、前記第１のＣＳＩ−ＲＳリソース＞前記第３のＣＳＩ−ＲＳリソース、前記第１のＣＳＩ−ＲＳリソース＞前記第４のＣＳＩ−ＲＳリソース、前記第２のＣＳＩ−ＲＳリソース＞前記第３のＣＳＩ−ＲＳリソース、前記第２のＣＳＩ−ＲＳリソース＞前記第４のＣＳＩ−ＲＳリソースであり、又は、前記第１のＣＳＩ−ＲＳリソースグループ構成情報における前記４つのＣＳＩ−ＲＳリソースの位置順は、前記第３のＣＳＩ−ＲＳリソース＞前記第１のＣＳＩ−ＲＳリソース、前記第３のＣＳＩ−ＲＳリソース＞前記第２のＣＳＩ−ＲＳリソース、前記第４のＣＳＩ−ＲＳリソース＞前記第１のＣＳＩ−ＲＳリソース、前記第４のＣＳＩ−ＲＳリソース＞前記第２のＣＳＩ−ＲＳリソースであり、又は
前記第１のＣＳＩ−ＲＳリソースグループ内の４つのＣＳＩ−ＲＳリソースの識別子ＩＤに基づき、前記スロットｎで前記第１のＣＳＩ−ＲＳリソース及び第２のＣＳＩ−ＲＳリソース内の前記第１の信号を送信し、及び前記スロットｍで前記第３のＣＳＩ−ＲＳリソース及び前記第４のＣＳＩ−ＲＳリソース内の前記第１の信号を送信することを決定し、ここで、前記第１のＣＳＩ−ＲＳリソースグループ内の４つのＣＳＩ−ＲＳリソースのＩＤの順序は、前記第１のＣＳＩ−ＲＳリソース＞前記第３のＣＳＩ−ＲＳリソース、前記第１のＣＳＩ−ＲＳリソース＞前記第４のＣＳＩ−ＲＳリソース、前記第２のＣＳＩ−ＲＳリソース＞前記第３のＣＳＩ−ＲＳリソース、前記第２のＣＳＩ−ＲＳリソース＞前記第４のＣＳＩ−ＲＳリソースであり、又は、前記第１のＣＳＩ−ＲＳリソースグループ内の４つのＣＳＩ−ＲＳリソースのＩＤの順序は、前記第３のＣＳＩ−ＲＳリソース＞前記第１のＣＳＩ−ＲＳリソース、前記第３のＣＳＩ−ＲＳリソース＞前記第２のＣＳＩ−ＲＳリソース、前記第４のＣＳＩ−ＲＳリソース＞前記第１のＣＳＩ−ＲＳリソース、前記第４のＣＳＩ−ＲＳリソース＞前記第２のＣＳＩ−ＲＳリソースであり、又は
前記スロットｎで前記第１のＣＳＩ−ＲＳリソース及び第２のＣＳＩ−ＲＳリソース内の前記第１の信号を送信し、及び前記スロットｍで前記第３のＣＳＩ−ＲＳリソース及び前記第４のＣＳＩ−ＲＳリソース内の前記第１の信号を送信するために使用され、ここで、前記第１のＣＳＩ−ＲＳリソースと前記第３のＣＳＩ−ＲＳリソースとは、１つのリソース集合に属し、前記第２のＣＳＩ−ＲＳリソースと前記第４のＣＳＩ−ＲＳリソースとは、１つのリソース集合に属し、前記第１のＣＳＩ−ＲＳリソースと前記第３のＣＳＩ−ＲＳリソースとは、少なくとも時間区域及び／又は周波数区域のリソース構成が同じであり、前記第２のＣＳＩ−ＲＳリソースと前記第４のＣＳＩ−ＲＳリソースとは、少なくとも時間区域及び／又は周波数区域のリソース構成が同じである
ことを特徴とする請求項９７に記載のネットワーク機器。
【請求項９９】
前記処理ユニットは具体的に、
前記通信ユニットが前記第１の指示情報を送信するとき、前記第１のオフセットに基づいて前記スロットｎを決定し、及び前記第２のオフセットに基づいて前記スロットｍを決定し、又は
前記通信ユニットが前記第１の指示情報を送信するとき、前記第１のオフセットに基づいて前記スロットｎを決定し、及び前記第１のオフセット及び前記第２のオフセットに基づいて前記スロットｍを決定するために使用される
ことを特徴とする請求項９７又は９８に記載のネットワーク機器。
【請求項１００】
前記スロットｎと前記スロットｍとは、２つの連続するスロットであり、又は
前記スロットｍは、前記スロットｎの後の前記第１の信号を伝送できる最初の有効なダウンリンクスロットである
ことを特徴とする請求項９７〜９９のいずれか１項に記載のネットワーク機器。
【請求項１０１】
前記少なくとも１つのＣＳＩ−ＲＳリソースグループは、第１のＣＳＩ−ＲＳリソースグループを含み、前記第１の構成情報はまた、前記第１のＣＳＩ−ＲＳリソースグループ内の各ＣＳＩ−ＲＳリソースに対する第３のオフセットを指示するために使用され、Ｐ＝４、Ｑ＝２であり、前記ネットワーク機器は、処理ユニットをさらに備え、
前記通信ユニットが前記第１の指示情報を送信するとき、前記処理ユニットが、前記第１のオフセット及び第１のＣＳＩ−ＲＳリソースに対する第３のオフセットに基づいてスロットｎを決定し、又は、前記通信ユニットが前記第１の指示情報を送信するとき、前記処理ユニットが、第１のＣＳＩ−ＲＳリソースに対する第３のオフセットに基づいてスロットｎを決定し、ここで、前記第１のＣＳＩ−ＲＳリソースは、前記第１のＣＳＩ−ＲＳリソースグループ内の４つのＣＳＩ−ＲＳリソースのうちのいずれか１つのＣＳＩ−ＲＳリソースであり、ｎは、０以上の整数であり、
前記通信ユニットが、前記スロットｎで前記端末機器に前記第１のＣＳＩ−ＲＳリソース内の前記第１の信号を送信する
ことを特徴とする請求項８５〜８８のいずれか１項に記載のネットワーク機器。
【請求項１０２】
前記第３のオフセットは具体的に、前記第１のＣＳＩ−ＲＳリソースグループ内に構成され、又は、具体的に、それに対応するＣＳＩ−ＲＳリソース内に構成される
ことを特徴とする請求項１０１に記載のネットワーク機器。
【請求項１０３】
前記第３のオフセットが具体的に、前記第１のＣＳＩ−ＲＳリソースグループ内に構成される場合、
前記第１のＣＳＩ−ＲＳリソースグループ内のＣＳＩ−ＲＳリソースの一部又は全部は、前記第３のオフセットが構成される
ことを特徴とする請求項１０２に記載のネットワーク機器。
【請求項１０４】
前記第１のＣＳＩ−ＲＳリソースグループに、第３のオフセットが構成されていないＣＳＩ−ＲＳリソースが少なくとも１つ含まれる場合、前記第１の構成情報は、前記第３のオフセットが構成されていない少なくとも１つのＣＳＩ−ＲＳリソースのうちの各ＣＳＩ−ＲＳリソースに対応する前記第３のオフセットを事前構成値として指示する
ことを特徴とする請求項１０３に記載のネットワーク機器。
【請求項１０５】
前記第３のオフセットが具体的に、それに対応するＣＳＩ−ＲＳリソース内に構成される場合、前記第１のＣＳＩ−ＲＳリソースグループは、第２のＣＳＩ−ＲＳリソースを含み、
前記第２のＣＳＩ−ＲＳリソース内に前記第３のオフセットが構成されない場合、前記第１の構成情報は、前記第２のＣＳＩ−ＲＳリソースに対応する前記第３のオフセットを事前構成値として指示する
ことを特徴とする請求項１０２に記載のネットワーク機器。
【請求項１０６】
前記事前構成値は、０である
ことを特徴とする請求項１０４又は１０５に記載のネットワーク機器。
【請求項１０７】
前記第３のオフセットが具体的に、それに対応するＣＳＩ−ＲＳリソース内に構成される場合、前記第１のＣＳＩ−ＲＳリソースに対応する前記第３のオフセットは、フィールドの指示に応じて周期的信号構成に従って解読した後に得られたオフセットによって決定される
ことを特徴とする請求項１０２に記載のネットワーク機器。
【請求項１０８】
前記少なくとも１つのＣＳＩ−ＲＳリソースグループは、第１のＣＳＩ−ＲＳリソースグループ及び第２のＣＳＩ−ＲＳリソースグループを含み、Ｐ＝Ｑ＝２であり、前記ネットワーク機器は、処理ユニットをさらに備え、
前記通信ユニットが前記第１の指示情報を送信するとき、前記処理ユニットが、前記第１のＣＳＩ−ＲＳリソースグループに対応する前記第１のオフセットに基づいてスロットｎを決定し、及び前記第２のＣＳＩ−ＲＳリソースグループに対応する前記第１のオフセットに基づいてスロットｍを決定し、ｎ及びｍは、０以上の整数であり、
前記通信ユニットが、前記スロットｎで前記端末機器に前記第１のＣＳＩ−ＲＳリソースグループ内の前記第１の信号を送信し、及び前記スロットｍで前記端末機器に前記第２のＣＳＩ−ＲＳリソースグループ内の前記第１の信号を送信する
ことを特徴とする請求項８５〜８８のいずれか１項に記載のネットワーク機器。
【請求項１０９】
前記第１のＣＳＩ−ＲＳリソースグループに対応する前記第１のオフセットと前記第２のＣＳＩ−ＲＳリソースグループに対応する前記第１のオフセットとの間は、Ｋスロットの差があり、Ｋは、１以上の整数である
ことを特徴とする請求項１０８に記載のネットワーク機器。
【請求項１１０】
Ｋ＝１である
ことを特徴とする請求項１０９に記載のネットワーク機器。
【請求項１１１】
前記第１の信号は、トラッキング用の非周期的ＣＳＩ−ＲＳ信号である
ことを特徴とする請求項８５〜１１０のいずれか１項に記載のネットワーク機器。
【請求項１１２】
前記第１の構成情報は、無線リソース制御ＲＲＣシグナリングであり、前記第１の指示情報は、ダウンリンク制御情報ＤＣＩシグナリングである
ことを特徴とする請求項８５〜１１１のいずれか１項に記載の情報決定方法。
【請求項１１３】
前記端末機器は、プロセッサー、メモリ及び通信インターフェースを備え、前記プロセッサーは、前記メモリ及び前記通信インターフェースと接続され、前記メモリは、命令を記憶するために使用され、前記プロセッサーは、前記命令を実行するために使用され、前記通信インターフェースは、前記プロセッサーの制御で他のネットワーク要素と通信するために使用され、前記プロセッサーにより前記メモリに記憶された命令を実行するとき、前記実行により、前記プロセッサーが請求項１〜５６のいずれか１項に記載の情報決定方法を実行する
ことを特徴とする通信機器。
【請求項１１４】
請求項１〜５７のいずれか１項に記載の情報決定方法をコンピュータに実行させるコンピュータプログラムを記憶するために使用される
ことを特徴とする記録媒体。
【請求項１１５】
チップが実装された機器が請求項１〜５７のいずれか１項に記載の情報決定方法を実行するように、メモリからコンピュータプログラムを呼び出して実行するためのプロセッサーを備える
ことを特徴とするチップ。
【請求項１１６】
端末機器及びネットワーク機器を備え、ここで、
前記端末機器は、
ネットワーク機器により送信された第１の構成情報を受信し、前記第１の構成情報は、少なくとも１つのチャネル状態情報参照信号ＣＳＩ−ＲＳリソースグループを構成し、及び前記少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、前記少なくとも１つのＣＳＩ−ＲＳリソースグループは、第１の信号を決定するために使用され、前記第１の信号は、Ｑ個のスロットを占有し、Ｐ及びＱは、２以上の整数であり、
前記ネットワーク機器により送信された第１の指示情報を受信し、前記第１の指示情報は、前記端末機器が前記第１の信号を受信するようにトリガーするために使用され、
前記第１の指示情報に応答して、前記第１の構成情報に基づいて前記第１の信号を受信するために使用され、
前記ネットワーク機器は、
端末機器に第１の構成情報を送信し、前記第１の構成情報は、少なくとも１つのチャネル状態情報参照信号ＣＳＩ−ＲＳリソースグループを構成し、及び前記少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、前記少なくとも１つのＣＳＩ−ＲＳリソースグループは、第１の信号を決定するために使用され、前記第１の信号は、Ｑ個のスロットを占有し、Ｐ及びＱは、２以上の整数であり、
前記端末機器に第１の指示情報を送信し、前記第１の指示情報は、前記端末機器が前記第１の信号を受信するようにトリガーするために使用され、
前記第１の構成情報に基づいて前記端末機器に前記第１の信号を送信するために使用される
ことを特徴とする無線通信システム。
【発明の詳細な説明】
【技術分野】
【０００１】
本発明の実施例は、通信分野に関し、より詳細には、情報決定方法、端末機器及びネットワーク機器に関する。
【背景技術】
【０００２】
ロングタームエボリューション（Ｌｏｎｇ  Ｔｅｒｍ  Ｅｖｏｌｕｔｉｏｎ，ＬＴＥ）システムでは、端末機器は、セル固有参照信号（Ｃｅｌｌ−ｓｐｅｃｉｆｉｃ  Ｒｅｆｅｒｅｎｃｅ  Ｓｉｇｎａｌ，ＣＲＳ）及び／又は同期信号を使用してより良い時間周波数同期性能（ｔｉｍｉｎｇ／ｆｒｅｑｕｅｎｃｙ  ｔｒａｃｋｉｎｇ、又は、ｔｉｍｉｎｇ／ｆｒｅｑｕｅｎｃｙ  ｓｙｎｃｈｒｏｎｉｚａｔｉｏｎ）を得ることができる。
【０００３】
新無線（Ｎｅｗ  Ｒａｄｉｏ，ＮＲ）システムでは、端末機器は、トラッキング信号（Ｔｒａｃｋｉｎｇ  Ｒｅｆｅｒｅｎｃｅ  Ｓｉｇｎａｌ，ＴＲＳ、又は、Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ  ｆｏｒ  ｔｒａｃｋｉｎｇ，ＣＳＩ−ＲＳ  ｆｏｒ  ｔｒａｃｋｉｎｇ）によってタイミング及び／又は周波数のトラッキング／同期を行うことができる。しかしながら、現段階のＮＲシステムでは、タイミング及び／又は周波数のトラッキング／同期は、主にチャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ，ＣＳＩ−ＲＳ）リソースの周期的グループからなる周期的トラッキング信号（Ｐｅｒｉｏｄｉｃ  ＴＲＳ，Ｐ−ＴＲＳ）によって行われ、非周期的トラッキング信号（Ａｐｅｒｉｏｄｉｃ  ＴＲＳ，Ａ−ＴＲＳ）がタイミング及び／又は周波数のトラッキング／同期を実現するためにどのように構成されるかには関係しない。
【発明の概要】
【発明が解決しようとする課題】
【０００４】
本発明の実施例は、タイミング及び／又は周波数のトラッキング／同期性能を向上させ、システム全体の性能を改善させることができる情報決定方法、端末機器及びネットワーク機器を提供する。
【課題を解決するための手段】
【０００５】
第１の態様によれば、情報決定方法が提供され、この方法は、
端末機器が、ネットワーク機器により送信された第１の構成情報を受信し、この第１の構成情報は、少なくとも１つのＣＳＩ−ＲＳリソースグループを構成し、及びこの少なくとも１つのＣＳＩ−ＲＳリソースグループに対する第１のオフセット（ａｐｅｒｉｏｄｉｃ  ｔｒｉｇｇｅｒｉｎｇ  ｏｆｆｓｅｔ）を指示するために使用され、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロット（ｓｌｏｔ）を占有し、Ｐ及びＱは、２以上の整数であるステップと、
この端末機器が、このネットワーク機器により送信された第１の指示情報を受信し、この第１の指示情報は、この端末機器がこの第１の信号を受信するようにトリガーするために使用されるステップと、
この第１の指示情報に応答して、この端末機器が、この第１の構成情報に基づいてこの第１の信号を受信するステップと、を含む。
【０００６】
選択的に、この端末機器は、この第１の信号を使用してタイミング及び／又は周波数のトラッキング／同期を行う。
【０００７】
なお、この少なくとも１つのＣＳＩ−ＲＳリソースグループに対する第１のオフセットに関して、各ＣＳＩ−ＲＳリソースグループが、それに対応する第１のオフセットを有してもよい。例えば、この少なくとも１つのＣＳＩ−ＲＳリソースグループは、ＣＳＩ−ＲＳリソースグループ１及びＣＳＩ−ＲＳリソースグループ２を含み、ＣＳＩ−ＲＳリソースグループ１は、第１のオフセットａに対応し、ＣＳＩ−ＲＳリソースグループ２は、第１のオフセットｂに対応する。
【０００８】
したがって、本発明の実施例では、端末機器は、第１の構成情報に基づいて第１の信号を受信することができ、これにより、第１の信号を使用してタイミング及び／又は周波数のトラッキング／同期を行うことができ、タイミング及び／又は周波数のトラッキング／同期性能を向上させ、システム全体の性能を改善させた。
【０００９】
幾つかの可能な実現形態では、この第１の構成情報はまた、この少なくとも１つのＣＳＩ−ＲＳリソースグループに対応する第１の指示パラメータを構成するために使用され、この第１の指示パラメータは、この少なくとも１つのＣＳＩ−ＲＳリソースグループの用途を指示するために使用される。
【００１０】
幾つかの可能な実現形態では、この第１の指示パラメータは、パラメータｔｒｓ−Ｉｎｆｏである。
【００１１】
幾つかの可能な実現形態では、この少なくとも１つのＣＳＩ−ＲＳリソースグループは、第１のＣＳＩ−ＲＳリソースグループを含み、Ｐ＝Ｑ＝２であり、
この端末機器が、この第１の構成情報に基づいてこの第１の信号を受信するステップは、
この端末機器が、この第１の指示情報を受信したとき、この第１のオフセットに基づいてスロットｎを決定し、ｎは、０以上の整数であるステップと、
この端末機器が、このスロットｎに基づいて第１のスロット及び第２のスロットを決定し、及びこの第１のスロット及びこの第２のスロットでこの第１のＣＳＩ−ＲＳリソースグループ内のこの第１の信号を受信するステップと、を含む。
【００１２】
幾つかの可能な実現形態では、この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【００１３】
幾つかの可能な実現形態では、この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝Ｑ＝２であり、
この端末機器が、この第１の構成情報に基づいてこの第１の信号を受信するステップは、
この端末機器が、この第１の指示情報を受信したとき、この第１のオフセット及びこの第２のオフセットに基づいてスロットｎ及びスロットｍを決定し、ｎ及びｍは、０以上の整数であるステップと、
この端末機器が、このスロットｎ及びこのスロットｍでこの第１のＣＳＩ−ＲＳリソースグループ内のこの第１の信号を受信するステップと、を含む。
【００１４】
幾つかの可能な実現形態では、この端末機器が、この第１の指示情報を受信したとき、この第１のオフセット及びこの第２のオフセットに基づいてスロットｎ及びスロットｍを決定するステップは、
この端末機器が、この第１の指示情報を受信したとき、この第１のオフセットに基づいてこのスロットｎを決定し、及びこの第２のオフセットに基づいてこのスロットｍを決定するステップ、又は
この端末機器が、この第１の指示情報を受信したとき、この第１のオフセットに基づいてこのスロットｎを決定し、及びこの第１のオフセット及びこの第２のオフセットに基づいてこのスロットｍを決定するステップを含む。
【００１５】
幾つかの可能な実現形態では、このスロットｎとこのスロットｍとは、２つの連続するスロットであり、又は
このスロットｍは、このスロットｎの後のこの第１の信号を伝送できる最初の有効なダウンリンクスロットである。
【００１６】
幾つかの可能な実現形態では、この少なくとも１つのＣＳＩ−ＲＳリソースグループは、第１のＣＳＩ−ＲＳリソースグループを含み、Ｐ＝４、Ｑ＝２であり、
この端末機器が、この第１の構成情報に基づいてこの第１の信号を受信するステップは、
この端末機器が、この第１の指示情報を受信したとき、この第１のオフセットに基づいてスロットｎを決定し、ｎは、０以上の整数であるステップと、
この端末機器が、このスロットｎに基づいて第１のスロット及び第２のスロットを決定し、及びこの第１のスロット及びこの第２のスロットでこの第１のＣＳＩ−ＲＳリソースグループ内のこの第１の信号を受信するステップと、を含む。
【００１７】
幾つかの可能な実現形態では、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
この端末機器が、この第１のスロット及びこの第２のスロットでこの第１のＣＳＩ−ＲＳリソースグループ内のこの第１の信号を受信するステップは、
この端末機器が、この第１のＣＳＩ−ＲＳリソースグループ構成情報における４つのＣＳＩ−ＲＳリソースの位置順に基づき、この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであるステップ、又は
この端末機器が、この第１のＣＳＩ−ＲＳリソースグループ内の４つのＣＳＩ−ＲＳリソースの識別子ＩＤに基づき、この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであるステップ、又は
この端末機器が、この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信し、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じであるステップを含む。
【００１８】
幾つかの可能な実現形態では、この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【００１９】
幾つかの可能な実現形態では、この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝４、Ｑ＝２であり、
この端末機器が、この第１の構成情報に基づいてこの第１の信号を受信するステップは、
この端末機器が、この第１の指示情報を受信したとき、この第１のオフセット及びこの第２のオフセットに基づいてスロットｎ及びスロットｍを決定し、ｎ及びｍは、０以上の整数であるステップと、
この端末機器が、このスロットｎ及びこのスロットｍでこの第１のＣＳＩ−ＲＳリソースグループ内のこの第１の信号を受信するステップと、を含む。
【００２０】
幾つかの可能な実現形態では、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
この端末機器が、このスロットｎ及びこのスロットｍでこの第１のＣＳＩ−ＲＳリソースグループ内のこの第１の信号を受信するステップは、
この端末機器が、この第１のＣＳＩ−ＲＳリソースグループ構成情報における４つのＣＳＩ−ＲＳリソースの位置順に基づき、このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであるステップ、又は
この端末機器が、この第１のＣＳＩ−ＲＳリソースグループ内の４つのＣＳＩ−ＲＳリソースの識別子ＩＤに基づき、このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであるステップ、又は
この端末機器が、このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信し、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じであるステップを含む。
【００２１】
幾つかの可能な実現形態では、この端末機器が、この第１の指示情報を受信したとき、この第１のオフセット及びこの第２のオフセットに基づいてスロットｎ及びスロットｍを決定するステップは、
この端末機器が、この第１の指示情報を受信したとき、この第１のオフセットに基づいてこのスロットｎを決定し、及びこの第２のオフセットに基づいてこのスロットｍを決定するステップ、又は
この端末機器が、この第１の指示情報を受信したとき、この第１のオフセットに基づいてこのスロットｎを決定し、及びこの第１のオフセット及びこの第２のオフセットに基づいてこのスロットｍを決定するステップを含む。
【００２２】
幾つかの可能な実現形態では、このスロットｎとこのスロットｍとは、２つの連続するスロットであり、又は
このスロットｍは、このスロットｎの後のこの第１の信号を伝送できる最初の有効なダウンリンクスロットである。
【００２３】
幾つかの可能な実現形態では、この少なくとも１つのＣＳＩ−ＲＳリソースグループは、第１のＣＳＩ−ＲＳリソースグループを含み、この第１の構成情報はまた、この第１のＣＳＩ−ＲＳリソースグループ内の各ＣＳＩ−ＲＳリソースに対する第３のオフセットを指示するために使用され、Ｐ＝４、Ｑ＝２であり、
この端末機器が、この第１の構成情報に基づいてこの第１の信号を受信するステップは、
この端末機器が、この第１の指示情報を受信したとき、この第１のオフセット及び第１のＣＳＩ−ＲＳリソースに対する第３のオフセットに基づいてスロットｎを決定し、又は、この端末機器が、この第１の指示情報を受信したとき、第１のＣＳＩ−ＲＳリソースに対する第３のオフセットに基づいてスロットｎを決定し、ここで、この第１のＣＳＩ−ＲＳリソースは、この第１のＣＳＩ−ＲＳリソースグループ内の４つのＣＳＩ−ＲＳリソースのうちのいずれか１つのＣＳＩ−ＲＳリソースであり、ｎは、０以上の整数であるステップと、
この端末機器が、このスロットｎでこの第１のＣＳＩ−ＲＳリソース内のこの第１の信号を受信するステップと、を含む。
【００２４】
幾つかの可能な実現形態では、この第３のオフセットは具体的に、この第１のＣＳＩ−ＲＳリソースグループ内に構成され、又は、具体的に、それに対応するＣＳＩ−ＲＳリソース内に構成される。
【００２５】
幾つかの可能な実現形態では、この第３のオフセットが具体的に、この第１のＣＳＩ−ＲＳリソースグループ内に構成される場合、
この第１のＣＳＩ−ＲＳリソースグループ内のＣＳＩ−ＲＳリソースの一部又は全部は、この第３のオフセットが構成される。
【００２６】
幾つかの可能な実現形態では、この第１のＣＳＩ−ＲＳリソースグループに、第３のオフセットが構成されていないＣＳＩ−ＲＳリソースが少なくとも１つ含まれる場合、この第１の構成情報は、この第３のオフセットが構成されていない少なくとも１つのＣＳＩ−ＲＳリソースのうちの各ＣＳＩ−ＲＳリソースに対応するこの第３のオフセットを事前構成値として指示する。
【００２７】
幾つかの可能な実現形態では、この第３のオフセットが具体的に、それに対応するＣＳＩ−ＲＳリソース内に構成される場合、この第１のＣＳＩ−ＲＳリソースグループは、第２のＣＳＩ−ＲＳリソースを含み、
この第２のＣＳＩ−ＲＳリソース内にこの第３のオフセットが構成されない場合、この第１の構成情報は、この第２のＣＳＩ−ＲＳリソースに対応するこの第３のオフセットを事前構成値として指示する。
【００２８】
幾つかの可能な実現形態では、この事前構成値は、０である。
【００２９】
幾つかの可能な実現形態では、この第３のオフセットが具体的に、それに対応するＣＳＩ−ＲＳリソース内に構成される場合、この第１のＣＳＩ−ＲＳリソースに対応するこの第３のオフセットは、フィールドの指示に応じて周期的信号構成に従って解読した後に得られたオフセットによって決定される。
【００３０】
幾つかの可能な実現形態では、この少なくとも１つのＣＳＩ−ＲＳリソースグループは、第１のＣＳＩ−ＲＳリソースグループ及び第２のＣＳＩ−ＲＳリソースグループを含み、Ｐ＝Ｑ＝２であり、
この端末機器が、この第１の構成情報に基づいてこの第１の信号を受信するステップは、
この端末機器が、この第１の指示情報を受信したとき、この第１のＣＳＩ−ＲＳリソースグループに対応するこの第１のオフセットに基づいてスロットｎを決定し、及びこの第２のＣＳＩ−ＲＳリソースグループに対応するこの第１のオフセットに基づいてスロットｍを決定し、ｎ及びｍは、０以上の整数であるステップと、
この端末機器が、このスロットｎでこの第１のＣＳＩ−ＲＳリソースグループ内のこの第１の信号を受信し、及びこのスロットｍでこの第２のＣＳＩ−ＲＳリソースグループ内のこの第１の信号を受信するステップと、を含む。
【００３１】
幾つかの可能な実現形態では、この第１のＣＳＩ−ＲＳリソースグループに対応するこの第１のオフセットとこの第２のＣＳＩ−ＲＳリソースグループに対応するこの第１のオフセットとの間は、Ｋスロットの差があり、Ｋは、１以上の整数である。
【００３２】
幾つかの可能な実現形態では、Ｋ＝１である。
【００３３】
幾つかの可能な実現形態では、この第１の信号は、トラッキング用の非周期的ＣＳＩ−ＲＳ信号（Ａｐｅｒｉｏｄｉｃ  ＣＳＩ−ＲＳ  ｆｏｒ  Ｔｒａｃｋｉｎｇ）である。
【００３４】
幾つかの可能な実現形態では、この第１の構成情報は、無線リソース制御（Ｒａｄｉｏ  Ｒｅｓｏｕｒｃｅ  Ｃｏｎｔｒｏｌ，ＲＲＣ）シグナリングであり、この第１の指示情報は、ダウンリンク制御情報（Ｄｏｗｎｌｉｎｋ  Ｃｏｎｔｒｏｌ  Ｉｎｆｏｒｍａｔｉｏｎ，ＤＣＩ）シグナリングである。
【００３５】
第２の態様によれば、情報決定方法が提供され、この方法は、
ネットワーク機器が、端末機器に第１の構成情報を送信し、この第１の構成情報は、少なくとも１つのＣＳＩ−ＲＳリソースグループを構成し、及びこの少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロットを占有し、Ｐ及びＱは、２以上の整数であるステップと、
このネットワーク機器が、この端末機器に第１の指示情報を送信し、この第１の指示情報は、この端末機器がこの第１の信号を受信するようにトリガーするために使用されるステップと、
このネットワーク機器が、この第１の構成情報に基づいてこの端末機器にこの第１の信号を送信するステップと、を含む。
【００３６】
選択的に、この端末機器は、この第１の信号を使用してタイミング及び／又は周波数のトラッキング／同期を行う。
【００３７】
したがって、本発明の実施例では、ネットワーク機器は、端末機器に第１の構成情報を送信し、端末機器に端末機器が第１の信号を受信するようにトリガーするための第１の指示情報を送信し、及び第１の構成情報に基づいて第１の信号を送信し、これにより、端末機器は、第１の構成情報に基づいて第１の信号を受信することができ、さらに、第１の信号を使用してタイミング及び／又は周波数のトラッキング／同期を行うことができ、タイミング及び／又は周波数のトラッキング／同期性能を向上させ、システム全体の性能を改善させた。
【００３８】
幾つかの可能な実現形態では、この第１の構成情報はまた、この少なくとも１つのＣＳＩ−ＲＳリソースグループに対応する第１の指示パラメータを構成するために使用され、この第１の指示パラメータは、この少なくとも１つのＣＳＩ−ＲＳリソースグループの用途を指示するために使用される。
【００３９】
幾つかの可能な実現形態では、この第１の指示パラメータは、パラメータｔｒｓ−Ｉｎｆｏである。
【００４０】
幾つかの可能な実現形態では、この少なくとも１つのＣＳＩ−ＲＳリソースグループは、第１のＣＳＩ−ＲＳリソースグループを含み、Ｐ＝Ｑ＝２であり、
このネットワーク機器が、この第１の構成情報に基づいてこの端末機器にこの第１の信号を送信するステップは、
このネットワーク機器が、この第１の指示情報を送信するとき、この第１のオフセットに基づいてスロットｎを決定し、ｎは、０以上の整数であるステップと、
このネットワーク機器が、このスロットｎに基づいて第１のスロット及び第２のスロットを決定し、及びこの第１のスロット及びこの第２のスロットでこの端末機器にこの第１のＣＳＩ−ＲＳリソースグループ内のこの第１の信号を送信するステップと、を含む。
【００４１】
幾つかの可能な実現形態では、この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【００４２】
幾つかの可能な実現形態では、この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝Ｑ＝２であり、
このネットワーク機器が、この第１の構成情報に基づいてこの端末機器にこの第１の信号を送信するステップは、
このネットワーク機器が、この第１の指示情報を送信するとき、この第１のオフセット及びこの第２のオフセットに基づいてスロットｎ及びスロットｍを決定し、ｎ及びｍは、０以上の整数であるステップと、
このネットワーク機器が、このスロットｎ及びこのスロットｍでこの端末機器にこの第１のＣＳＩ−ＲＳリソースグループ内のこの第１の信号を送信するステップと、を含む。
【００４３】
幾つかの可能な実現形態では、このネットワーク機器が、この第１の指示情報を送信するとき、この第１のオフセット及びこの第２のオフセットに基づいてスロットｎ及びスロットｍを決定するステップは、
このネットワーク機器が、この第１の指示情報を送信するとき、この第１のオフセットに基づいてこのスロットｎを決定し、及びこの第２のオフセットに基づいてこのスロットｍを決定するステップ、又は
このネットワーク機器が、この第１の指示情報を送信するとき、この第１のオフセットに基づいてこのスロットｎを決定し、及びこの第１のオフセット及びこの第２のオフセットに基づいてこのスロットｍを決定するステップを含む。
【００４４】
幾つかの可能な実現形態では、このスロットｎとこのスロットｍとは、２つの連続するスロットであり、又は
このスロットｍは、このスロットｎの後のこの第１の信号を伝送できる最初の有効なダウンリンクスロットである。
【００４５】
幾つかの可能な実現形態では、この少なくとも１つのＣＳＩ−ＲＳリソースグループは、第１のＣＳＩ−ＲＳリソースグループを含み、Ｐ＝４、Ｑ＝２であり、
このネットワーク機器が、この第１の構成情報に基づいてこの端末機器にこの第１の信号を送信するステップは、
このネットワーク機器が、この第１の指示情報を送信するとき、この第１のオフセットに基づいてスロットｎを決定し、ｎは、０以上の整数であるステップと、
このネットワーク機器が、このスロットｎに基づいて第１のスロット及び第２のスロットを決定し、及びこの第１のスロット及びこの第２のスロットでこの端末機器にこの第１のＣＳＩ−ＲＳリソースグループ内のこの第１の信号を送信するステップと、を含む。
【００４６】
幾つかの可能な実現形態では、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
このネットワーク機器が、この第１のスロット及びこの第２のスロットでこの端末機器にこの第１のＣＳＩ−ＲＳリソースグループ内のこの第１の信号を送信するステップは、
このネットワーク機器が、この第１のＣＳＩ−ＲＳリソースグループ構成情報における４つのＣＳＩ−ＲＳリソースの位置順に基づき、この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであるステップ、又は
このネットワーク機器が、この第１のＣＳＩ−ＲＳリソースグループ内の４つのＣＳＩ−ＲＳリソースの識別子ＩＤに基づき、この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであるステップ、又は
このネットワーク機器が、この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信し、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じであるステップを含む。
【００４７】
幾つかの可能な実現形態では、この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【００４８】
幾つかの可能な実現形態では、この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝４、Ｑ＝２であり、
このネットワーク機器が、この第１の構成情報に基づいてこの端末機器にこの第１の信号を送信するステップは、
このネットワーク機器が、この第１の指示情報を送信するとき、この第１のオフセット及びこの第２のオフセットに基づいてスロットｎ及びスロットｍを決定し、ｎ及びｍは、０以上の整数であるステップと、
このネットワーク機器が、このスロットｎ及びこのスロットｍでこの端末機器にこの第１のＣＳＩ−ＲＳリソースグループ内のこの第１の信号を送信するステップと、を含む。
【００４９】
幾つかの可能な実現形態では、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
このネットワーク機器が、このスロットｎ及びこのスロットｍでこの端末機器にこの第１のＣＳＩ−ＲＳリソースグループ内のこの第１の信号を送信するステップは、
このネットワーク機器が、この第１のＣＳＩ−ＲＳリソースグループ構成情報における４つのＣＳＩ−ＲＳリソースの位置順に基づき、このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであるステップ、又は
このネットワーク機器が、この第１のＣＳＩ−ＲＳリソースグループ内の４つのＣＳＩ−ＲＳリソースの識別子ＩＤに基づき、このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであるステップ、又は
このネットワーク機器が、このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信し、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じであるステップを含む。
【００５０】
幾つかの可能な実現形態では、このネットワーク機器が、この第１の指示情報を送信するとき、この第１のオフセット及びこの第２のオフセットに基づいてスロットｎ及びスロットｍを決定するステップは、
このネットワーク機器が、この第１の指示情報を送信するとき、この第１のオフセットに基づいてこのスロットｎを決定し、及びこの第２のオフセットに基づいてこのスロットｍを決定するステップ、又は
このネットワーク機器が、この第１の指示情報を送信するとき、この第１のオフセットに基づいてこのスロットｎを決定し、及びこの第１のオフセット及びこの第２のオフセットに基づいてこのスロットｍを決定するステップを含む。
【００５１】
幾つかの可能な実現形態では、このスロットｎとこのスロットｍとは、２つの連続するスロットであり、又は
このスロットｍは、このスロットｎの後のこの第１の信号を伝送できる最初の有効なダウンリンクスロットである。
【００５２】
幾つかの可能な実現形態では、この少なくとも１つのＣＳＩ−ＲＳリソースグループは、第１のＣＳＩ−ＲＳリソースグループを含み、この第１の構成情報はまた、この第１のＣＳＩ−ＲＳリソースグループ内の各ＣＳＩ−ＲＳリソースに対する第３のオフセットを指示するために使用され、Ｐ＝４、Ｑ＝２であり、
このネットワーク機器が、この第１の構成情報に基づいてこの端末機器にこの第１の信号を送信するステップは、
このネットワーク機器が、この第１の指示情報を送信するとき、この第１のオフセット及び第１のＣＳＩ−ＲＳリソースに対する第３のオフセットに基づいてスロットｎを決定し、又は、このネットワーク機器が、この第１の指示情報を送信するとき、第１のＣＳＩ−ＲＳリソースに対する第３のオフセットに基づいてスロットｎを決定し、ここで、この第１のＣＳＩ−ＲＳリソースは、この第１のＣＳＩ−ＲＳリソースグループ内の４つのＣＳＩ−ＲＳリソースのうちのいずれか１つのＣＳＩ−ＲＳリソースであり、ｎは、０以上の整数であるステップと、
このネットワーク機器が、このスロットｎでこの端末機器にこの第１のＣＳＩ−ＲＳリソース内のこの第１の信号を送信するステップと、を含む。
【００５３】
幾つかの可能な実現形態では、この第３のオフセットは具体的に、この第１のＣＳＩ−ＲＳリソースグループ内に構成され、又は、具体的に、それに対応するＣＳＩ−ＲＳリソース内に構成される。
【００５４】
幾つかの可能な実現形態では、この第３のオフセットが具体的に、この第１のＣＳＩ−ＲＳリソースグループ内に構成される場合、
この第１のＣＳＩ−ＲＳリソースグループ内のＣＳＩ−ＲＳリソースの一部又は全部は、この第３のオフセットが構成される。
【００５５】
幾つかの可能な実現形態では、この第１のＣＳＩ−ＲＳリソースグループに、第３のオフセットが構成されていないＣＳＩ−ＲＳリソースが少なくとも１つ含まれる場合、この第１の構成情報は、この第３のオフセットが構成されていない少なくとも１つのＣＳＩ−ＲＳリソースのうちの各ＣＳＩ−ＲＳリソースに対応するこの第３のオフセットを事前構成値として指示する。
【００５６】
幾つかの可能な実現形態では、この第３のオフセットが具体的に、それに対応するＣＳＩ−ＲＳリソース内に構成される場合、この第１のＣＳＩ−ＲＳリソースグループは、第２のＣＳＩ−ＲＳリソースを含み、
この第２のＣＳＩ−ＲＳリソース内にこの第３のオフセットが構成されない場合、この第１の構成情報は、この第２のＣＳＩ−ＲＳリソースに対応するこの第３のオフセットを事前構成値として指示する。
【００５７】
幾つかの可能な実現形態では、この事前構成値は、０である。
【００５８】
幾つかの可能な実現形態では、この第３のオフセットが具体的に、それに対応するＣＳＩ−ＲＳリソース内に構成される場合、この第１のＣＳＩ−ＲＳリソースに対応するこの第３のオフセットは、フィールドの指示に応じて周期的信号構成に従って解読した後に得られたオフセットによって決定される。
【００５９】
幾つかの可能な実現形態では、この少なくとも１つのＣＳＩ−ＲＳリソースグループは、第１のＣＳＩ−ＲＳリソースグループ及び第２のＣＳＩ−ＲＳリソースグループを含み、Ｐ＝Ｑ＝２であり、
このネットワーク機器が、この第１の構成情報に基づいてこの端末機器にこの第１の信号を送信するステップは、
このネットワーク機器が、この第１の指示情報を送信するとき、この第１のＣＳＩ−ＲＳリソースグループに対応するこの第１のオフセットに基づいてスロットｎを決定し、及びこの第２のＣＳＩ−ＲＳリソースグループに対応するこの第１のオフセットに基づいてスロットｍを決定し、ｎ及びｍは、０以上の整数であるステップと、
このネットワーク機器が、このスロットｎでこの端末機器にこの第１のＣＳＩ−ＲＳリソースグループ内のこの第１の信号を送信し、及びこのスロットｍでこの端末機器にこの第２のＣＳＩ−ＲＳリソースグループ内のこの第１の信号を送信するステップと、を含む。
【００６０】
幾つかの可能な実現形態では、この第１のＣＳＩ−ＲＳリソースグループに対応するこの第１のオフセットとこの第２のＣＳＩ−ＲＳリソースグループに対応するこの第１のオフセットとの間は、Ｋスロットの差があり、Ｋは、１以上の整数である。
【００６１】
幾つかの可能な実現形態では、Ｋ＝１である。
【００６２】
幾つかの可能な実現形態では、この第１の信号は、トラッキング用の非周期的ＣＳＩ−ＲＳ信号である。
【００６３】
幾つかの可能な実現形態では、この第１の構成情報は、ＲＲＣシグナリングであり、この第１の指示情報は、ＤＣＩシグナリングである。
【００６４】
第３の態様によれば、上記第１の態様又はその様々な実現形態における方法を実行するための端末機器が提供される。
【００６５】
具体的に、この端末機器は、上記第１の態様又はその様々な実現形態における方法を実行するための機能モジュールを備える。
【００６６】
第４の態様によれば、上記第２の態様又はその様々な実現形態における方法を実行するためのネットワーク機器が提供される。
【００６７】
具体的に、このネットワーク機器は、上記第２の態様又はその様々な実現形態における方法を実行するための機能モジュールを備える。
【００６８】
第５の態様によれば、プロセッサー及びメモリを備える端末機器が提供される。このメモリは、コンピュータプログラムを記憶するために使用され、このプロセッサーは、このメモリに記憶されているコンピュータプログラムを呼び出して実行するために使用され、これにより、上記第１の態様又はその様々な実現形態における方法が実行される。
【００６９】
第６の態様によれば、プロセッサー及びメモリを備えるネットワーク機器が提供される。このメモリは、コンピュータプログラムを記憶するために使用され、このプロセッサーは、このメモリに記憶されているコンピュータプログラムを呼び出して実行するために使用され、これにより、上記第２の態様又はその様々な実現形態における方法が実行される。
【００７０】
第７の態様によれば、上記第１の態様乃至第２の態様のいずれか１つ又はその様々な実現形態における方法を実現するためのチップが提供される。
【００７１】
具体的に、このチップは、このチップが実装された機器が上記第１の態様乃至第２の態様のいずれか１つ又はその様々な実現形態における方法を実行するように、メモリからコンピュータプログラムを呼び出して実行するためのプロセッサーを備える。
【００７２】
第８の態様によれば、上記第１の態様乃至第２の態様のいずれか１つ又はその様々な実現形態における方法をコンピュータに実行させるコンピュータプログラムを記憶するためのコンピュータ読み取り可能な記録媒体が提供される。
【００７３】
第９の態様によれば、上記第１の態様乃至第２の態様のいずれか１つ又はその様々な実現形態における方法をコンピュータに実行させるコンピュータプログラム命令を含むコンピュータプログラム製品が提供される。
【００７４】
第１０の態様によれば、コンピュータ上で実行されるとき、上記第１の態様乃至第２の態様のいずれか１つ又はその様々な実現形態における方法をコンピュータに実行させるコンピュータプログラムが提供される。
【００７５】
第１１の態様によれば、端末機器及びネットワーク機器を備える無線通信システムが提供され、ここで、
この端末機器は、ネットワーク機器により送信された第１の構成情報を受信し、この第１の構成情報は、少なくとも１つのＣＳＩ−ＲＳリソースグループを構成し、及びこの少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロットを占有し、Ｐ及びＱは、２以上の整数であり、このネットワーク機器により送信された第１の指示情報を受信し、この第１の指示情報は、この端末機器がこの第１の信号を受信するようにトリガーするために使用され、この第１の指示情報に応答して、この第１の構成情報に基づいてこの第１の信号を受信するために使用され、
このネットワーク機器は、端末機器に第１の構成情報を送信し、この第１の構成情報は、少なくとも１つのＣＳＩ−ＲＳリソースグループを構成し、及びこの少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロットを占有し、Ｐ及びＱは、２以上の整数であり、この端末機器に第１の指示情報を送信し、この第１の指示情報は、この端末機器がこの第１の信号を受信するようにトリガーするために使用され、この第１の構成情報に基づいてこの端末機器にこの第１の信号を送信するために使用される。
【００７６】
具体的に、この端末機器は、上記第１の態様又はその様々な実現形態における方法を実行するために使用され、及びこのネットワーク機器は、上記第２の態様又はその様々な実現形態における方法を実行するために使用される。
【図面の簡単な説明】
【００７７】
【図１】本発明の実施例の応用シーンの模式図である。
【図２】本発明の一実施例に係る情報決定方法の概略フローチャートである。
【図３】本発明の別の実施例に係る情報決定方法の概略フローチャートである。
【図４】本発明の実施例に係る端末機器の概略ブロック図である。
【図５】本発明の実施例に係るネットワーク機器の概略ブロック図である。
【図６】本発明の実施例に係る通信機器の概略ブロック図である。
【図７】本発明の実施例に係るチップの概略ブロック図である。
【図８】本発明の実施例に係る無線通信システムの概略ブロック図である。
【発明を実施するための形態】
【００７８】
以下、本発明の実施例に係る図面を参照しながら、本発明の技術手段について説明する。
【００７９】
本発明の実施例は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ，ＧＳＭ）システム、符号分割多元接続（Ｃｏｄｅ  Ｄｉｖｉｓｉｏｎ  Ｍｕｌｔｉｐｌｅ  Ａｃｃｅｓｓ，ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ，ＧＰＲＳ）、ロングタームエボリューション（Ｌｏｎｇ  Ｔｅｒｍ  Ｅｖｏｌｕｔｉｏｎ，ＬＴＥ）システム、アドバンストロングタームエボリューション（Ａｄｖａｎｃｅｄ  ｌｏｎｇ  ｔｅｒｍ  ｅｖｏｌｕｔｉｏｎ，ＬＴＥ−Ａ）システム、新無線（Ｎｅｗ  Ｒａｄｉｏ，ＮＲ）システム、ＮＲシステムの進化システム、アンライセンスバンドに基づくＬＴＥ（ＬＴＥ−ｂａｓｅｄ  ａｃｃｅｓｓ  ｔｏ  ｕｎｌｉｃｅｎｓｅｄ  ｓｐｅｃｔｒｕｍ，ＬＴＥ−Ｕ）システム、アンライセンスバンドに基づくＮＲ（ＮＲ−ｂａｓｅｄ  ａｃｃｅｓｓ  ｔｏ  ｕｎｌｉｃｅｎｓｅｄ  ｓｐｅｃｔｒｕｍ，ＮＲ−Ｕ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ，ＵＭＴＳ）、無線ＬＡＮ（Ｗｉｒｅｌｅｓｓ  Ｌｏｃａｌ  Ａｒｅａ  Ｎｅｔｗｏｒｋｓ，ＷＬＡＮ）、ワイファイ（Ｗｉｒｅｌｅｓｓ  ＦＩＤｅｌｉｔｙ，ＷｉＦｉ）、次世代通信システム、又は他の通信システム等の様々な通信システムに適用されることができる。
【００８０】
一般的に、従来の通信システムは、限られた数の接続しかサポートせず、実現も容易であるが、通信技術の発展に伴い、移動通信システムは、従来の通信をサポートするだけでなく、例えば、機器ツー機器（Ｄｅｖｉｃｅ  ｔｏ  Ｄｅｖｉｃｅ，Ｄ２Ｄ）通信、マシンツーマシン（Ｍａｃｈｉｎｅ  ｔｏ  Ｍａｃｈｉｎｅ，Ｍ２Ｍ）通信、マシンタイプ通信（Ｍａｃｈｉｎｅ  Ｔｙｐｅ  Ｃｏｍｍｕｎｉｃａｔｉｏｎ，ＭＴＣ）、及び車両間（Ｖｅｈｉｃｌｅ  ｔｏ  Ｖｅｈｉｃｌｅ，Ｖ２Ｖ）通信等もサポートするようになり、本発明の実施例は、これらの通信システムにも適用されることができる。
【００８１】
選択的に、本発明の実施例における通信システムは、キャリアアグリゲーション（Ｃａｒｒｉｅｒ  Ａｇｇｒｅｇａｔｉｏｎ，ＣＡ）シーンに適用されてもよいが、デュアルコネクティビティ（Ｄｕａｌ  Ｃｏｎｎｅｃｔｉｖｉｔｙ，ＤＣ）シーンに適用されてもよく、また、独立した（Ｓｔａｎｄａｌｏｎｅ，ＳＡ）ネットワークシーンに適用されてもよい。
【００８２】
本発明の実施例では、適用されるスペクトルについて限定をしない。例えば、本発明の実施例は、ライセンスバンドに適用されてもよいが、アンライセンスバンドに適用されてもよい。
【００８３】
本発明の実施例では、ネットワーク機器及び端末機器に関連して、各実施例を説明しており、ここで、端末機器は、ユーザ装置（Ｕｓｅｒ  Ｅｑｕｉｐｍｅｎｔ，ＵＥ）、アクセス端末、ユーザユニット、ユーザ局、移動局、モバイルステーション、遠隔局、遠隔端末、モバイル機器、ユーザ端末、端末、無線通信機器、ユーザエージェント又はユーザ装置等と称されてもよい。端末機器は、ＷＬＡＮにおけるステーション（ＳＴＡＩＯＮ，ＳＴ）であってもよく、携帯電話、コードレス電話、セッション確立プロトコル（Ｓｅｓｓｉｏｎ  Ｉｎｉｔｉａｔｉｏｎ  Ｐｒｏｔｏｃｏｌ，ＳＩＰ）電話、ワイヤレスローカルループ（Ｗｉｒｅｌｅｓｓ  Ｌｏｃａｌ  Ｌｏｏｐ，ＷＬＬ）局、携帯情報端末（Ｐｅｒｓｏｎａｌ  Ｄｉｇｉｔａｌ  Ａｓｓｉｓｔａｎｔ，ＰＤＡ）装置、無線通信機能のあるハンドヘルド装置、計算装置又は無線モデムに接続する他の処理装置、車載機器、ウェアラブル機器、及びＮＲネットワークにおける端末機器又は未来進化の公衆陸上移動体ネットワーク（Ｐｕｂｌｉｃ  Ｌａｎｄ  Ｍｏｂｉｌｅ  Ｎｅｔｗｏｒｋ，ＰＬＭＮ）における端末機器等の次世代通信システムであってもよい。
【００８４】
限定ではなく例として、本発明の実施例では、この端末機器はまた、ウェアラブル機器であってもよい。ウェアラブル機器は、ウェアラブルスマート機器と称されてもよく、ウェアラブル技術を適用して、メガネ、手袋、時計、衣服及び靴等の日常着用に対してスマート化設計を行って開発されたウェアラブル機器の総称である。即ち、ウェアラブル機器は、身に直接に着用され、又はユーザの服やアクセサリーに統合されている携帯用機器である。ウェアラブル機器は、単なるハードウェア機器でなく、さらに、ソフトウェアサポート、データインタラクション及びクラウドインタラクションによって、強力な機能を実現している。一般的なウェアラブルスマート機器には、フル機能、大サイズ、スマートフォンを依存することなく完全又は部分的な機能を実現することができるスマートウォッチやスマートメガネ等、及びいずれか１種類のアプリケーション機能のみに焦点を当て、スマートフォンのような他の機器と組み合わせて使用する必要があるサインモニタリング用の様々なスマートブレスレット、スマートジュエリー等が含まれる。
【００８５】
ネットワーク機器は、モバイル機器と通信するための機器であってもよく、ネットワーク機器は、ＷＬＡＮにおけるアクセスポイント（Ａｃｃｅｓｓ  Ｐｏｉｎｔ，ＡＰ）、ＧＳＭ又はＣＤＭＡにおける基地局（Ｂａｓｅ  Ｔｒａｎｓｃｅｉｖｅｒ  Ｓｔａｔｉｏｎ，ＢＴＳ）であってもよいが、ＷＣＤＭＡにおける基地局（ＮｏｄｅＢ，ＮＢ）であってもよく、また、ＬＴＥにおける進化型基地局（Ｅｖｏｌｕｔｉｏｎａｌ  Ｎｏｄｅ  Ｂ，ｅＮＢ又はｅＮｏｄｅＢ）、中継局、アクセスポイント、車載機器、ウェアラブル機器、及びＮＲネットワークにおけるネットワーク機器（ｇＮＢ）又は未来進化のＰＬＭＮネットワークにおけるネットワーク機器等であってもよい。
【００８６】
本発明の実施例では、ネットワーク機器が、セルに対してサービスを提供し、端末機器が、このセルで使用される伝送リソース（例えば、周波数区域リソース、又は、スペクトルリソース）によってネットワーク機器と通信を行い、このセルは、ネットワーク機器（例えば、基地局）に対応するセルであってもよく、セルは、マクロ基地局に属してもよいが、スモールセル（Ｓｍａｌｌ  ｃｅｌｌ）に対応する基地局に属してもよく、ここで、スモールセルは、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）等を含んでもよく、これらのスモールセルは、カバレッジが小さく、送信電力が低いという特徴を有しており、高速なデータ伝送サービスを提供するのに適している。
【００８７】
図１は、１つのネットワーク機器及び２つの端末機器を例示的に示しており、選択的に、この無線通信システム１００は、複数のネットワーク機器を備えてもよく、各ネットワーク機器のカバレッジ内に、他の数の端末機器が含まれてもよく、本発明の実施例では、これについて限定をしない。
【００８８】
選択的に、この無線通信システム１００はまた、モビリティ管理エンティティ（Ｍｏｂｉｌｉｔｙ  Ｍａｎａｇｅｍｅｎｔ  Ｅｎｔｉｔｙ，ＭＭＥ）、アクセス及びモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ，ＡＭＦ）等の他のネットワークエンティティを含んでもよいが、本発明の実施例はこれに限定されない。
【００８９】
本明細書における名詞「システム」及び「ネットワーク」は、本明細書においてしばしば互換的に使用されることが理解されるべきである。本明細書における用語「及び／又は」は、関連するオブジェクトを説明する関連付けにすぎず、３つの関係が存在できることを表し、例えば、Ａ及び／又はＢは、Ａが単独に存在し、Ａ及びＢが同時に存在し、Ｂが単独に存在するという３つの場合を表すことができる。また、本明細書における符号「／」は、一般的に前後関連するオブジェクトの間が「又は」の関係であることを表す。
【００９０】
図２は、本発明の実施例に係る情報決定方法２００の概略フローチャートである。この方法２００は選択的に、図１に示すシステムに適用されることができるが、それに限定されない。この方法２００は、下記の内容の少なくとも一部を含む。
【００９１】
Ｓ２１０：端末機器が、ネットワーク機器により送信された第１の構成情報を受信し、この第１の構成情報は、少なくとも１つのＣＳＩ−ＲＳリソースグループを構成し、及びこの少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロットを占有し、Ｐ及びＱは、２以上の整数である。
【００９２】
選択的に、この第１の構成情報は、ＲＲＣシグナリングである。
【００９３】
なお、この少なくとも１つのＣＳＩ−ＲＳリソースグループに対する第１のオフセットに関して、各ＣＳＩ−ＲＳリソースグループが、それに対応する第１のオフセットを有してもよい。例えば、この少なくとも１つのＣＳＩ−ＲＳリソースグループは、ＣＳＩ−ＲＳリソースグループ１及びＣＳＩ−ＲＳリソースグループ２を含み、ＣＳＩ−ＲＳリソースグループ１は、第１のオフセットａに対応し、ＣＳＩ−ＲＳリソースグループ２は、第１のオフセットｂに対応する。
【００９４】
選択的に、この端末機器は、この第１の信号を使用してタイミング及び／又は周波数のトラッキング／同期を行う。
【００９５】
選択的に、この第１の構成情報はまた、この少なくとも１つのＣＳＩ−ＲＳリソースグループに対応する第１の指示パラメータを構成するために使用され、この第１の指示パラメータは、この少なくとも１つのＣＳＩ−ＲＳリソースグループの用途を指示するために使用される。
【００９６】
例えば、この第１の指示パラメータは、パラメータｔｒｓ−Ｉｎｆｏである。
【００９７】
選択的に、この第１の信号は、トラッキング用の非周期的ＣＳＩ−ＲＳ信号である。この第１の信号は、非周期的トラッキング信号（Ａ−ＴＲＳ）と称されてもよい。
【００９８】
Ｓ２２０：この端末機器が、このネットワーク機器により送信された第１の指示情報を受信し、この第１の指示情報は、この端末機器がこの第１の信号を受信するようにトリガーするために使用される。
【００９９】
選択的に、この第１の指示情報は、ＤＣＩシグナリングである。
【０１００】
Ｓ２３０：この第１の指示情報に応答して、この端末機器が、この第１の構成情報に基づいてこの第１の信号を受信する。
【０１０１】
以下、具体的な実施例に関連して、本発明の実施例における情報決定方法２００について説明する。
【０１０２】
実施例１
この少なくとも１つのＣＳＩ−ＲＳリソースグループは、第１のＣＳＩ−ＲＳリソースグループを含み、Ｐ＝Ｑ＝２であり、つまり、この第１のＣＳＩ−ＲＳリソースグループは、２つのＣＳＩ−ＲＳリソースを含み、及びこの第１の信号は、２つのスロットを占有する（ｂｕｒｓｔ  ｌｅｎｇｔｈ  Ｘ＝２）。
【０１０３】
この第１の構成情報が指示するこの第１のオフセットは、この第１のＣＳＩ−ＲＳリソースグループに対するオフセットであることが理解されるべきである。
【０１０４】
具体的に、この実施例１では、
この端末機器が、この第１の指示情報を受信したとき、この第１のオフセットに基づいてスロットｎを決定し、ｎは、０以上の整数であり、
この端末機器が、このスロットｎに基づいて第１のスロット及び第２のスロットを決定し、及びこの第１のスロット及びこの第２のスロットでこの第１のＣＳＩ−ＲＳリソースグループ内のこの第１の信号を受信する。
【０１０５】
つまり、この第１のＣＳＩ−ＲＳリソースグループ内のこの第１の信号は、この第１のスロット及びこの第２のスロットのそれぞれで１回ずつ送信される。
【０１０６】
例えば、この端末機器がスロット１でこの第１の指示情報を受信し、この第１のオフセットが３である場合、ｎ＝４と決定することができ、即ち、この端末機器が、この第１の指示情報を受信したとき、この第１のオフセットに基づいてスロット４を決定する。
【０１０７】
選択的に、この実施例１では、
この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである（例えば、ＬＴＥ時分割複信（Ｔｉｍｅ  Ｄｉｖｉｓｉｏｎ  Ｄｕｐｌｅｘ，ＴＤＤ）システムでは、２つの連続するダウンリンクスロットの間に、アップリンクスロットが存在する可能性がある）。
【０１０８】
実施例２
この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝Ｑ＝２であり、つまり、この第１のＣＳＩ−ＲＳリソースグループは、２つのＣＳＩ−ＲＳリソースを含み、及びこの第１の信号は、２つのスロットを占有する。
【０１０９】
この第１の構成情報が指示するこの第１のオフセット及びこの第２のオフセットは、この第１のＣＳＩ−ＲＳリソースグループに対するオフセットであることが理解されるべきである。
【０１１０】
具体的に、この実施例２では、
この端末機器が、この第１の指示情報を受信したとき、この第１のオフセット及びこの第２のオフセットに基づいてスロットｎ及びスロットｍを決定し、ｎ及びｍは、０以上の整数であり、
この端末機器が、このスロットｎ及びこのスロットｍでこの第１のＣＳＩ−ＲＳリソースグループ内のこの第１の信号を受信する。
【０１１１】
つまり、この第１のＣＳＩ−ＲＳリソースグループ内のこの第１の信号は、このスロットｎ及びこのスロットｍのそれぞれで１回ずつ送信される。
【０１１２】
選択的に、この実施例２では、
この端末機器が、この第１の指示情報を受信したとき、この第１のオフセットに基づいてこのスロットｎを決定し、及びこの第２のオフセットに基づいてこのスロットｍを決定し、又は
この端末機器が、この第１の指示情報を受信したとき、この第１のオフセットに基づいてこのスロットｎを決定し、及びこの第１のオフセット及びこの第２のオフセットに基づいてこのスロットｍを決定する。
【０１１３】
例えば、この端末機器がスロット１でこの第１の指示情報を受信し、この第１のオフセットが３、この第２のオフセットが４である場合、ｎ＝４、及びｍ＝５と決定することができ、即ち、この端末機器が、この第１の指示情報を受信したとき、この第１のオフセットに基づいてスロット４を決定し、及びこの第２のオフセットに基づいてスロット５を決定する。
【０１１４】
また、例えば、この端末機器がスロット１でこの第１の指示情報を受信し、この第１のオフセットが３、この第２のオフセットが１である場合、ｎ＝４、及びｍ＝５と決定することができ、即ち、この端末機器が、この第１の指示情報を受信したとき、この第１のオフセットに基づいてスロット４を決定し、及びこの第１のオフセット及びこの第２のオフセットに基づいてスロット５を決定する。
【０１１５】
選択的に、この実施例２では、
このスロットｎとこのスロットｍとは、２つの連続するスロットであり、又は
このスロットｍは、このスロットｎの後のこの第１の信号を伝送できる最初の有効なダウンリンクスロットである。
【０１１６】
実施例３
この少なくとも１つのＣＳＩ−ＲＳリソースグループは、第１のＣＳＩ−ＲＳリソースグループを含み、Ｐ＝４、Ｑ＝２であり、つまり、この第１のＣＳＩ−ＲＳリソースグループは、４つのＣＳＩ−ＲＳリソースを含み、及びこの第１の信号は、２つのスロットを占有する。
【０１１７】
この第１の構成情報が指示するこの第１のオフセットは、この第１のＣＳＩ−ＲＳリソースグループに対するオフセットであることが理解されるべきである。
【０１１８】
具体的に、この実施例３では、
この端末機器が、この第１の指示情報を受信したとき、この第１のオフセットに基づいてスロットｎを決定し、ｎは、０以上の整数であり、
この端末機器が、このスロットｎに基づいて第１のスロット及び第２のスロットを決定し、及びこの第１のスロット及びこの第２のスロットでこの第１のＣＳＩ−ＲＳリソースグループ内のこの第１の信号を受信する。
【０１１９】
選択的に、この実施例３では、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
具体的に、この端末機器は、下記の方法によってこの第１の信号を受信することができる。
【０１２０】
方法１：この端末機器が、この第１のＣＳＩ−ＲＳリソースグループ構成情報における４つのＣＳＩ−ＲＳリソースの位置順に基づき、この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースである。
【０１２１】
方法２：この端末機器が、この第１のＣＳＩ−ＲＳリソースグループ内の４つのＣＳＩ−ＲＳリソースの識別子ＩＤに基づき、この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースである。
【０１２２】
方法３：この端末機器が、この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信し、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じである。
【０１２３】
選択的に、この実施例３では、
この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【０１２４】
実施例４
この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝４、Ｑ＝２であり、つまり、この第１のＣＳＩ−ＲＳリソースグループは、４つのＣＳＩ−ＲＳリソースを含み、及びこの第１の信号は、２つのスロットを占有する。
【０１２５】
この第１の構成情報が指示するこの第１のオフセット及びこの第２のオフセットは、この第１のＣＳＩ−ＲＳリソースグループに対するオフセットであることが理解されるべきである。
【０１２６】
具体的に、この実施例４では、
この端末機器が、この第１の指示情報を受信したとき、この第１のオフセット及びこの第２のオフセットに基づいてスロットｎ及びスロットｍを決定し、ｎ及びｍは、０以上の整数であり、
この端末機器が、このスロットｎ及びこのスロットｍでこの第１のＣＳＩ−ＲＳリソースグループ内のこの第１の信号を受信する。
【０１２７】
選択的に、この実施例４では、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
具体的に、この端末機器は、下記の方法によってこの第１の信号を受信することができる。
【０１２８】
方法ａ：この端末機器が、この第１のＣＳＩ−ＲＳリソースグループ構成情報における４つのＣＳＩ−ＲＳリソースの位置順に基づき、このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースである。
【０１２９】
方法ｂ：この端末機器が、この第１のＣＳＩ−ＲＳリソースグループ内の４つのＣＳＩ−ＲＳリソースの識別子ＩＤに基づき、このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースである。
【０１３０】
方法ｃ：この端末機器が、このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信し、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じである。
【０１３１】
選択的に、この実施例４では、
この端末機器が、この第１の指示情報を受信したとき、この第１のオフセットに基づいてこのスロットｎを決定し、及びこの第２のオフセットに基づいてこのスロットｍを決定し、又は
この端末機器が、この第１の指示情報を受信したとき、この第１のオフセットに基づいてこのスロットｎを決定し、及びこの第１のオフセット及びこの第２のオフセットに基づいてこのスロットｍを決定する。
【０１３２】
選択的に、この実施例４では、
このスロットｎとこのスロットｍとは、２つの連続するスロットであり、又は
このスロットｍは、このスロットｎの後のこの第１の信号を伝送できる最初の有効なダウンリンクスロットである。
【０１３３】
実施例５
この少なくとも１つのＣＳＩ−ＲＳリソースグループは、第１のＣＳＩ−ＲＳリソースグループを含み、この第１の構成情報はまた、この第１のＣＳＩ−ＲＳリソースグループ内の各ＣＳＩ−ＲＳリソースに対する第３のオフセットを指示するために使用され、Ｐ＝４、Ｑ＝２であり、つまり、この第１のＣＳＩ−ＲＳリソースグループは、４つのＣＳＩ−ＲＳリソースを含み、及びこの第１の信号は、２つのスロットを占有する。
【０１３４】
この第１の構成情報が指示するこの第１のオフセットは、この第１のＣＳＩ−ＲＳリソースグループに対するオフセットであることが理解されるべきである。同時に、この第１のＣＳＩ−ＲＳリソースグループ内の各ＣＳＩ−ＲＳリソースは、それぞれ対応する第３のオフセットが存在する。
【０１３５】
具体的に、この実施例５では、
この端末機器が、この第１の指示情報を受信したとき、この第１のオフセット及び第１のＣＳＩ−ＲＳリソースに対する第３のオフセットに基づいてスロットｎを決定し、又は、この端末機器が、この第１の指示情報を受信したとき、第１のＣＳＩ−ＲＳリソースに対する第３のオフセットに基づいてスロットｎを決定し、ここで、この第１のＣＳＩ−ＲＳリソースは、この第１のＣＳＩ−ＲＳリソースグループ内の４つのＣＳＩ−ＲＳリソースのうちのいずれか１つのＣＳＩ−ＲＳリソースであり、ｎは、０以上の整数であり、
この端末機器が、このスロットｎでこの第１のＣＳＩ−ＲＳリソース内のこの第１の信号を受信する。
【０１３６】
この実施例５では、第１のＣＳＩ−ＲＳリソースを例として説明しているが、この第１のＣＳＩ−ＲＳリソースグループ内の他のＣＳＩ−ＲＳリソースも適用可能であることが理解されるべきである。
【０１３７】
選択的に、この実施例５では、この第３のオフセットは具体的に、この第１のＣＳＩ−ＲＳリソースグループ内に構成され、又は、具体的に、それに対応するＣＳＩ−ＲＳリソース内に構成される。
【０１３８】
選択的に、一例として、この第３のオフセットが具体的に、この第１のＣＳＩ−ＲＳリソースグループ内に構成される場合、
この第１のＣＳＩ−ＲＳリソースグループ内のＣＳＩ−ＲＳリソースの一部又は全部は、この第３のオフセットが構成される。
【０１３９】
さらに、この第１のＣＳＩ−ＲＳリソースグループに、第３のオフセットが構成されていないＣＳＩ−ＲＳリソースが少なくとも１つ含まれる場合、この第１の構成情報は、この第３のオフセットが構成されていない少なくとも１つのＣＳＩ−ＲＳリソースのうちの各ＣＳＩ−ＲＳリソースに対応するこの第３のオフセットを事前構成値として指示する。
【０１４０】
また、さらに、この事前構成値は、０である。
【０１４１】
選択的に、別の例として、この第３のオフセットが具体的に、それに対応するＣＳＩ−ＲＳリソース内に構成される場合、この第１のＣＳＩ−ＲＳリソースグループは、第２のＣＳＩ−ＲＳリソースを含み、
この第２のＣＳＩ−ＲＳリソース内にこの第３のオフセットが構成されない場合、この第１の構成情報は、この第２のＣＳＩ−ＲＳリソースに対応するこの第３のオフセットを事前構成値として指示する。
【０１４２】
さらに、この事前構成値は、０である。
【０１４３】
また、さらに、この第３のオフセットが具体的に、それに対応するＣＳＩ−ＲＳリソース内に構成される場合、この第１のＣＳＩ−ＲＳリソースに対応するこの第３のオフセットは、フィールド（ｆｉｅｌｄ）の指示に応じて周期的信号構成に従って解読した後に得られたオフセットによって決定される。
【０１４４】
例えば、周期的信号に基づいてこのフィールドを解読した後、＜周期＋オフセット＞を得ることができ、ここで、周期は無視し、対応するオフセットのみ取ることで、第３のオフセットを知ることができる。
【０１４５】
また、例えば、周期的信号によって解読されたこのフィールドを第３のオフセットと定義することができる。
【０１４６】
実施例６
この少なくとも１つのＣＳＩ−ＲＳリソースグループは、第１のＣＳＩ−ＲＳリソースグループ及び第２のＣＳＩ−ＲＳリソースグループを含み、Ｐ＝Ｑ＝２であり、つまり、この第１のＣＳＩ−ＲＳリソースグループは、２つのＣＳＩ−ＲＳリソースを含み、及びこの第１の信号は、２つのスロットを占有する。
【０１４７】
この第１の構成情報は、この第１のＣＳＩ−ＲＳリソースグループに対応する第１のオフセット、及びこの第２のＣＳＩ−ＲＳリソースグループに対応する第１のオフセットを指示することができることが理解されるべきである。
【０１４８】
具体的に、この実施例６では、
この端末機器が、この第１の指示情報を受信したとき、この第１のＣＳＩ−ＲＳリソースグループに対応するこの第１のオフセットに基づいてスロットｎを決定し、及びこの第２のＣＳＩ−ＲＳリソースグループに対応するこの第１のオフセットに基づいてスロットｍを決定し、ｎ及びｍは、０以上の整数であり、
この端末機器が、このスロットｎでこの第１のＣＳＩ−ＲＳリソースグループ内のこの第１の信号を受信し、及びこのスロットｍでこの第２のＣＳＩ−ＲＳリソースグループ内のこの第１の信号を受信する。
【０１４９】
なお、この第１のＣＳＩ−ＲＳリソースグループ及びこの第２のＣＳＩ−ＲＳリソースグループは、２つのレポート構成に関連付けられ、これら２つのレポート構成は、１つのＤＣＩトリガー状態（ＣＳＩ−ＡｐｅｒｉｏｄｉｃＴｒｉｇｇｅｒＳｔａｔｅ）に関連付けられる。端末機器は、ネットワーク機器に対応するＤＣＩ指示を受信し、この第１のＣＳＩ−ＲＳリソースグループ及びこの第２のＣＳＩ−ＲＳリソースグループにそれぞれ対応するｏｆｆｓｅｔを取得し、ｓｌｏｔ  ｎ及びｓｌｏｔ  ｍで対応するＣＳＩ−ＲＳリソースを受信することを決定する。
【０１５０】
選択的に、この実施例６では、
この第１のＣＳＩ−ＲＳリソースグループに対応するこの第１のオフセットとこの第２のＣＳＩ−ＲＳリソースグループに対応するこの第１のオフセットとの間は、Ｋスロットの差があり、Ｋは、１以上の整数である。
【０１５１】
例えば、Ｋ＝１である。つまり、この第１のＣＳＩ−ＲＳリソースグループに対応するこの第１のオフセットとこの第２のＣＳＩ−ＲＳリソースグループに対応するこの第１のオフセットとの間は、１スロットの差がある。
【０１５２】
したがって、本発明の実施例では、端末機器は、第１の構成情報に基づいて第１の信号を受信することができ、これにより、第１の信号を使用してタイミング及び／又は周波数のトラッキング／同期を行うことができ、タイミング及び／又は周波数のトラッキング／同期性能を向上させ、システム全体の性能を改善させた。
【０１５３】
図３は、本発明の実施例に係る情報決定方法３００の概略フローチャートである。この方法３００は選択的に、図１に示すシステムに適用されることができるが、それに限定されない。この方法３００は、下記の内容の少なくとも一部を含む。
【０１５４】
Ｓ３１０：ネットワーク機器が、端末機器に第１の構成情報を送信し、この第１の構成情報は、少なくとも１つのＣＳＩ−ＲＳリソースグループを構成し、及びこの少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロットを占有し、Ｐ及びＱは、２以上の整数である。
【０１５５】
選択的に、この端末機器は、この第１の信号を使用してタイミング及び／又は周波数のトラッキング／同期を行う。
【０１５６】
選択的に、この第１の構成情報はまた、この少なくとも１つのＣＳＩ−ＲＳリソースグループに対応する第１の指示パラメータを構成するために使用され、この第１の指示パラメータは、この少なくとも１つのＣＳＩ−ＲＳリソースグループの用途を指示するために使用される。
【０１５７】
選択的に、この第１の指示パラメータは、パラメータｔｒｓ−Ｉｎｆｏである。
【０１５８】
選択的に、この第１の信号は、トラッキング用の非周期的ＣＳＩ−ＲＳ信号（Ａｐｅｒｉｏｄｉｃ  ＣＳＩ−ＲＳ  ｆoｒ  Ｔｒａｃｋｉｎｇ）である。この第１の信号は、非周期的トラッキング信号（Ａｐｅｒｉｏｄｉｃ  Ｔｒａｃｋｉｎｇ  Ｒｅｆｅｒｅｎｃｅ  Ｓｉｇｎａｌ，Ａ−ＴＲＳ）と称されてもよい。
【０１５９】
選択的に、この第１の構成情報は、無線リソース制御ＲＲＣシグナリングである。
【０１６０】
Ｓ３２０：このネットワーク機器が、この端末機器に第１の指示情報を送信し、この第１の指示情報は、この端末機器がこの第１の信号を受信するようにトリガーするために使用される。
【０１６１】
選択的に、この第１の指示情報は、ＤＣＩシグナリングである。
【０１６２】
Ｓ３３０：このネットワーク機器が、この第１の構成情報に基づいてこの端末機器にこの第１の信号を送信する。
【０１６３】
以下、具体的な実施例に関連して、本発明の実施例における情報決定方法３００について説明する。
【０１６４】
実施例１
この少なくとも１つのＣＳＩ−ＲＳリソースグループは、第１のＣＳＩ−ＲＳリソースグループを含み、Ｐ＝Ｑ＝２であり、
具体的に、この実施例１では、
このネットワーク機器が、この第１の指示情報を送信するとき、この第１のオフセットに基づいてスロットｎを決定し、ｎは、０以上の整数であり、
このネットワーク機器が、このスロットｎに基づいて第１のスロット及び第２のスロットを決定し、及びこの第１のスロット及びこの第２のスロットでこの端末機器にこの第１のＣＳＩ−ＲＳリソースグループ内のこの第１の信号を送信する。
【０１６５】
選択的に、この実施例１では、
この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【０１６６】
実施例２
この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝Ｑ＝２であり、
具体的に、この実施例２では、
このネットワーク機器が、この第１の指示情報を送信するとき、この第１のオフセット及びこの第２のオフセットに基づいてスロットｎ及びスロットｍを決定し、ｎ及びｍは、０以上の整数であり、
このネットワーク機器が、このスロットｎ及びこのスロットｍでこの端末機器にこの第１のＣＳＩ−ＲＳリソースグループ内のこの第１の信号を送信する。
【０１６７】
選択的に、この実施例２では、
このネットワーク機器が、この第１の指示情報を送信するとき、この第１のオフセットに基づいてこのスロットｎを決定し、及びこの第２のオフセットに基づいてこのスロットｍを決定し、又は
このネットワーク機器が、この第１の指示情報を送信するとき、この第１のオフセットに基づいてこのスロットｎを決定し、及びこの第１のオフセット及びこの第２のオフセットに基づいてこのスロットｍを決定する。
【０１６８】
選択的に、この実施例２では、
このスロットｎとこのスロットｍとは、２つの連続するスロットであり、又は
このスロットｍは、このスロットｎの後のこの第１の信号を伝送できる最初の有効なダウンリンクスロットである。
【０１６９】
実施例３
この少なくとも１つのＣＳＩ−ＲＳリソースグループは、第１のＣＳＩ−ＲＳリソースグループを含み、Ｐ＝４、Ｑ＝２であり、
具体的に、この実施例３では、
このネットワーク機器が、この第１の指示情報を送信するとき、この第１のオフセットに基づいてスロットｎを決定し、ｎは、０以上の整数であり、
このネットワーク機器が、このスロットｎに基づいて第１のスロット及び第２のスロットを決定し、及びこの第１のスロット及びこの第２のスロットでこの端末機器にこの第１のＣＳＩ−ＲＳリソースグループ内のこの第１の信号を送信する。
【０１７０】
選択的に、この実施例３では、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
具体的に、このネットワーク機器は、下記の方法によってこの第１の信号を送信することができる。
【０１７１】
方法１：このネットワーク機器が、この第１のＣＳＩ−ＲＳリソースグループ構成情報における４つのＣＳＩ−ＲＳリソースの位置順に基づき、この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースである。
【０１７２】
方法２：このネットワーク機器が、この第１のＣＳＩ−ＲＳリソースグループ内の４つのＣＳＩ−ＲＳリソースの識別子ＩＤに基づき、この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースである。
【０１７３】
方法３：このネットワーク機器が、この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信し、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じである。
【０１７４】
選択的に、この実施例３では、
この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【０１７５】
実施例４
この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝４、Ｑ＝２であり、
具体的に、この実施例４では、
このネットワーク機器が、この第１の指示情報を送信するとき、この第１のオフセット及びこの第２のオフセットに基づいてスロットｎ及びスロットｍを決定し、ｎ及びｍは、０以上の整数であり、
このネットワーク機器が、このスロットｎ及びこのスロットｍでこの端末機器にこの第１のＣＳＩ−ＲＳリソースグループ内のこの第１の信号を送信する。
【０１７６】
選択的に、この実施例４では、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
具体的に、このネットワーク機器は、下記の方法によってこの第１の信号を送信することができる。
【０１７７】
方法ａ、このネットワーク機器が、この第１のＣＳＩ−ＲＳリソースグループ構成情報における４つのＣＳＩ−ＲＳリソースの位置順に基づき、このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースである。
【０１７８】
方法ｂ、このネットワーク機器が、この第１のＣＳＩ−ＲＳリソースグループ内の４つのＣＳＩ−ＲＳリソースの識別子ＩＤに基づき、このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースである。
【０１７９】
方法ｃ、このネットワーク機器が、このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信し、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じである。
【０１８０】
選択的に、この実施例４では、
このネットワーク機器が、この第１の指示情報を送信するとき、この第１のオフセットに基づいてこのスロットｎを決定し、及びこの第２のオフセットに基づいてこのスロットｍを決定し、又は
このネットワーク機器が、この第１の指示情報を送信するとき、この第１のオフセットに基づいてこのスロットｎを決定し、及びこの第１のオフセット及びこの第２のオフセットに基づいてこのスロットｍを決定する。
【０１８１】
選択的に、この実施例４では、
このスロットｎとこのスロットｍとは、２つの連続するスロットであり、又は
このスロットｍは、このスロットｎの後のこの第１の信号を伝送できる最初の有効なダウンリンクスロットである。
【０１８２】
実施例５
この少なくとも１つのＣＳＩ−ＲＳリソースグループは、第１のＣＳＩ−ＲＳリソースグループを含み、この第１の構成情報はまた、この第１のＣＳＩ−ＲＳリソースグループ内の各ＣＳＩ−ＲＳリソースに対する第３のオフセットを指示するために使用され、Ｐ＝４、Ｑ＝２であり、
具体的に、この実施例５では、
このネットワーク機器が、この第１の指示情報を送信するとき、この第１のオフセット及び第１のＣＳＩ−ＲＳリソースに対する第３のオフセットに基づいてスロットｎを決定し、又は、このネットワーク機器が、この第１の指示情報を送信するとき、第１のＣＳＩ−ＲＳリソースに対する第３のオフセットに基づいてスロットｎを決定し、ここで、この第１のＣＳＩ−ＲＳリソースは、この第１のＣＳＩ−ＲＳリソースグループ内の４つのＣＳＩ−ＲＳリソースのうちのいずれか１つのＣＳＩ−ＲＳリソースであり、ｎは、０以上の整数であり、
このネットワーク機器が、このスロットｎでこの端末機器にこの第１のＣＳＩ−ＲＳリソース内のこの第１の信号を送信する。
【０１８３】
選択的に、この実施例５では、この第３のオフセットは具体的に、この第１のＣＳＩ−ＲＳリソースグループ内に構成され、又は、具体的に、それに対応するＣＳＩ−ＲＳリソース内に構成される。
【０１８４】
選択的に、一例として、この第３のオフセットが具体的に、この第１のＣＳＩ−ＲＳリソースグループ内に構成される場合、
この第１のＣＳＩ−ＲＳリソースグループ内のＣＳＩ−ＲＳリソースの一部又は全部は、この第３のオフセットが構成される。
【０１８５】
さらに、この第１のＣＳＩ−ＲＳリソースグループに、第３のオフセットが構成されていないＣＳＩ−ＲＳリソースが少なくとも１つ含まれる場合、この第１の構成情報は、この第３のオフセットが構成されていない少なくとも１つのＣＳＩ−ＲＳリソースのうちの各ＣＳＩ−ＲＳリソースに対応するこの第３のオフセットを事前構成値として指示する。
【０１８６】
また、さらに、この事前構成値は、０である。
【０１８７】
選択的に、別の例として、この第３のオフセットが具体的に、それに対応するＣＳＩ−ＲＳリソース内に構成される場合、この第１のＣＳＩ−ＲＳリソースグループは、第２のＣＳＩ−ＲＳリソースを含み、
この第２のＣＳＩ−ＲＳリソース内にこの第３のオフセットが構成されない場合、この第１の構成情報は、この第２のＣＳＩ−ＲＳリソースに対応するこの第３のオフセットを事前構成値として指示する。
【０１８８】
さらに、この事前構成値は、０である。
【０１８９】
また、さらに、この第３のオフセットが具体的に、それに対応するＣＳＩ−ＲＳリソース内に構成される場合、この第１のＣＳＩ−ＲＳリソースに対応するこの第３のオフセットは、フィールドの指示に応じて周期的信号構成に従って解読した後に得られたオフセットによって決定される。
【０１９０】
例えば、周期的信号に基づいてこのフィールドを解読した後、＜周期＋オフセット＞を得ることができ、ここで、周期は無視し、対応するオフセットのみ取ることで、第３のオフセットを知ることができる。
【０１９１】
また、例えば、周期的信号によって解読されたこのフィールドを第３のオフセットと定義することができる。
【０１９２】
実施例６
この少なくとも１つのＣＳＩ−ＲＳリソースグループは、第１のＣＳＩ−ＲＳリソースグループ及び第２のＣＳＩ−ＲＳリソースグループを含み、Ｐ＝Ｑ＝２であり、
具体的に、この実施例６では、
このネットワーク機器が、この第１の指示情報を送信するとき、この第１のＣＳＩ−ＲＳリソースグループに対応するこの第１のオフセットに基づいてスロットｎを決定し、及びこの第２のＣＳＩ−ＲＳリソースグループに対応するこの第１のオフセットに基づいてスロットｍを決定し、ｎ及びｍは、０以上の整数であり、
このネットワーク機器が、このスロットｎでこの端末機器にこの第１のＣＳＩ−ＲＳリソースグループ内のこの第１の信号を送信し、及びこのスロットｍでこの端末機器にこの第２のＣＳＩ−ＲＳリソースグループ内のこの第１の信号を送信する。
【０１９３】
なお、この第１のＣＳＩ−ＲＳリソースグループ及びこの第２のＣＳＩ−ＲＳリソースグループは、２つのレポート構成に関連付けられ、これら２つのレポート構成は、１つのＤＣＩトリガー状態（ＣＳＩ−ＡｐｅｒｉｏｄｉｃＴｒｉｇｇｅｒＳｔａｔｅ）に関連付けられる。端末機器は、ネットワーク機器に対応するＤＣＩ指示を受信し、この第１のＣＳＩ−ＲＳリソースグループ及びこの第２のＣＳＩ−ＲＳリソースグループにそれぞれ対応するｏｆｆｓｅｔを取得し、ｓｌｏｔ  ｎ及びｓｌｏｔ  ｍで対応するＣＳＩ−ＲＳリソースを受信することを決定する。
【０１９４】
選択的に、この実施例６では、
この第１のＣＳＩ−ＲＳリソースグループに対応するこの第１のオフセットとこの第２のＣＳＩ−ＲＳリソースグループに対応するこの第１のオフセットとの間は、Ｋスロットの差があり、Ｋは、１以上の整数である。
【０１９５】
例えば、Ｋ＝１である。つまり、この第１のＣＳＩ−ＲＳリソースグループに対応するこの第１のオフセットとこの第２のＣＳＩ−ＲＳリソースグループに対応するこの第１のオフセットとの間は、１スロットの差がある。
【０１９６】
情報決定方法３００におけるステップについては、情報決定方法２００における対応するステップを参照することができることが理解されるべきであり、簡潔にするために、ここで詳細な説明を省略する。
【０１９７】
したがって、本発明の実施例では、ネットワーク機器は、端末機器に第１の構成情報を送信し、端末機器に端末機器が第１の信号を受信するようにトリガーするための第１の指示情報を送信し、及び第１の構成情報に基づいて第１の信号を送信し、これにより、端末機器は、第１の構成情報に基づいて第１の信号を受信することができ、さらに、第１の信号を使用してタイミング及び／又は周波数のトラッキング／同期を行うことができ、タイミング及び／又は周波数のトラッキング／同期性能を向上させ、システム全体の性能を改善させた。
【０１９８】
図４は、本発明の実施例に係る端末機器４００の概略ブロック図である。図４に示すように、この端末機器４００は、通信ユニット４１０を備える。
【０１９９】
通信ユニット４１０は、ネットワーク機器により送信された第１の構成情報を受信するために使用され、この第１の構成情報は、少なくとも１つのＣＳＩ−ＲＳリソースグループを構成し、及びこの少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロットを占有し、Ｐ及びＱは、２以上の整数であり、  この通信ユニット４１０はまた、このネットワーク機器により送信された第１の指示情報を受信するために使用され、この第１の指示情報は、この端末機器がこの第１の信号を受信するようにトリガーするために使用され、
この通信ユニット４１０はまた、この第１の指示情報に応答して、この第１の構成情報に基づいてこの第１の信号を受信するために使用される。
【０２００】
選択的に、この端末機器は、この第１の信号を使用してタイミング及び／又は周波数のトラッキング／同期を行う。
【０２０１】
選択的に、この第１の構成情報はまた、この少なくとも１つのＣＳＩ−ＲＳリソースグループに対応する第１の指示パラメータを構成するために使用され、この第１の指示パラメータは、この少なくとも１つのＣＳＩ−ＲＳリソースグループの用途を指示するために使用される。
【０２０２】
選択的に、この第１の指示パラメータは、パラメータｔｒｓ−Ｉｎｆｏである。
【０２０３】
選択的に、この少なくとも１つのＣＳＩ−ＲＳリソースグループは、第１のＣＳＩ−ＲＳリソースグループを含み、Ｐ＝Ｑ＝２であり、この端末機器４００は、処理ユニット４２０をさらに備える。
【０２０４】
この通信ユニット４１０がこの第１の指示情報を受信したとき、この処理ユニット４２０が、この第１のオフセットに基づいてスロットｎを決定し、ｎは、０以上の整数であり、
この処理ユニット４２０が、このスロットｎに基づいて第１のスロット及び第２のスロットを決定し、及びこの通信ユニット４１０が、この第１のスロット及びこの第２のスロットでこの第１のＣＳＩ−ＲＳリソースグループ内のこの第１の信号を受信する。
【０２０５】
選択的に、この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【０２０６】
選択的に、この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝Ｑ＝２であり、この端末機器４００は、処理ユニット４２０をさらに備える。
【０２０７】
この通信ユニット４１０がこの第１の指示情報を受信したとき、この処理ユニット４２０が、この第１のオフセット及びこの第２のオフセットに基づいてスロットｎ及びスロットｍを決定し、ｎ及びｍは、０以上の整数であり、
この通信ユニット４１０が、このスロットｎ及びこのスロットｍでこの第１のＣＳＩ−ＲＳリソースグループ内のこの第１の信号を受信する。
【０２０８】
選択的に、この処理ユニット４２０は具体的に、
この通信ユニット４１０がこの第１の指示情報を受信したとき、この第１のオフセットに基づいてこのスロットｎを決定し、及びこの第２のオフセットに基づいてこのスロットｍを決定し、又は
この通信ユニット４１０がこの第１の指示情報を受信したとき、この第１のオフセットに基づいてこのスロットｎを決定し、及びこの第１のオフセット及びこの第２のオフセットに基づいてこのスロットｍを決定するために使用される。
【０２０９】
選択的に、このスロットｎとこのスロットｍとは、２つの連続するスロットであり、又は
このスロットｍは、このスロットｎの後のこの第１の信号を伝送できる最初の有効なダウンリンクスロットである。
【０２１０】
選択的に、この少なくとも１つのＣＳＩ−ＲＳリソースグループは、第１のＣＳＩ−ＲＳリソースグループを含み、Ｐ＝４、Ｑ＝２であり、この端末機器４００は、処理ユニット４２０をさらに備える。
【０２１１】
この通信ユニット４１０がこの第１の指示情報を受信したとき、この処理ユニット４２０が、この第１のオフセットに基づいてスロットｎを決定し、ｎは、０以上の整数であり、
この処理ユニット４２０が、このスロットｎに基づいて第１のスロット及び第２のスロットを決定し、及びこの通信ユニット４１０が、この第１のスロット及びこの第２のスロットでこの第１のＣＳＩ−ＲＳリソースグループ内のこの第１の信号を受信する。
【０２１２】
選択的に、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
この通信ユニット４１０は具体的に、
この第１のＣＳＩ−ＲＳリソースグループ構成情報における４つのＣＳＩ−ＲＳリソースの位置順に基づき、この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであり、又は
この第１のＣＳＩ−ＲＳリソースグループ内の４つのＣＳＩ−ＲＳリソースの識別子ＩＤに基づき、この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであり、又は
この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信するために使用され、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じである。
【０２１３】
選択的に、この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【０２１４】
選択的に、この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝４、Ｑ＝２であり、この端末機器４００は、処理ユニット４２０をさらに備える。
【０２１５】
この通信ユニット４１０がこの第１の指示情報を受信したとき、この処理ユニット４２０が、この第１のオフセット及びこの第２のオフセットに基づいてスロットｎ及びスロットｍを決定し、ｎ及びｍは、０以上の整数であり、
この通信ユニット４１０が、このスロットｎ及びこのスロットｍでこの第１のＣＳＩ−ＲＳリソースグループ内のこの第１の信号を受信する。
【０２１６】
選択的に、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
この通信ユニット４１０は具体的に、
この第１のＣＳＩ−ＲＳリソースグループ構成情報における４つのＣＳＩ−ＲＳリソースの位置順に基づき、このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであり、又は
この第１のＣＳＩ−ＲＳリソースグループ内の４つのＣＳＩ−ＲＳリソースの識別子ＩＤに基づき、このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであり、又は
このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信するために使用され、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じである。
【０２１７】
選択的に、この処理ユニット４２０は具体的に、
この第１の指示情報を受信したとき、この第１のオフセットに基づいてこのスロットｎを決定し、及びこの第２のオフセットに基づいてこのスロットｍを決定し、又は
この第１の指示情報を受信したとき、この第１のオフセットに基づいてこのスロットｎを決定し、及びこの第１のオフセット及びこの第２のオフセットに基づいてこのスロットｍを決定するために使用される。
【０２１８】
選択的に、このスロットｎとこのスロットｍとは、２つの連続するスロットであり、又は
このスロットｍは、このスロットｎの後のこの第１の信号を伝送できる最初の有効なダウンリンクスロットである。
【０２１９】
選択的に、この少なくとも１つのＣＳＩ−ＲＳリソースグループは、第１のＣＳＩ−ＲＳリソースグループを含み、この第１の構成情報はまた、この第１のＣＳＩ−ＲＳリソースグループ内の各ＣＳＩ−ＲＳリソースに対する第３のオフセットを指示するために使用され、Ｐ＝４、Ｑ＝２であり、この端末機器４００は、処理ユニット４２０をさらに備える。
【０２２０】
この通信ユニット４１０がこの第１の指示情報を受信したとき、この処理ユニット４２０が、この第１のオフセット及び第１のＣＳＩ−ＲＳリソースに対する第３のオフセットに基づいてスロットｎを決定し、又は、この通信ユニット４１０がこの第１の指示情報を受信したとき、この処理ユニット４２０が、第１のＣＳＩ−ＲＳリソースに対する第３のオフセットに基づいてスロットｎを決定し、ここで、この第１のＣＳＩ−ＲＳリソースは、この第１のＣＳＩ−ＲＳリソースグループ内の４つのＣＳＩ−ＲＳリソースのうちのいずれか１つのＣＳＩ−ＲＳリソースであり、ｎは、０以上の整数であり、
この通信ユニット４１０が、このスロットｎでこの第１のＣＳＩ−ＲＳリソース内のこの第１の信号を受信する。
【０２２１】
選択的に、この第３のオフセットは具体的に、この第１のＣＳＩ−ＲＳリソースグループ内に構成され、又は、具体的に、それに対応するＣＳＩ−ＲＳリソース内に構成される。
【０２２２】
選択的に、この第３のオフセットが具体的に、この第１のＣＳＩ−ＲＳリソースグループ内に構成される場合、
この第１のＣＳＩ−ＲＳリソースグループ内のＣＳＩ−ＲＳリソースの一部又は全部は、この第３のオフセットが構成される。
【０２２３】
選択的に、この第１のＣＳＩ−ＲＳリソースグループに、第３のオフセットが構成されていないＣＳＩ−ＲＳリソースが少なくとも１つ含まれる場合、この第１の構成情報は、この第３のオフセットが構成されていない少なくとも１つのＣＳＩ−ＲＳリソースのうちの各ＣＳＩ−ＲＳリソースに対応するこの第３のオフセットを事前構成値として指示する。
【０２２４】
選択的に、この第３のオフセットが具体的に、それに対応するＣＳＩ−ＲＳリソース内に構成される場合、この第１のＣＳＩ−ＲＳリソースグループは、第２のＣＳＩ−ＲＳリソースを含み、
この第２のＣＳＩ−ＲＳリソース内にこの第３のオフセットが構成されない場合、この第１の構成情報は、この第２のＣＳＩ−ＲＳリソースに対応するこの第３のオフセットを事前構成値として指示する。
【０２２５】
選択的に、この事前構成値は、０である。
【０２２６】
選択的に、この第３のオフセットが具体的に、それに対応するＣＳＩ−ＲＳリソース内に構成される場合、この第１のＣＳＩ−ＲＳリソースに対応するこの第３のオフセットは、フィールドの指示に応じて周期的信号構成に従って解読した後に得られたオフセットによって決定される。
【０２２７】
選択的に、この少なくとも１つのＣＳＩ−ＲＳリソースグループは、第１のＣＳＩ−ＲＳリソースグループ及び第２のＣＳＩ−ＲＳリソースグループを含み、Ｐ＝Ｑ＝２であり、この端末機器４００は、処理ユニット４２０をさらに備える。
【０２２８】
この通信ユニット４１０がこの第１の指示情報を受信したとき、この処理ユニット４２０が、この第１のＣＳＩ−ＲＳリソースグループに対応するこの第１のオフセットに基づいてスロットｎを決定し、及びこの第２のＣＳＩ−ＲＳリソースグループに対応するこの第１のオフセットに基づいてスロットｍを決定し、ｎ及びｍは、０以上の整数であり、
この通信ユニット４１０が、このスロットｎでこの第１のＣＳＩ−ＲＳリソースグループ内のこの第１の信号を受信し、及びこのスロットｍでこの第２のＣＳＩ−ＲＳリソースグループ内のこの第１の信号を受信する。
【０２２９】
選択的に、この第１のＣＳＩ−ＲＳリソースグループに対応するこの第１のオフセットとこの第２のＣＳＩ−ＲＳリソースグループに対応するこの第１のオフセットとの間は、Ｋスロットの差があり、Ｋは、１以上の整数である。
【０２３０】
選択的に、Ｋ＝１である。
【０２３１】
選択的に、この第１の信号は、トラッキング用の非周期的ＣＳＩ−ＲＳ信号（Ａｐｅｒｉｏｄｉｃ  ＣＳＩ−ＲＳ  ｆoｒ  Ｔｒａｃｋｉｎｇ）である。
【０２３２】
選択的に、この第１の構成情報は、ＲＲＣシグナリングであり、この第１の指示情報は、ＤＣＩシグナリングである。
【０２３３】
本発明の実施例に係る端末機器４００内の各モジュールの上記の及び他の動作及び／又は機能のそれぞれは、図２の方法２００における端末機器の対応するフローを実現するために使用されることが理解されるべきであり、簡潔にするために、ここで詳細な説明を省略する。
【０２３４】
図５は、本発明の実施例に係るネットワーク機器５００の概略ブロック図である。図５に示すように、このネットワーク機器５００は、通信ユニット５１０を備える。
【０２３５】
通信ユニット５１０は、端末機器に第１の構成情報を送信するために使用され、この第１の構成情報は、少なくとも１つのＣＳＩ−ＲＳリソースグループを構成し、及びこの少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロットを占有し、Ｐ及びＱは、２以上の整数であり、
この通信ユニット５１０はまた、この端末機器に第１の指示情報を送信するために使用され、この第１の指示情報は、この端末機器がこの第１の信号を受信するようにトリガーするために使用され、
この通信ユニット５１０はまた、この第１の構成情報に基づいてこの端末機器にこの第１の信号を送信するために使用される。
【０２３６】
選択的に、この端末機器は、この第１の信号を使用してタイミング及び／又は周波数のトラッキング／同期を行う。
【０２３７】
選択的に、この第１の構成情報はまた、この少なくとも１つのＣＳＩ−ＲＳリソースグループに対応する第１の指示パラメータを構成するために使用され、この第１の指示パラメータは、この少なくとも１つのＣＳＩ−ＲＳリソースグループの用途を指示するために使用される。
【０２３８】
選択的に、この第１の指示パラメータは、パラメータｔｒｓ−Ｉｎｆｏである。
【０２３９】
選択的に、この少なくとも１つのＣＳＩ−ＲＳリソースグループは、第１のＣＳＩ−ＲＳリソースグループを含み、Ｐ＝Ｑ＝２であり、このネットワーク機器５００は、処理ユニット５２０をさらに備える。
【０２４０】
この通信ユニット５１０がこの第１の指示情報を送信するとき、この処理ユニット５２０が、この第１のオフセットに基づいてスロットｎを決定し、ｎは、０以上の整数であり、
この処理ユニット５２０が、このスロットｎに基づいて第１のスロット及び第２のスロットを決定し、及びこの通信ユニット５１０が、この第１のスロット及びこの第２のスロットでこの端末機器にこの第１のＣＳＩ−ＲＳリソースグループ内のこの第１の信号を送信する。
【０２４１】
選択的に、この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【０２４２】
選択的に、この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝Ｑ＝２であり、このネットワーク機器５００は、処理ユニット５２０をさらに備える。
【０２４３】
この通信ユニット５１０がこの第１の指示情報を送信するとき、この処理ユニット５２０が、この第１のオフセット及びこの第２のオフセットに基づいてスロットｎ及びスロットｍを決定し、ｎ及びｍは、０以上の整数であり、
この通信ユニット５１０が、このスロットｎ及びこのスロットｍでこの端末機器にこの第１のＣＳＩ−ＲＳリソースグループ内のこの第１の信号を送信する。
【０２４４】
選択的に、この処理ユニット５２０は具体的に、
この通信ユニット５１０がこの第１の指示情報を送信するとき、この第１のオフセットに基づいてこのスロットｎを決定し、及びこの第２のオフセットに基づいてこのスロットｍを決定し、又は
この通信ユニット５１０がこの第１の指示情報を送信するとき、この第１のオフセットに基づいてこのスロットｎを決定し、及びこの第１のオフセット及びこの第２のオフセットに基づいてこのスロットｍを決定するために使用される。
【０２４５】
選択的に、このスロットｎとこのスロットｍとは、２つの連続するスロットであり、又は
このスロットｍは、このスロットｎの後のこの第１の信号を伝送できる最初の有効なダウンリンクスロットである。
【０２４６】
選択的に、この少なくとも１つのＣＳＩ−ＲＳリソースグループは、第１のＣＳＩ−ＲＳリソースグループを含み、Ｐ＝４、Ｑ＝２であり、このネットワーク機器５００は、処理ユニット５２０をさらに備える。
【０２４７】
この通信ユニット５１０がこの第１の指示情報を送信するとき、この処理ユニット５２０が、この第１のオフセットに基づいてスロットｎを決定し、ｎは、０以上の整数であり、
この処理ユニット５２０が、このスロットｎに基づいて第１のスロット及び第２のスロットを決定し、及びこの通信ユニット５１０が、この第１のスロット及びこの第２のスロットでこの端末機器にこの第１のＣＳＩ−ＲＳリソースグループ内のこの第１の信号を送信する。
【０２４８】
選択的に、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
この通信ユニット５１０は具体的に、
この第１のＣＳＩ−ＲＳリソースグループ構成情報における４つのＣＳＩ−ＲＳリソースの位置順に基づき、この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであり、又は
この第１のＣＳＩ−ＲＳリソースグループ内の４つのＣＳＩ−ＲＳリソースの識別子ＩＤに基づき、この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであり、又は
この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信するために使用され、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じである。
【０２４９】
選択的に、この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【０２５０】
選択的に、この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝４、Ｑ＝２であり、このネットワーク機器５００は、処理ユニット５２０をさらに備える。
【０２５１】
この通信ユニット５１０がこの第１の指示情報を送信するとき、この処理ユニット５２０が、この第１のオフセット及びこの第２のオフセットに基づいてスロットｎ及びスロットｍを決定し、ｎ及びｍは、０以上の整数であり、
この通信ユニット５１０が、このスロットｎ及びこのスロットｍでこの端末機器にこの第１のＣＳＩ−ＲＳリソースグループ内のこの第１の信号を送信する。
【０２５２】
選択的に、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
この通信ユニット５１０は具体的に、
この第１のＣＳＩ−ＲＳリソースグループ構成情報における４つのＣＳＩ−ＲＳリソースの位置順に基づき、このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信することを決定し、又は
この第１のＣＳＩ−ＲＳリソースグループ内の４つのＣＳＩ−ＲＳリソースの識別子ＩＤに基づき、このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信することを決定し、又は
このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信するために使用される。
【０２５３】
選択的に、この処理ユニット５２０は具体的に、
この通信ユニットがこの第１の指示情報を送信するとき、この第１のオフセットに基づいてこのスロットｎを決定し、及びこの第２のオフセットに基づいてこのスロットｍを決定し、又は
この通信ユニットがこの第１の指示情報を送信するとき、この第１のオフセットに基づいてこのスロットｎを決定し、及びこの第１のオフセット及びこの第２のオフセットに基づいてこのスロットｍを決定するために使用される。
【０２５４】
選択的に、このスロットｎとこのスロットｍとは、２つの連続するスロットであり、又は
このスロットｍは、このスロットｎの後のこの第１の信号を伝送できる最初の有効なダウンリンクスロットである。
【０２５５】
選択的に、この少なくとも１つのＣＳＩ−ＲＳリソースグループは、第１のＣＳＩ−ＲＳリソースグループを含み、この第１の構成情報はまた、この第１のＣＳＩ−ＲＳリソースグループ内の各ＣＳＩ−ＲＳリソースに対する第３のオフセットを指示するために使用され、Ｐ＝４、Ｑ＝２であり、このネットワーク機器５００は、処理ユニット５２０をさらに備える。
【０２５６】
この通信ユニット５１０がこの第１の指示情報を送信するとき、この処理ユニット５２０が、この第１のオフセット及び第１のＣＳＩ−ＲＳリソースに対する第３のオフセットに基づいてスロットｎを決定し、又は、この通信ユニット５１０がこの第１の指示情報を送信するとき、この処理ユニット５２０が、第１のＣＳＩ−ＲＳリソースに対する第３のオフセットに基づいてスロットｎを決定し、ここで、この第１のＣＳＩ−ＲＳリソースは、この第１のＣＳＩ−ＲＳリソースグループ内の４つのＣＳＩ−ＲＳリソースのうちのいずれか１つのＣＳＩ−ＲＳリソースであり、ｎは、０以上の整数であり、
この通信ユニット５１０が、このスロットｎでこの端末機器にこの第１のＣＳＩ−ＲＳリソース内のこの第１の信号を送信する。
【０２５７】
選択的に、この第３のオフセットは具体的に、この第１のＣＳＩ−ＲＳリソースグループ内に構成され、又は、具体的に、それに対応するＣＳＩ−ＲＳリソース内に構成される。
【０２５８】
選択的に、この第３のオフセットが具体的に、この第１のＣＳＩ−ＲＳリソースグループ内に構成される場合、
この第１のＣＳＩ−ＲＳリソースグループ内のＣＳＩ−ＲＳリソースの一部又は全部は、この第３のオフセットが構成される。
【０２５９】
選択的に、この第１のＣＳＩ−ＲＳリソースグループに、第３のオフセットが構成されていないＣＳＩ−ＲＳリソースが少なくとも１つ含まれる場合、この第１の構成情報は、この第３のオフセットが構成されていない少なくとも１つのＣＳＩ−ＲＳリソースのうちの各ＣＳＩ−ＲＳリソースに対応するこの第３のオフセットを事前構成値として指示する。
【０２６０】
選択的に、この第３のオフセットが具体的に、それに対応するＣＳＩ−ＲＳリソース内に構成される場合、この第１のＣＳＩ−ＲＳリソースグループは、第２のＣＳＩ−ＲＳリソースを含み、
この第２のＣＳＩ−ＲＳリソース内にこの第３のオフセットが構成されない場合、この第１の構成情報は、この第２のＣＳＩ−ＲＳリソースに対応するこの第３のオフセットを事前構成値として指示する。
【０２６１】
選択的に、この事前構成値は、０である。
【０２６２】
選択的に、この第３のオフセットが具体的に、それに対応するＣＳＩ−ＲＳリソース内に構成される場合、この第１のＣＳＩ−ＲＳリソースに対応するこの第３のオフセットは、フィールドの指示に応じて周期的信号構成に従って解読した後に得られたオフセットによって決定される。
【０２６３】
選択的に、この少なくとも１つのＣＳＩ−ＲＳリソースグループは、第１のＣＳＩ−ＲＳリソースグループ及び第２のＣＳＩ−ＲＳリソースグループを含み、Ｐ＝Ｑ＝２であり、このネットワーク機器５００は、処理ユニット５２０をさらに備える。
【０２６４】
この通信ユニット５１０がこの第１の指示情報を送信するとき、この処理ユニット５２０が、この第１のＣＳＩ−ＲＳリソースグループに対応するこの第１のオフセットに基づいてスロットｎを決定し、及びこの第２のＣＳＩ−ＲＳリソースグループに対応するこの第１のオフセットに基づいてスロットｍを決定し、ｎ及びｍは、０以上の整数であり、
この通信ユニット５１０が、このスロットｎでこの端末機器にこの第１のＣＳＩ−ＲＳリソースグループ内のこの第１の信号を送信し、及びこのスロットｍでこの端末機器にこの第２のＣＳＩ−ＲＳリソースグループ内のこの第１の信号を送信する。
【０２６５】
選択的に、この第１のＣＳＩ−ＲＳリソースグループに対応するこの第１のオフセットとこの第２のＣＳＩ−ＲＳリソースグループに対応するこの第１のオフセットとの間は、Ｋスロットの差があり、Ｋは、１以上の整数である。
【０２６６】
選択的に、Ｋ＝１である。
【０２６７】
選択的に、この第１の信号は、トラッキング用の非周期的ＣＳＩ−ＲＳ信号（Ａｐｅｒｉｏｄｉｃ  ＣＳＩ−ＲＳ  ｆoｒ  Ｔｒａｃｋｉｎｇ）である。
【０２６８】
選択的に、この第１の構成情報は、ＲＲＣシグナリングであり、この第１の指示情報は、ＤＣＩシグナリングである。
【０２６９】
本発明の実施例に係るネットワーク機器５００内の各モジュールの上記の及び他の動作及び／又は機能のそれぞれは、図３の方法３００におけるネットワーク機器の対応するフローを実現するために使用されることが理解されるべきであり、簡潔にするために、ここで詳細な説明を省略する。
【０２７０】
図６は、本発明の実施例に係る通信機器６００の概略ブロック図である。図６に示す通信機器６００は、本発明の実施例における方法を実現するためにメモリからコンピュータプログラムを呼び出して実行することができるプロセッサー６１０を備える。
【０２７１】
選択的に、図６に示すように、通信機器６００は、メモリ６２０をさらに備えてもよい。ここで、プロセッサー６１０は、本発明の実施例における方法を実現するためにメモリ６２０からコンピュータプログラムを呼び出して実行することができる。
【０２７２】
ここで、メモリ６２０は、プロセッサー６１０から独立した１つの別個の装置であってもよいが、プロセッサー６１０に集積されていてもよい。
【０２７３】
選択的に、図６に示すように、通信機器６００は、送受信機６３０をさらに備えてもよく、プロセッサー６１０は、この送受信機６３０を制御して他の機器と通信することができ、具体的に、他の機器に情報又はデータを送信し、又は他の機器により送信された情報又はデータを受信することができる。
【０２７４】
ここで、送受信機６３０は、送信機及び受信機を備えてもよい。送受信機６３０はまた、アンテナをさらに備えてもよく、アンテナの数は、１つ又は複数であってもよい。
【０２７５】
選択的に、この通信機器６００は、本発明の実施例のネットワーク機器であってもよく、この通信機器６００は、本発明の実施例の各方法においてネットワーク機器により実現される対応するフローを実現することができ、簡潔にするために、ここで詳細な説明を省略する。
【０２７６】
選択的に、この通信機器６００は、本発明の実施例の端末機器であってもよく、この通信機器６００は、本発明の実施例の各方法において端末機器により実現される対応するフローを実現することができ、簡潔にするために、ここで詳細な説明を省略する。
【０２７７】
図７は、本発明の実施例に係るチップ７００の概略ブロック図である。図７に示すチップ７００は、本発明の実施例における方法を実現するためにメモリからコンピュータプログラムを呼び出して実行することができるプロセッサー７１０を備える。
【０２７８】
選択的に、図７に示すように、チップ７００は、メモリ７２０をさらに備えてもよい。ここで、プロセッサー７１０は、本発明の実施例における方法を実現するためにメモリ７２０からコンピュータプログラムを呼び出して実行することができる。
【０２７９】
ここで、メモリ７２０は、プロセッサー７１０から独立した１つの別個の装置であってもよいが、プロセッサー７１０に集積されていてもよい。
【０２８０】
選択的に、このチップ７００は、入力インターフェース７３０をさらに備えてもよい。ここで、プロセッサー７１０は、この入力インターフェース７３０を制御して他の機器又はチップと通信することができ、具体的に、他の機器又はチップにより送信された情報又はデータを取得することができる。
【０２８１】
選択的に、このチップ７００は、出力インターフェース７４０をさらに備えてもよい。ここで、プロセッサー７１０は、この出力インターフェース７４０を制御して他の機器又はチップと通信することができ、具体的に、他の機器又はチップに情報又はデータを出力することができる。
【０２８２】
選択的に、このチップは、本発明の実施例のネットワーク機器に適用されることができ、このチップは、本発明の実施例の各方法においてネットワーク機器により実現される対応するフローを実現することができ、簡潔にするために、ここで詳細な説明を省略する。
【０２８３】
選択的に、このチップは、本発明の実施例の端末機器に適用されることができ、このチップは、本発明の実施例の各方法において端末機器により実現される対応するフローを実現することができ、簡潔にするために、ここで詳細な説明を省略する。
【０２８４】
本発明の実施例に言及されているチップはまた、システムレベルチップ、システムチップ、チップシステム又はシステムオンチップ等と称されてもよいことが理解されるべきである。
【０２８５】
上記に言及されているプロセッサーは、汎用プロセッサー、デジタル信号プロセッサー（ｄｉｇｉｔａｌ  ｓｉｇｎａｌ  ｐｒｏｃｅｓｓｏｒ，ＤＳＰ）、フィールドプログラマブルゲートアレイ（ｆｉｅｌｄ  ｐｒｏｇｒａｍｍａｂｌｅ  ｇａｔｅ  ａｒｒａｙ，ＦＰＧＡ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ，ＡＳＩＣ）又は他のプログラマブル論理デバイス、トランジスタ論理デバイス、個別ハードウェアコンポーネント等であってもよい。ここで、上記に言及されている汎用プロセッサーは、マイクロプロセッサーであってもよく、又は、いずれかの通常のプロセッサー等であってもよい。
【０２８６】
上記に言及されているメモリは、揮発性メモリ又は不揮発性メモリであってもよく、又は、揮発性メモリと不揮発性メモリの両方を含んでもよい。ここで、不揮発性メモリは、読み取り専用メモリ（ｒｅａｄ−ｏｎｌｙ  ｍｅｍｏｒｙ，ＲＯＭ）、プログラマブル読み取り専用メモリ（ｐｒｏｇｒａｍｍａｂｌｅ  ＲＯＭ，ＰＲＯＭ）、消去可能なプログラマブル読み取り専用メモリ（ｅｒａｓａｂｌｅ  ＰＲＯＭ，ＥＰＲＯＭ）、電気的に消去可能なプログラマブル読み取り専用メモリ（ｅｌｅｃｔｒｉｃａｌｌｙ  ＥＰＲＯＭ，ＥＥＰＲＯＭ）又はフラッシュメモリであってもよい。揮発性メモリは、ランダムアクセスメモリ（ｒａｎｄｏｍ  ａｃｃｅｓｓ  ｍｅｍｏｒｙ，ＲＡＭ）であってもい。
【０２８７】
上記メモリは、例示的なものであり、限定的なものではなく、例えば、本発明の実施例におけるメモリはまた、スタティックランダムアクセスメモリ（ｓｔａｔｉｃ  ＲＡＭ，ＳＲＡＭ）、ダイナミックランダムアクセスメモリ（ｄｙｎａｍｉｃ  ＲＡＭ，ＤＲＡＭ）、同期ダイナミックランダムアクセスメモリ（ｓｙｎｃｈｒｏｎｏｕｓ  ＤＲＡＭ，ＳＤＲＡＭ）、ダブルデータレート同期ダイナミックランダムアクセスメモリ（ｄｏｕｂｌｅ  ｄａｔａ  ｒａｔｅ  ＳＤＲＡＭ，ＤＤＲ  ＳＤＲＡＭ）、拡張同期ダイナミックランダムアクセスメモリ（ｅｎｈａｎｃｅｄ  ＳＤＲＡＭ，ＥＳＤＲＡＭ）、同期接続ダイナミックランダムアクセスメモリ（ｓｙｎｃｈ  ｌｉｎｋ  ＤＲＡＭ，ＳＬＤＲＡＭ）及びダイレクトラムバスランダムアクセスメモリ（Ｄｉｒｅｃｔ  Ｒａｍｂｕｓ  ＲＡＭ，ＤＲ  ＲＡＭ）等であってもよいことが理解されるべきである。つまり、本発明の実施例におけるメモリは、これら及び他の任意の適切なタイプのメモリを含むことを意図しているが、それらに限定されない。
【０２８８】
図８は、本発明の実施例に係る無線通信システム８００の概略ブロック図である。図８に示すように、この無線通信システム８００は、端末機器８１０及びネットワーク機器８２０を備える。ここで、この端末機器８１０は、端末機器の状態が変化したときに、輻輳制御機構を実行するために使用される。このネットワーク機器８２０は、端末機器の状態が変化したときに、この端末機器により送信された第１の要求情報を受信し、ネットワークが輻輳状態にあるときに、この端末機器に指示情報を送信するために使用され、この第１の要求情報は、第１のサービスを要求するために使用され、この指示情報は、この端末機器がこの第１のサービスを要求するときに輻輳制御機構を実行することを指示するために使用される。
【０２８９】
ここで、この端末機器８１０は、上記方法２００において端末機器により実現される対応する機能を実現するために使用されることができ、及びこの端末機器８１０の構成は、図４の端末機器４００に示す通りであってもよく、簡潔にするために、ここで詳細な説明を省略する。
【０２９０】
このネットワーク機器８２０は、上記方法３００においてネットワーク機器により実現される対応する機能を実現するために使用されることができ、及びこのネットワーク機器８２０の構成は、図５のネットワーク機器５００に示す通りであってもよく、簡潔にするために、ここで詳細な説明を省略する。
【０２９１】
上記実施例では、全部又は部分的にソフトウェア、ハードウェア、ファームウェア又はそれらの任意の組み合わせによって実現されることができる。ソフトウェアで実現されるとき、全部又は部分的にコンピュータプログラム製品の形で実現されることができる。このコンピュータプログラム製品は、１つ又は複数のコンピュータ命令を含む。このコンピュータプログラム命令がコンピュータにロードされ実行されると、本発明の実施例に従って説明されるフロー又は機能が全部又は部分的に生成される。このコンピュータは、汎用コンピュータ、専用コンピュータ、コンピュータネットワーク、又は他のプログラマブル装置であってもよい。このコンピュータ命令は、コンピュータ読み取り可能な記録媒体に記憶され、又は１つのコンピュータ読み取り可能な記録媒体から別のコンピュータ読み取り可能な記録媒体に伝送されることができ、例えば、このコンピュータ命令は、１つのウェブサイト、コンピュータ、サーバ又はデータセンターから、有線（例えば、同軸ケーブル、光ファイバ、デジタル加入者線（ＤＳＬ））又は無線（例えば、赤外線、無線、マイクロ波等）の方法で、別のウェブサイト、コンピュータ、サーバ又はデータセンターに伝送されることができる。このコンピュータ読み取り可能な記録媒体は、コンピュータによってアクセスすることができる任意の利用可能な媒体、又は１つ又は複数の利用可能な媒体により集積されているサーバ、データセンター等のデータ記憶装置であってもよい。この利用可能な媒体は、磁気媒体、（例えば、フレキシブルディスク、ハードディスク、磁気テープ）、光学媒体（例えば、ＤＶＤ）、又は半導体媒体（例えば、ソリッドステートディスク（Ｓｏｌｉｄ  Ｓｔａｔｅ  Ｄｉｓｋ，ＳＳＤ））等であってもよい。
【０２９２】
本発明の各実施例では、上記各フローの番号の大きさは、実行する前後順序を意味するものではなく、各フローの実行順序は、その機能及び内部論理により確定されるべきであり、本発明の実施例に係る実施フローに対していずれかの限定を構成しないことが理解されるべきである。
【０２９３】
当業者であれば、説明の便宜及び簡潔さのために、上述のシステム、装置及びユニットの具体的な作業プロセスは、前述の方法の実施例に係る対応するプロセスを参照することができ、ここで詳細な説明を省略することを理解することができる。
【０２９４】
以上は、本発明の具体的な実施形態にすぎず、本発明の範囲はこれらに限定されない。この技術分野の当業者であれば、いずれも本発明に提示された技術範囲内で、変更又は置き換えを行うことを容易に想到し得るものがいずれも本発明の範囲に含まれる。したがって、本発明の範囲は、特許請求の範囲により示される。
【図１】
2021527966.tif 000003
【図２】
2021527966.tif 000004
【図３】
2021527966.tif 000005
【図４】
2021527966.tif 000006
【図５】
2021527966.tif 000007
【図６】
2021527966.tif 000008
【図７】
2021527966.tif 000009
【図８】
2021527966.tif 000010
【手続補正書】
【提出日】令和3年4月12日(2021.4.12)
【手続補正１】
【補正対象書類名】明細書
【補正対象項目名】全文
【補正方法】変更
【補正の内容】
【発明の詳細な説明】
【技術分野】
【０００１】
本発明の実施例は、通信分野に関し、より詳細には、情報決定方法、端末機器及びネットワーク機器に関する。
【背景技術】
【０００２】
ロングタームエボリューション（Ｌｏｎｇ  Ｔｅｒｍ  Ｅｖｏｌｕｔｉｏｎ，ＬＴＥ）システムでは、端末機器は、セル固有参照信号（Ｃｅｌｌ−ｓｐｅｃｉｆｉｃ  Ｒｅｆｅｒｅｎｃｅ  Ｓｉｇｎａｌ，ＣＲＳ）及び／又は同期信号を使用してより良い時間周波数同期性能（ｔｉｍｉｎｇ／ｆｒｅｑｕｅｎｃｙ  ｔｒａｃｋｉｎｇ、又は、ｔｉｍｉｎｇ／ｆｒｅｑｕｅｎｃｙ  ｓｙｎｃｈｒｏｎｉｚａｔｉｏｎ）を得ることができる。
【０００３】
新無線（Ｎｅｗ  Ｒａｄｉｏ，ＮＲ）システムでは、端末機器は、トラッキング信号（Ｔｒａｃｋｉｎｇ  Ｒｅｆｅｒｅｎｃｅ  Ｓｉｇｎａｌ，ＴＲＳ、又は、Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ  ｆｏｒ  ｔｒａｃｋｉｎｇ，ＣＳＩ−ＲＳ  ｆｏｒ  ｔｒａｃｋｉｎｇ）によってタイミング及び／又は周波数のトラッキング／同期を行うことができる。しかしながら、現段階のＮＲシステムでは、タイミング及び／又は周波数のトラッキング／同期は、主にチャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ，ＣＳＩ−ＲＳ）リソースの周期的グループからなる周期的トラッキング信号（Ｐｅｒｉｏｄｉｃ  ＴＲＳ，Ｐ−ＴＲＳ）によって行われ、非周期的トラッキング信号（Ａｐｅｒｉｏｄｉｃ  ＴＲＳ，Ａ−ＴＲＳ）がタイミング及び／又は周波数のトラッキング／同期を実現するためにどのように構成されるかには関係しない。
【発明の概要】
【発明が解決しようとする課題】
【０００４】
本発明の実施例は、タイミング及び／又は周波数のトラッキング／同期性能を向上させ、システム全体の性能を改善させることができる情報決定方法、端末機器及びネットワーク機器を提供する。
【課題を解決するための手段】
【０００５】
第１の態様によれば、情報決定方法が提供され、この方法は、
端末機器が、ネットワーク機器により送信された第１の構成情報を受信し、この第１の構成情報は、少なくとも１つのＣＳＩ−ＲＳリソースグループを構成し、及びこの少なくとも１つのＣＳＩ−ＲＳリソースグループに対する第１のオフセット（ａｐｅｒｉｏｄｉｃ  ｔｒｉｇｇｅｒｉｎｇ  ｏｆｆｓｅｔ）を指示するために使用され、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロット（ｓｌｏｔ）を占有し、Ｐ及びＱは、２以上の整数であるステップと、
この端末機器が、このネットワーク機器により送信された第１の指示情報を受信し、この第１の指示情報は、この端末機器がこの第１の信号を受信するようにトリガーするために使用されるステップと、
この第１の指示情報に応答して、この端末機器が、この第１の構成情報に基づいてこの第１の信号を受信するステップと、を含む。
【０００６】
選択的に、この端末機器は、この第１の信号を使用してタイミング及び／又は周波数のトラッキング／同期を行う。
【０００７】
なお、この少なくとも１つのＣＳＩ−ＲＳリソースグループに対する第１のオフセットに関して、各ＣＳＩ−ＲＳリソースグループが、それに対応する第１のオフセットを有してもよい。例えば、この少なくとも１つのＣＳＩ−ＲＳリソースグループは、ＣＳＩ−ＲＳリソースグループ１及びＣＳＩ−ＲＳリソースグループ２を含み、ＣＳＩ−ＲＳリソースグループ１は、第１のオフセットａに対応し、ＣＳＩ−ＲＳリソースグループ２は、第１のオフセットｂに対応する。
【０００８】
したがって、本発明の実施例では、端末機器は、第１の構成情報に基づいて第１の信号を受信することができ、これにより、第１の信号を使用してタイミング及び／又は周波数のトラッキング／同期を行うことができ、タイミング及び／又は周波数のトラッキング／同期性能を向上させ、システム全体の性能を改善させた。
【０００９】
幾つかの可能な実現形態では、この第１の構成情報はまた、この少なくとも１つのＣＳＩ−ＲＳリソースグループに対応する第１の指示パラメータを構成するために使用され、この第１の指示パラメータは、この少なくとも１つのＣＳＩ−ＲＳリソースグループの用途を指示するために使用される。
【００１０】
幾つかの可能な実現形態では、この第１の指示パラメータは、パラメータｔｒｓ−Ｉｎｆｏである。
【００１１】
幾つかの可能な実現形態では、この少なくとも１つのＣＳＩ−ＲＳリソースグループは、第１のＣＳＩ−ＲＳリソースグループを含み、Ｐ＝Ｑ＝２であり、
この端末機器が、この第１の構成情報に基づいてこの第１の信号を受信するステップは、
この端末機器が、この第１の指示情報を受信したとき、この第１のオフセットに基づいてスロットｎを決定し、ｎは、０以上の整数であるステップと、
この端末機器が、このスロットｎに基づいて第１のスロット及び第２のスロットを決定し、及びこの第１のスロット及びこの第２のスロットでこの第１のＣＳＩ−ＲＳリソースグループ内のこの第１の信号を受信するステップと、を含む。
【００１２】
幾つかの可能な実現形態では、この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【００１３】
幾つかの可能な実現形態では、この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝Ｑ＝２であり、
この端末機器が、この第１の構成情報に基づいてこの第１の信号を受信するステップは、
この端末機器が、この第１の指示情報を受信したとき、この第１のオフセット及びこの第２のオフセットに基づいてスロットｎ及びスロットｍを決定し、ｎ及びｍは、０以上の整数であるステップと、
この端末機器が、このスロットｎ及びこのスロットｍでこの第１のＣＳＩ−ＲＳリソースグループ内のこの第１の信号を受信するステップと、を含む。
【００１４】
幾つかの可能な実現形態では、この端末機器が、この第１の指示情報を受信したとき、この第１のオフセット及びこの第２のオフセットに基づいてスロットｎ及びスロットｍを決定するステップは、
この端末機器が、この第１の指示情報を受信したとき、この第１のオフセットに基づいてこのスロットｎを決定し、及びこの第２のオフセットに基づいてこのスロットｍを決定するステップ、又は
この端末機器が、この第１の指示情報を受信したとき、この第１のオフセットに基づいてこのスロットｎを決定し、及びこの第１のオフセット及びこの第２のオフセットに基づいてこのスロットｍを決定するステップを含む。
【００１５】
幾つかの可能な実現形態では、このスロットｎとこのスロットｍとは、２つの連続するスロットであり、又は
このスロットｍは、このスロットｎの後のこの第１の信号を伝送できる最初の有効なダウンリンクスロットである。
【００１６】
幾つかの可能な実現形態では、この少なくとも１つのＣＳＩ−ＲＳリソースグループは、第１のＣＳＩ−ＲＳリソースグループを含み、Ｐ＝４、Ｑ＝２であり、
この端末機器が、この第１の構成情報に基づいてこの第１の信号を受信するステップは、
この端末機器が、この第１の指示情報を受信したとき、この第１のオフセットに基づいてスロットｎを決定し、ｎは、０以上の整数であるステップと、
この端末機器が、このスロットｎに基づいて第１のスロット及び第２のスロットを決定し、及びこの第１のスロット及びこの第２のスロットでこの第１のＣＳＩ−ＲＳリソースグループ内のこの第１の信号を受信するステップと、を含む。
【００１７】
幾つかの可能な実現形態では、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
この端末機器が、この第１のスロット及びこの第２のスロットでこの第１のＣＳＩ−ＲＳリソースグループ内のこの第１の信号を受信するステップは、
この端末機器が、この第１のＣＳＩ−ＲＳリソースグループ構成情報における４つのＣＳＩ−ＲＳリソースの位置順に基づき、この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであるステップ、又は
この端末機器が、この第１のＣＳＩ−ＲＳリソースグループ内の４つのＣＳＩ−ＲＳリソースの識別子ＩＤに基づき、この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであるステップ、又は
この端末機器が、この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信し、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じであるステップを含む。
【００１８】
幾つかの可能な実現形態では、この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【００１９】
幾つかの可能な実現形態では、この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝４、Ｑ＝２であり、
この端末機器が、この第１の構成情報に基づいてこの第１の信号を受信するステップは、
この端末機器が、この第１の指示情報を受信したとき、この第１のオフセット及びこの第２のオフセットに基づいてスロットｎ及びスロットｍを決定し、ｎ及びｍは、０以上の整数であるステップと、
この端末機器が、このスロットｎ及びこのスロットｍでこの第１のＣＳＩ−ＲＳリソースグループ内のこの第１の信号を受信するステップと、を含む。
【００２０】
幾つかの可能な実現形態では、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
この端末機器が、このスロットｎ及びこのスロットｍでこの第１のＣＳＩ−ＲＳリソースグループ内のこの第１の信号を受信するステップは、
この端末機器が、この第１のＣＳＩ−ＲＳリソースグループ構成情報における４つのＣＳＩ−ＲＳリソースの位置順に基づき、このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであるステップ、又は
この端末機器が、この第１のＣＳＩ−ＲＳリソースグループ内の４つのＣＳＩ−ＲＳリソースの識別子ＩＤに基づき、このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであるステップ、又は
この端末機器が、このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信し、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じであるステップを含む。
【００２１】
幾つかの可能な実現形態では、この端末機器が、この第１の指示情報を受信したとき、この第１のオフセット及びこの第２のオフセットに基づいてスロットｎ及びスロットｍを決定するステップは、
この端末機器が、この第１の指示情報を受信したとき、この第１のオフセットに基づいてこのスロットｎを決定し、及びこの第２のオフセットに基づいてこのスロットｍを決定するステップ、又は
この端末機器が、この第１の指示情報を受信したとき、この第１のオフセットに基づいてこのスロットｎを決定し、及びこの第１のオフセット及びこの第２のオフセットに基づいてこのスロットｍを決定するステップを含む。
【００２２】
幾つかの可能な実現形態では、このスロットｎとこのスロットｍとは、２つの連続するスロットであり、又は
このスロットｍは、このスロットｎの後のこの第１の信号を伝送できる最初の有効なダウンリンクスロットである。
【００２３】
幾つかの可能な実現形態では、この少なくとも１つのＣＳＩ−ＲＳリソースグループは、第１のＣＳＩ−ＲＳリソースグループを含み、この第１の構成情報はまた、この第１のＣＳＩ−ＲＳリソースグループ内の各ＣＳＩ−ＲＳリソースに対する第３のオフセットを指示するために使用され、Ｐ＝４、Ｑ＝２であり、
この端末機器が、この第１の構成情報に基づいてこの第１の信号を受信するステップは、
この端末機器が、この第１の指示情報を受信したとき、この第１のオフセット及び第１のＣＳＩ−ＲＳリソースに対する第３のオフセットに基づいてスロットｎを決定し、又は、この端末機器が、この第１の指示情報を受信したとき、第１のＣＳＩ−ＲＳリソースに対する第３のオフセットに基づいてスロットｎを決定し、ここで、この第１のＣＳＩ−ＲＳリソースは、この第１のＣＳＩ−ＲＳリソースグループ内の４つのＣＳＩ−ＲＳリソースのうちのいずれか１つのＣＳＩ−ＲＳリソースであり、ｎは、０以上の整数であるステップと、
この端末機器が、このスロットｎでこの第１のＣＳＩ−ＲＳリソース内のこの第１の信号を受信するステップと、を含む。
【００２４】
幾つかの可能な実現形態では、この第３のオフセットは具体的に、この第１のＣＳＩ−ＲＳリソースグループ内に構成され、又は、具体的に、それに対応するＣＳＩ−ＲＳリソース内に構成される。
【００２５】
幾つかの可能な実現形態では、この第３のオフセットが具体的に、この第１のＣＳＩ−ＲＳリソースグループ内に構成される場合、
この第１のＣＳＩ−ＲＳリソースグループ内のＣＳＩ−ＲＳリソースの一部又は全部は、この第３のオフセットが構成される。
【００２６】
幾つかの可能な実現形態では、この第１のＣＳＩ−ＲＳリソースグループに、第３のオフセットが構成されていないＣＳＩ−ＲＳリソースが少なくとも１つ含まれる場合、この第１の構成情報は、この第３のオフセットが構成されていない少なくとも１つのＣＳＩ−ＲＳリソースのうちの各ＣＳＩ−ＲＳリソースに対応するこの第３のオフセットを事前構成値として指示する。
【００２７】
幾つかの可能な実現形態では、この第３のオフセットが具体的に、それに対応するＣＳＩ−ＲＳリソース内に構成される場合、この第１のＣＳＩ−ＲＳリソースグループは、第２のＣＳＩ−ＲＳリソースを含み、
この第２のＣＳＩ−ＲＳリソース内にこの第３のオフセットが構成されない場合、この第１の構成情報は、この第２のＣＳＩ−ＲＳリソースに対応するこの第３のオフセットを事前構成値として指示する。
【００２８】
幾つかの可能な実現形態では、この事前構成値は、０である。
【００２９】
幾つかの可能な実現形態では、この第３のオフセットが具体的に、それに対応するＣＳＩ−ＲＳリソース内に構成される場合、この第１のＣＳＩ−ＲＳリソースに対応するこの第３のオフセットは、フィールドの指示に応じて周期的信号構成に従って解読した後に得られたオフセットによって決定される。
【００３０】
幾つかの可能な実現形態では、この少なくとも１つのＣＳＩ−ＲＳリソースグループは、第１のＣＳＩ−ＲＳリソースグループ及び第２のＣＳＩ−ＲＳリソースグループを含み、Ｐ＝Ｑ＝２であり、
この端末機器が、この第１の構成情報に基づいてこの第１の信号を受信するステップは、
この端末機器が、この第１の指示情報を受信したとき、この第１のＣＳＩ−ＲＳリソースグループに対応するこの第１のオフセットに基づいてスロットｎを決定し、及びこの第２のＣＳＩ−ＲＳリソースグループに対応するこの第１のオフセットに基づいてスロットｍを決定し、ｎ及びｍは、０以上の整数であるステップと、
この端末機器が、このスロットｎでこの第１のＣＳＩ−ＲＳリソースグループ内のこの第１の信号を受信し、及びこのスロットｍでこの第２のＣＳＩ−ＲＳリソースグループ内のこの第１の信号を受信するステップと、を含む。
【００３１】
幾つかの可能な実現形態では、この第１のＣＳＩ−ＲＳリソースグループに対応するこの第１のオフセットとこの第２のＣＳＩ−ＲＳリソースグループに対応するこの第１のオフセットとの間は、Ｋスロットの差があり、Ｋは、１以上の整数である。
【００３２】
幾つかの可能な実現形態では、Ｋ＝１である。
【００３３】
幾つかの可能な実現形態では、この第１の信号は、トラッキング用の非周期的ＣＳＩ−ＲＳ信号（Ａｐｅｒｉｏｄｉｃ  ＣＳＩ−ＲＳ  ｆｏｒ  Ｔｒａｃｋｉｎｇ）である。
【００３４】
幾つかの可能な実現形態では、この第１の構成情報は、無線リソース制御（Ｒａｄｉｏ  Ｒｅｓｏｕｒｃｅ  Ｃｏｎｔｒｏｌ，ＲＲＣ）シグナリングであり、この第１の指示情報は、ダウンリンク制御情報（Ｄｏｗｎｌｉｎｋ  Ｃｏｎｔｒｏｌ  Ｉｎｆｏｒｍａｔｉｏｎ，ＤＣＩ）シグナリングである。
【００３５】
第２の態様によれば、情報決定方法が提供され、この方法は、
ネットワーク機器が、端末機器に第１の構成情報を送信し、この第１の構成情報は、少なくとも１つのＣＳＩ−ＲＳリソースグループを構成し、及びこの少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロットを占有し、Ｐ及びＱは、２以上の整数であるステップと、
このネットワーク機器が、この端末機器に第１の指示情報を送信し、この第１の指示情報は、この端末機器がこの第１の信号を受信するようにトリガーするために使用されるステップと、
このネットワーク機器が、この第１の構成情報に基づいてこの端末機器にこの第１の信号を送信するステップと、を含む。
【００３６】
選択的に、この端末機器は、この第１の信号を使用してタイミング及び／又は周波数のトラッキング／同期を行う。
【００３７】
したがって、本発明の実施例では、ネットワーク機器は、端末機器に第１の構成情報を送信し、端末機器に端末機器が第１の信号を受信するようにトリガーするための第１の指示情報を送信し、及び第１の構成情報に基づいて第１の信号を送信し、これにより、端末機器は、第１の構成情報に基づいて第１の信号を受信することができ、さらに、第１の信号を使用してタイミング及び／又は周波数のトラッキング／同期を行うことができ、タイミング及び／又は周波数のトラッキング／同期性能を向上させ、システム全体の性能を改善させた。
【００３８】
幾つかの可能な実現形態では、この第１の構成情報はまた、この少なくとも１つのＣＳＩ−ＲＳリソースグループに対応する第１の指示パラメータを構成するために使用され、この第１の指示パラメータは、この少なくとも１つのＣＳＩ−ＲＳリソースグループの用途を指示するために使用される。
【００３９】
幾つかの可能な実現形態では、この第１の指示パラメータは、パラメータｔｒｓ−Ｉｎｆｏである。
【００４０】
幾つかの可能な実現形態では、この少なくとも１つのＣＳＩ−ＲＳリソースグループは、第１のＣＳＩ−ＲＳリソースグループを含み、Ｐ＝Ｑ＝２であり、
このネットワーク機器が、この第１の構成情報に基づいてこの端末機器にこの第１の信号を送信するステップは、
このネットワーク機器が、この第１の指示情報を送信するとき、この第１のオフセットに基づいてスロットｎを決定し、ｎは、０以上の整数であるステップと、
このネットワーク機器が、このスロットｎに基づいて第１のスロット及び第２のスロットを決定し、及びこの第１のスロット及びこの第２のスロットでこの端末機器にこの第１のＣＳＩ−ＲＳリソースグループ内のこの第１の信号を送信するステップと、を含む。
【００４１】
幾つかの可能な実現形態では、この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【００４２】
幾つかの可能な実現形態では、この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝Ｑ＝２であり、
このネットワーク機器が、この第１の構成情報に基づいてこの端末機器にこの第１の信号を送信するステップは、
このネットワーク機器が、この第１の指示情報を送信するとき、この第１のオフセット及びこの第２のオフセットに基づいてスロットｎ及びスロットｍを決定し、ｎ及びｍは、０以上の整数であるステップと、
このネットワーク機器が、このスロットｎ及びこのスロットｍでこの端末機器にこの第１のＣＳＩ−ＲＳリソースグループ内のこの第１の信号を送信するステップと、を含む。
【００４３】
幾つかの可能な実現形態では、このネットワーク機器が、この第１の指示情報を送信するとき、この第１のオフセット及びこの第２のオフセットに基づいてスロットｎ及びスロットｍを決定するステップは、
このネットワーク機器が、この第１の指示情報を送信するとき、この第１のオフセットに基づいてこのスロットｎを決定し、及びこの第２のオフセットに基づいてこのスロットｍを決定するステップ、又は
このネットワーク機器が、この第１の指示情報を送信するとき、この第１のオフセットに基づいてこのスロットｎを決定し、及びこの第１のオフセット及びこの第２のオフセットに基づいてこのスロットｍを決定するステップを含む。
【００４４】
幾つかの可能な実現形態では、このスロットｎとこのスロットｍとは、２つの連続するスロットであり、又は
このスロットｍは、このスロットｎの後のこの第１の信号を伝送できる最初の有効なダウンリンクスロットである。
【００４５】
幾つかの可能な実現形態では、この少なくとも１つのＣＳＩ−ＲＳリソースグループは、第１のＣＳＩ−ＲＳリソースグループを含み、Ｐ＝４、Ｑ＝２であり、
このネットワーク機器が、この第１の構成情報に基づいてこの端末機器にこの第１の信号を送信するステップは、
このネットワーク機器が、この第１の指示情報を送信するとき、この第１のオフセットに基づいてスロットｎを決定し、ｎは、０以上の整数であるステップと、
このネットワーク機器が、このスロットｎに基づいて第１のスロット及び第２のスロットを決定し、及びこの第１のスロット及びこの第２のスロットでこの端末機器にこの第１のＣＳＩ−ＲＳリソースグループ内のこの第１の信号を送信するステップと、を含む。
【００４６】
幾つかの可能な実現形態では、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
このネットワーク機器が、この第１のスロット及びこの第２のスロットでこの端末機器にこの第１のＣＳＩ−ＲＳリソースグループ内のこの第１の信号を送信するステップは、
このネットワーク機器が、この第１のＣＳＩ−ＲＳリソースグループ構成情報における４つのＣＳＩ−ＲＳリソースの位置順に基づき、この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであるステップ、又は
このネットワーク機器が、この第１のＣＳＩ−ＲＳリソースグループ内の４つのＣＳＩ−ＲＳリソースの識別子ＩＤに基づき、この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであるステップ、又は
このネットワーク機器が、この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信し、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じであるステップを含む。
【００４７】
幾つかの可能な実現形態では、この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【００４８】
幾つかの可能な実現形態では、この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝４、Ｑ＝２であり、
このネットワーク機器が、この第１の構成情報に基づいてこの端末機器にこの第１の信号を送信するステップは、
このネットワーク機器が、この第１の指示情報を送信するとき、この第１のオフセット及びこの第２のオフセットに基づいてスロットｎ及びスロットｍを決定し、ｎ及びｍは、０以上の整数であるステップと、
このネットワーク機器が、このスロットｎ及びこのスロットｍでこの端末機器にこの第１のＣＳＩ−ＲＳリソースグループ内のこの第１の信号を送信するステップと、を含む。
【００４９】
幾つかの可能な実現形態では、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
このネットワーク機器が、このスロットｎ及びこのスロットｍでこの端末機器にこの第１のＣＳＩ−ＲＳリソースグループ内のこの第１の信号を送信するステップは、
このネットワーク機器が、この第１のＣＳＩ−ＲＳリソースグループ構成情報における４つのＣＳＩ−ＲＳリソースの位置順に基づき、このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであるステップ、又は
このネットワーク機器が、この第１のＣＳＩ−ＲＳリソースグループ内の４つのＣＳＩ−ＲＳリソースの識別子ＩＤに基づき、このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであるステップ、又は
このネットワーク機器が、このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信し、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じであるステップを含む。
【００５０】
幾つかの可能な実現形態では、このネットワーク機器が、この第１の指示情報を送信するとき、この第１のオフセット及びこの第２のオフセットに基づいてスロットｎ及びスロットｍを決定するステップは、
このネットワーク機器が、この第１の指示情報を送信するとき、この第１のオフセットに基づいてこのスロットｎを決定し、及びこの第２のオフセットに基づいてこのスロットｍを決定するステップ、又は
このネットワーク機器が、この第１の指示情報を送信するとき、この第１のオフセットに基づいてこのスロットｎを決定し、及びこの第１のオフセット及びこの第２のオフセットに基づいてこのスロットｍを決定するステップを含む。
【００５１】
幾つかの可能な実現形態では、このスロットｎとこのスロットｍとは、２つの連続するスロットであり、又は
このスロットｍは、このスロットｎの後のこの第１の信号を伝送できる最初の有効なダウンリンクスロットである。
【００５２】
幾つかの可能な実現形態では、この少なくとも１つのＣＳＩ−ＲＳリソースグループは、第１のＣＳＩ−ＲＳリソースグループを含み、この第１の構成情報はまた、この第１のＣＳＩ−ＲＳリソースグループ内の各ＣＳＩ−ＲＳリソースに対する第３のオフセットを指示するために使用され、Ｐ＝４、Ｑ＝２であり、
このネットワーク機器が、この第１の構成情報に基づいてこの端末機器にこの第１の信号を送信するステップは、
このネットワーク機器が、この第１の指示情報を送信するとき、この第１のオフセット及び第１のＣＳＩ−ＲＳリソースに対する第３のオフセットに基づいてスロットｎを決定し、又は、このネットワーク機器が、この第１の指示情報を送信するとき、第１のＣＳＩ−ＲＳリソースに対する第３のオフセットに基づいてスロットｎを決定し、ここで、この第１のＣＳＩ−ＲＳリソースは、この第１のＣＳＩ−ＲＳリソースグループ内の４つのＣＳＩ−ＲＳリソースのうちのいずれか１つのＣＳＩ−ＲＳリソースであり、ｎは、０以上の整数であるステップと、
このネットワーク機器が、このスロットｎでこの端末機器にこの第１のＣＳＩ−ＲＳリソース内のこの第１の信号を送信するステップと、を含む。
【００５３】
幾つかの可能な実現形態では、この第３のオフセットは具体的に、この第１のＣＳＩ−ＲＳリソースグループ内に構成され、又は、具体的に、それに対応するＣＳＩ−ＲＳリソース内に構成される。
【００５４】
幾つかの可能な実現形態では、この第３のオフセットが具体的に、この第１のＣＳＩ−ＲＳリソースグループ内に構成される場合、
この第１のＣＳＩ−ＲＳリソースグループ内のＣＳＩ−ＲＳリソースの一部又は全部は、この第３のオフセットが構成される。
【００５５】
幾つかの可能な実現形態では、この第１のＣＳＩ−ＲＳリソースグループに、第３のオフセットが構成されていないＣＳＩ−ＲＳリソースが少なくとも１つ含まれる場合、この第１の構成情報は、この第３のオフセットが構成されていない少なくとも１つのＣＳＩ−ＲＳリソースのうちの各ＣＳＩ−ＲＳリソースに対応するこの第３のオフセットを事前構成値として指示する。
【００５６】
幾つかの可能な実現形態では、この第３のオフセットが具体的に、それに対応するＣＳＩ−ＲＳリソース内に構成される場合、この第１のＣＳＩ−ＲＳリソースグループは、第２のＣＳＩ−ＲＳリソースを含み、
この第２のＣＳＩ−ＲＳリソース内にこの第３のオフセットが構成されない場合、この第１の構成情報は、この第２のＣＳＩ−ＲＳリソースに対応するこの第３のオフセットを事前構成値として指示する。
【００５７】
幾つかの可能な実現形態では、この事前構成値は、０である。
【００５８】
幾つかの可能な実現形態では、この第３のオフセットが具体的に、それに対応するＣＳＩ−ＲＳリソース内に構成される場合、この第１のＣＳＩ−ＲＳリソースに対応するこの第３のオフセットは、フィールドの指示に応じて周期的信号構成に従って解読した後に得られたオフセットによって決定される。
【００５９】
幾つかの可能な実現形態では、この少なくとも１つのＣＳＩ−ＲＳリソースグループは、第１のＣＳＩ−ＲＳリソースグループ及び第２のＣＳＩ−ＲＳリソースグループを含み、Ｐ＝Ｑ＝２であり、
このネットワーク機器が、この第１の構成情報に基づいてこの端末機器にこの第１の信号を送信するステップは、
このネットワーク機器が、この第１の指示情報を送信するとき、この第１のＣＳＩ−ＲＳリソースグループに対応するこの第１のオフセットに基づいてスロットｎを決定し、及びこの第２のＣＳＩ−ＲＳリソースグループに対応するこの第１のオフセットに基づいてスロットｍを決定し、ｎ及びｍは、０以上の整数であるステップと、
このネットワーク機器が、このスロットｎでこの端末機器にこの第１のＣＳＩ−ＲＳリソースグループ内のこの第１の信号を送信し、及びこのスロットｍでこの端末機器にこの第２のＣＳＩ−ＲＳリソースグループ内のこの第１の信号を送信するステップと、を含む。
【００６０】
幾つかの可能な実現形態では、この第１のＣＳＩ−ＲＳリソースグループに対応するこの第１のオフセットとこの第２のＣＳＩ−ＲＳリソースグループに対応するこの第１のオフセットとの間は、Ｋスロットの差があり、Ｋは、１以上の整数である。
【００６１】
幾つかの可能な実現形態では、Ｋ＝１である。
【００６２】
幾つかの可能な実現形態では、この第１の信号は、トラッキング用の非周期的ＣＳＩ−ＲＳ信号である。
【００６３】
幾つかの可能な実現形態では、この第１の構成情報は、ＲＲＣシグナリングであり、この第１の指示情報は、ＤＣＩシグナリングである。
【００６４】
第３の態様によれば、上記第１の態様又はその様々な実現形態における方法を実行するための端末機器が提供される。
【００６５】
具体的に、この端末機器は、上記第１の態様又はその様々な実現形態における方法を実行するための機能モジュールを備える。
【００６６】
第４の態様によれば、上記第２の態様又はその様々な実現形態における方法を実行するためのネットワーク機器が提供される。
【００６７】
具体的に、このネットワーク機器は、上記第２の態様又はその様々な実現形態における方法を実行するための機能モジュールを備える。
【００６８】
第５の態様によれば、プロセッサー及びメモリを備える端末機器が提供される。このメモリは、コンピュータプログラムを記憶するために使用され、このプロセッサーは、このメモリに記憶されているコンピュータプログラムを呼び出して実行するために使用され、これにより、上記第１の態様又はその様々な実現形態における方法が実行される。
【００６９】
第６の態様によれば、プロセッサー及びメモリを備えるネットワーク機器が提供される。このメモリは、コンピュータプログラムを記憶するために使用され、このプロセッサーは、このメモリに記憶されているコンピュータプログラムを呼び出して実行するために使用され、これにより、上記第２の態様又はその様々な実現形態における方法が実行される。
【００７０】
第７の態様によれば、上記第１の態様乃至第２の態様のいずれか１つ又はその様々な実現形態における方法を実現するためのチップが提供される。
【００７１】
具体的に、このチップは、このチップが実装された機器が上記第１の態様乃至第２の態様のいずれか１つ又はその様々な実現形態における方法を実行するように、メモリからコンピュータプログラムを呼び出して実行するためのプロセッサーを備える。
【００７２】
第８の態様によれば、上記第１の態様乃至第２の態様のいずれか１つ又はその様々な実現形態における方法をコンピュータに実行させるコンピュータプログラムを記憶するためのコンピュータ読み取り可能な記録媒体が提供される。
【００７３】
第９の態様によれば、上記第１の態様乃至第２の態様のいずれか１つ又はその様々な実現形態における方法をコンピュータに実行させるコンピュータプログラム命令を含むコンピュータプログラム製品が提供される。
【００７４】
第１０の態様によれば、コンピュータ上で実行されるとき、上記第１の態様乃至第２の態様のいずれか１つ又はその様々な実現形態における方法をコンピュータに実行させるコンピュータプログラムが提供される。
【００７５】
第１１の態様によれば、端末機器及びネットワーク機器を備える無線通信システムが提供され、ここで、
この端末機器は、ネットワーク機器により送信された第１の構成情報を受信し、この第１の構成情報は、少なくとも１つのＣＳＩ−ＲＳリソースグループを構成し、及びこの少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロットを占有し、Ｐ及びＱは、２以上の整数であり、このネットワーク機器により送信された第１の指示情報を受信し、この第１の指示情報は、この端末機器がこの第１の信号を受信するようにトリガーするために使用され、この第１の指示情報に応答して、この第１の構成情報に基づいてこの第１の信号を受信するために使用され、
このネットワーク機器は、端末機器に第１の構成情報を送信し、この第１の構成情報は、少なくとも１つのＣＳＩ−ＲＳリソースグループを構成し、及びこの少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロットを占有し、Ｐ及びＱは、２以上の整数であり、この端末機器に第１の指示情報を送信し、この第１の指示情報は、この端末機器がこの第１の信号を受信するようにトリガーするために使用され、この第１の構成情報に基づいてこの端末機器にこの第１の信号を送信するために使用される。
【００７６】
具体的に、この端末機器は、上記第１の態様又はその様々な実現形態における方法を実行するために使用され、及びこのネットワーク機器は、上記第２の態様又はその様々な実現形態における方法を実行するために使用される。
【図面の簡単な説明】
【００７７】
【図１】本発明の実施例の応用シーンの模式図である。
【図２】本発明の一実施例に係る情報決定方法の概略フローチャートである。
【図３】本発明の別の実施例に係る情報決定方法の概略フローチャートである。
【図４】本発明の実施例に係る端末機器の概略ブロック図である。
【図５】本発明の実施例に係るネットワーク機器の概略ブロック図である。
【図６】本発明の実施例に係る通信機器の概略ブロック図である。
【図７】本発明の実施例に係るチップの概略ブロック図である。
【図８】本発明の実施例に係る無線通信システムの概略ブロック図である。
【発明を実施するための形態】
【００７８】
以下、本発明の実施例に係る図面を参照しながら、本発明の技術手段について説明する。
【００７９】
本発明の実施例は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ，ＧＳＭ）システム、符号分割多元接続（Ｃｏｄｅ  Ｄｉｖｉｓｉｏｎ  Ｍｕｌｔｉｐｌｅ  Ａｃｃｅｓｓ，ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ，ＧＰＲＳ）、ロングタームエボリューション（Ｌｏｎｇ  Ｔｅｒｍ  Ｅｖｏｌｕｔｉｏｎ，ＬＴＥ）システム、アドバンストロングタームエボリューション（Ａｄｖａｎｃｅｄ  ｌｏｎｇ  ｔｅｒｍ  ｅｖｏｌｕｔｉｏｎ，ＬＴＥ−Ａ）システム、新無線（Ｎｅｗ  Ｒａｄｉｏ，ＮＲ）システム、ＮＲシステムの進化システム、アンライセンスバンドに基づくＬＴＥ（ＬＴＥ−ｂａｓｅｄ  ａｃｃｅｓｓ  ｔｏ  ｕｎｌｉｃｅｎｓｅｄ  ｓｐｅｃｔｒｕｍ，ＬＴＥ−Ｕ）システム、アンライセンスバンドに基づくＮＲ（ＮＲ−ｂａｓｅｄ  ａｃｃｅｓｓ  ｔｏ  ｕｎｌｉｃｅｎｓｅｄ  ｓｐｅｃｔｒｕｍ，ＮＲ−Ｕ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ，ＵＭＴＳ）、無線ＬＡＮ（Ｗｉｒｅｌｅｓｓ  Ｌｏｃａｌ  Ａｒｅａ  Ｎｅｔｗｏｒｋｓ，ＷＬＡＮ）、ワイファイ（Ｗｉｒｅｌｅｓｓ  ＦＩＤｅｌｉｔｙ，ＷｉＦｉ）、次世代通信システム、又は他の通信システム等の様々な通信システムに適用されることができる。
【００８０】
一般的に、従来の通信システムは、限られた数の接続しかサポートせず、実現も容易であるが、通信技術の発展に伴い、移動通信システムは、従来の通信をサポートするだけでなく、例えば、機器ツー機器（Ｄｅｖｉｃｅ  ｔｏ  Ｄｅｖｉｃｅ，Ｄ２Ｄ）通信、マシンツーマシン（Ｍａｃｈｉｎｅ  ｔｏ  Ｍａｃｈｉｎｅ，Ｍ２Ｍ）通信、マシンタイプ通信（Ｍａｃｈｉｎｅ  Ｔｙｐｅ  Ｃｏｍｍｕｎｉｃａｔｉｏｎ，ＭＴＣ）、及び車両間（Ｖｅｈｉｃｌｅ  ｔｏ  Ｖｅｈｉｃｌｅ，Ｖ２Ｖ）通信等もサポートするようになり、本発明の実施例は、これらの通信システムにも適用されることができる。
【００８１】
選択的に、本発明の実施例における通信システムは、キャリアアグリゲーション（Ｃａｒｒｉｅｒ  Ａｇｇｒｅｇａｔｉｏｎ，ＣＡ）シーンに適用されてもよいが、デュアルコネクティビティ（Ｄｕａｌ  Ｃｏｎｎｅｃｔｉｖｉｔｙ，ＤＣ）シーンに適用されてもよく、また、独立した（Ｓｔａｎｄａｌｏｎｅ，ＳＡ）ネットワークシーンに適用されてもよい。
【００８２】
本発明の実施例では、適用されるスペクトルについて限定をしない。例えば、本発明の実施例は、ライセンスバンドに適用されてもよいが、アンライセンスバンドに適用されてもよい。
【００８３】
本発明の実施例では、ネットワーク機器及び端末機器に関連して、各実施例を説明しており、ここで、端末機器は、ユーザ装置（Ｕｓｅｒ  Ｅｑｕｉｐｍｅｎｔ，ＵＥ）、アクセス端末、ユーザユニット、ユーザ局、移動局、モバイルステーション、遠隔局、遠隔端末、モバイル機器、ユーザ端末、端末、無線通信機器、ユーザエージェント又はユーザ装置等と称されてもよい。端末機器は、ＷＬＡＮにおけるステーション（ＳＴＡＩＯＮ，ＳＴ）であってもよく、携帯電話、コードレス電話、セッション確立プロトコル（Ｓｅｓｓｉｏｎ  Ｉｎｉｔｉａｔｉｏｎ  Ｐｒｏｔｏｃｏｌ，ＳＩＰ）電話、ワイヤレスローカルループ（Ｗｉｒｅｌｅｓｓ  Ｌｏｃａｌ  Ｌｏｏｐ，ＷＬＬ）局、携帯情報端末（Ｐｅｒｓｏｎａｌ  Ｄｉｇｉｔａｌ  Ａｓｓｉｓｔａｎｔ，ＰＤＡ）装置、無線通信機能のあるハンドヘルド装置、計算装置又は無線モデムに接続する他の処理装置、車載機器、ウェアラブル機器、及びＮＲネットワークにおける端末機器又は未来進化の公衆陸上移動体ネットワーク（Ｐｕｂｌｉｃ  Ｌａｎｄ  Ｍｏｂｉｌｅ  Ｎｅｔｗｏｒｋ，ＰＬＭＮ）における端末機器等の次世代通信システムであってもよい。
【００８４】
限定ではなく例として、本発明の実施例では、この端末機器はまた、ウェアラブル機器であってもよい。ウェアラブル機器は、ウェアラブルスマート機器と称されてもよく、ウェアラブル技術を適用して、メガネ、手袋、時計、衣服及び靴等の日常着用に対してスマート化設計を行って開発されたウェアラブル機器の総称である。即ち、ウェアラブル機器は、身に直接に着用され、又はユーザの服やアクセサリーに統合されている携帯用機器である。ウェアラブル機器は、単なるハードウェア機器でなく、さらに、ソフトウェアサポート、データインタラクション及びクラウドインタラクションによって、強力な機能を実現している。一般的なウェアラブルスマート機器には、フル機能、大サイズ、スマートフォンを依存することなく完全又は部分的な機能を実現することができるスマートウォッチやスマートメガネ等、及びいずれか１種類のアプリケーション機能のみに焦点を当て、スマートフォンのような他の機器と組み合わせて使用する必要があるサインモニタリング用の様々なスマートブレスレット、スマートジュエリー等が含まれる。
【００８５】
ネットワーク機器は、モバイル機器と通信するための機器であってもよく、ネットワーク機器は、ＷＬＡＮにおけるアクセスポイント（Ａｃｃｅｓｓ  Ｐｏｉｎｔ，ＡＰ）、ＧＳＭ又はＣＤＭＡにおける基地局（Ｂａｓｅ  Ｔｒａｎｓｃｅｉｖｅｒ  Ｓｔａｔｉｏｎ，ＢＴＳ）であってもよいが、ＷＣＤＭＡにおける基地局（ＮｏｄｅＢ，ＮＢ）であってもよく、また、ＬＴＥにおける進化型基地局（Ｅｖｏｌｕｔｉｏｎａｌ  Ｎｏｄｅ  Ｂ，ｅＮＢ又はｅＮｏｄｅＢ）、中継局、アクセスポイント、車載機器、ウェアラブル機器、及びＮＲネットワークにおけるネットワーク機器（ｇＮＢ）又は未来進化のＰＬＭＮネットワークにおけるネットワーク機器等であってもよい。
【００８６】
本発明の実施例では、ネットワーク機器が、セルに対してサービスを提供し、端末機器が、このセルで使用される伝送リソース（例えば、周波数区域リソース、又は、スペクトルリソース）によってネットワーク機器と通信を行い、このセルは、ネットワーク機器（例えば、基地局）に対応するセルであってもよく、セルは、マクロ基地局に属してもよいが、スモールセル（Ｓｍａｌｌ  ｃｅｌｌ）に対応する基地局に属してもよく、ここで、スモールセルは、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）等を含んでもよく、これらのスモールセルは、カバレッジが小さく、送信電力が低いという特徴を有しており、高速なデータ伝送サービスを提供するのに適している。
【００８７】
図１は、１つのネットワーク機器及び２つの端末機器を例示的に示しており、選択的に、この無線通信システム１００は、複数のネットワーク機器を備えてもよく、各ネットワーク機器のカバレッジ内に、他の数の端末機器が含まれてもよく、本発明の実施例では、これについて限定をしない。
【００８８】
選択的に、この無線通信システム１００はまた、モビリティ管理エンティティ（Ｍｏｂｉｌｉｔｙ  Ｍａｎａｇｅｍｅｎｔ  Ｅｎｔｉｔｙ，ＭＭＥ）、アクセス及びモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ，ＡＭＦ）等の他のネットワークエンティティを含んでもよいが、本発明の実施例はこれに限定されない。
【００８９】
本明細書における名詞「システム」及び「ネットワーク」は、本明細書においてしばしば互換的に使用されることが理解されるべきである。本明細書における用語「及び／又は」は、関連するオブジェクトを説明する関連付けにすぎず、３つの関係が存在できることを表し、例えば、Ａ及び／又はＢは、Ａが単独に存在し、Ａ及びＢが同時に存在し、Ｂが単独に存在するという３つの場合を表すことができる。また、本明細書における符号「／」は、一般的に前後関連するオブジェクトの間が「又は」の関係であることを表す。
【００９０】
図２は、本発明の実施例に係る情報決定方法２００の概略フローチャートである。この方法２００は選択的に、図１に示すシステムに適用されることができるが、それに限定されない。この方法２００は、下記の内容の少なくとも一部を含む。
【００９１】
Ｓ２１０：端末機器が、ネットワーク機器により送信された第１の構成情報を受信し、この第１の構成情報は、少なくとも１つのＣＳＩ−ＲＳリソースグループを構成し、及びこの少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロットを占有し、Ｐ及びＱは、２以上の整数である。
【００９２】
選択的に、この第１の構成情報は、ＲＲＣシグナリングである。
【００９３】
なお、この少なくとも１つのＣＳＩ−ＲＳリソースグループに対する第１のオフセットに関して、各ＣＳＩ−ＲＳリソースグループが、それに対応する第１のオフセットを有してもよい。例えば、この少なくとも１つのＣＳＩ−ＲＳリソースグループは、ＣＳＩ−ＲＳリソースグループ１及びＣＳＩ−ＲＳリソースグループ２を含み、ＣＳＩ−ＲＳリソースグループ１は、第１のオフセットａに対応し、ＣＳＩ−ＲＳリソースグループ２は、第１のオフセットｂに対応する。
【００９４】
選択的に、この端末機器は、この第１の信号を使用してタイミング及び／又は周波数のトラッキング／同期を行う。
【００９５】
選択的に、この第１の構成情報はまた、この少なくとも１つのＣＳＩ−ＲＳリソースグループに対応する第１の指示パラメータを構成するために使用され、この第１の指示パラメータは、この少なくとも１つのＣＳＩ−ＲＳリソースグループの用途を指示するために使用される。
【００９６】
例えば、この第１の指示パラメータは、パラメータｔｒｓ−Ｉｎｆｏである。
【００９７】
選択的に、この第１の信号は、トラッキング用の非周期的ＣＳＩ−ＲＳ信号である。この第１の信号は、非周期的トラッキング信号（Ａ−ＴＲＳ）と称されてもよい。
【００９８】
Ｓ２２０：この端末機器が、このネットワーク機器により送信された第１の指示情報を受信し、この第１の指示情報は、この端末機器がこの第１の信号を受信するようにトリガーするために使用される。
【００９９】
選択的に、この第１の指示情報は、ＤＣＩシグナリングである。
【０１００】
Ｓ２３０：この第１の指示情報に応答して、この端末機器が、この第１の構成情報に基づいてこの第１の信号を受信する。
【０１０１】
以下、具体的な実施例に関連して、本発明の実施例における情報決定方法２００について説明する。
【０１０２】
実施例１
この少なくとも１つのＣＳＩ−ＲＳリソースグループは、第１のＣＳＩ−ＲＳリソースグループを含み、Ｐ＝Ｑ＝２であり、つまり、この第１のＣＳＩ−ＲＳリソースグループは、２つのＣＳＩ−ＲＳリソースを含み、及びこの第１の信号は、２つのスロットを占有する（ｂｕｒｓｔ  ｌｅｎｇｔｈ  Ｘ＝２）。
【０１０３】
この第１の構成情報が指示するこの第１のオフセットは、この第１のＣＳＩ−ＲＳリソースグループに対するオフセットであることが理解されるべきである。
【０１０４】
具体的に、この実施例１では、
この端末機器が、この第１の指示情報を受信したとき、この第１のオフセットに基づいてスロットｎを決定し、ｎは、０以上の整数であり、
この端末機器が、このスロットｎに基づいて第１のスロット及び第２のスロットを決定し、及びこの第１のスロット及びこの第２のスロットでこの第１のＣＳＩ−ＲＳリソースグループ内のこの第１の信号を受信する。
【０１０５】
つまり、この第１のＣＳＩ−ＲＳリソースグループ内のこの第１の信号は、この第１のスロット及びこの第２のスロットのそれぞれで１回ずつ送信される。
【０１０６】
例えば、この端末機器がスロット１でこの第１の指示情報を受信し、この第１のオフセットが３である場合、ｎ＝４と決定することができ、即ち、この端末機器が、この第１の指示情報を受信したとき、この第１のオフセットに基づいてスロット４を決定する。
【０１０７】
選択的に、この実施例１では、
この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである（例えば、ＬＴＥ時分割複信（Ｔｉｍｅ  Ｄｉｖｉｓｉｏｎ  Ｄｕｐｌｅｘ，ＴＤＤ）システムでは、２つの連続するダウンリンクスロットの間に、アップリンクスロットが存在する可能性がある）。
【０１０８】
実施例２
この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝Ｑ＝２であり、つまり、この第１のＣＳＩ−ＲＳリソースグループは、２つのＣＳＩ−ＲＳリソースを含み、及びこの第１の信号は、２つのスロットを占有する。
【０１０９】
この第１の構成情報が指示するこの第１のオフセット及びこの第２のオフセットは、この第１のＣＳＩ−ＲＳリソースグループに対するオフセットであることが理解されるべきである。
【０１１０】
具体的に、この実施例２では、
この端末機器が、この第１の指示情報を受信したとき、この第１のオフセット及びこの第２のオフセットに基づいてスロットｎ及びスロットｍを決定し、ｎ及びｍは、０以上の整数であり、
この端末機器が、このスロットｎ及びこのスロットｍでこの第１のＣＳＩ−ＲＳリソースグループ内のこの第１の信号を受信する。
【０１１１】
つまり、この第１のＣＳＩ−ＲＳリソースグループ内のこの第１の信号は、このスロットｎ及びこのスロットｍのそれぞれで１回ずつ送信される。
【０１１２】
選択的に、この実施例２では、
この端末機器が、この第１の指示情報を受信したとき、この第１のオフセットに基づいてこのスロットｎを決定し、及びこの第２のオフセットに基づいてこのスロットｍを決定し、又は
この端末機器が、この第１の指示情報を受信したとき、この第１のオフセットに基づいてこのスロットｎを決定し、及びこの第１のオフセット及びこの第２のオフセットに基づいてこのスロットｍを決定する。
【０１１３】
例えば、この端末機器がスロット１でこの第１の指示情報を受信し、この第１のオフセットが３、この第２のオフセットが４である場合、ｎ＝４、及びｍ＝５と決定することができ、即ち、この端末機器が、この第１の指示情報を受信したとき、この第１のオフセットに基づいてスロット４を決定し、及びこの第２のオフセットに基づいてスロット５を決定する。
【０１１４】
また、例えば、この端末機器がスロット１でこの第１の指示情報を受信し、この第１のオフセットが３、この第２のオフセットが１である場合、ｎ＝４、及びｍ＝５と決定することができ、即ち、この端末機器が、この第１の指示情報を受信したとき、この第１のオフセットに基づいてスロット４を決定し、及びこの第１のオフセット及びこの第２のオフセットに基づいてスロット５を決定する。
【０１１５】
選択的に、この実施例２では、
このスロットｎとこのスロットｍとは、２つの連続するスロットであり、又は
このスロットｍは、このスロットｎの後のこの第１の信号を伝送できる最初の有効なダウンリンクスロットである。
【０１１６】
実施例３
この少なくとも１つのＣＳＩ−ＲＳリソースグループは、第１のＣＳＩ−ＲＳリソースグループを含み、Ｐ＝４、Ｑ＝２であり、つまり、この第１のＣＳＩ−ＲＳリソースグループは、４つのＣＳＩ−ＲＳリソースを含み、及びこの第１の信号は、２つのスロットを占有する。
【０１１７】
この第１の構成情報が指示するこの第１のオフセットは、この第１のＣＳＩ−ＲＳリソースグループに対するオフセットであることが理解されるべきである。
【０１１８】
具体的に、この実施例３では、
この端末機器が、この第１の指示情報を受信したとき、この第１のオフセットに基づいてスロットｎを決定し、ｎは、０以上の整数であり、
この端末機器が、このスロットｎに基づいて第１のスロット及び第２のスロットを決定し、及びこの第１のスロット及びこの第２のスロットでこの第１のＣＳＩ−ＲＳリソースグループ内のこの第１の信号を受信する。
【０１１９】
選択的に、この実施例３では、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
具体的に、この端末機器は、下記の方法によってこの第１の信号を受信することができる。
【０１２０】
方法１：この端末機器が、この第１のＣＳＩ−ＲＳリソースグループ構成情報における４つのＣＳＩ−ＲＳリソースの位置順に基づき、この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースである。
【０１２１】
方法２：この端末機器が、この第１のＣＳＩ−ＲＳリソースグループ内の４つのＣＳＩ−ＲＳリソースの識別子ＩＤに基づき、この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースである。
【０１２２】
方法３：この端末機器が、この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信し、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じである。
【０１２３】
選択的に、この実施例３では、
この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【０１２４】
実施例４
この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝４、Ｑ＝２であり、つまり、この第１のＣＳＩ−ＲＳリソースグループは、４つのＣＳＩ−ＲＳリソースを含み、及びこの第１の信号は、２つのスロットを占有する。
【０１２５】
この第１の構成情報が指示するこの第１のオフセット及びこの第２のオフセットは、この第１のＣＳＩ−ＲＳリソースグループに対するオフセットであることが理解されるべきである。
【０１２６】
具体的に、この実施例４では、
この端末機器が、この第１の指示情報を受信したとき、この第１のオフセット及びこの第２のオフセットに基づいてスロットｎ及びスロットｍを決定し、ｎ及びｍは、０以上の整数であり、
この端末機器が、このスロットｎ及びこのスロットｍでこの第１のＣＳＩ−ＲＳリソースグループ内のこの第１の信号を受信する。
【０１２７】
選択的に、この実施例４では、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
具体的に、この端末機器は、下記の方法によってこの第１の信号を受信することができる。
【０１２８】
方法ａ：この端末機器が、この第１のＣＳＩ−ＲＳリソースグループ構成情報における４つのＣＳＩ−ＲＳリソースの位置順に基づき、このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースである。
【０１２９】
方法ｂ：この端末機器が、この第１のＣＳＩ−ＲＳリソースグループ内の４つのＣＳＩ−ＲＳリソースの識別子ＩＤに基づき、このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースである。
【０１３０】
方法ｃ：この端末機器が、このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信し、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じである。
【０１３１】
選択的に、この実施例４では、
この端末機器が、この第１の指示情報を受信したとき、この第１のオフセットに基づいてこのスロットｎを決定し、及びこの第２のオフセットに基づいてこのスロットｍを決定し、又は
この端末機器が、この第１の指示情報を受信したとき、この第１のオフセットに基づいてこのスロットｎを決定し、及びこの第１のオフセット及びこの第２のオフセットに基づいてこのスロットｍを決定する。
【０１３２】
選択的に、この実施例４では、
このスロットｎとこのスロットｍとは、２つの連続するスロットであり、又は
このスロットｍは、このスロットｎの後のこの第１の信号を伝送できる最初の有効なダウンリンクスロットである。
【０１３３】
実施例５
この少なくとも１つのＣＳＩ−ＲＳリソースグループは、第１のＣＳＩ−ＲＳリソースグループを含み、この第１の構成情報はまた、この第１のＣＳＩ−ＲＳリソースグループ内の各ＣＳＩ−ＲＳリソースに対する第３のオフセットを指示するために使用され、Ｐ＝４、Ｑ＝２であり、つまり、この第１のＣＳＩ−ＲＳリソースグループは、４つのＣＳＩ−ＲＳリソースを含み、及びこの第１の信号は、２つのスロットを占有する。
【０１３４】
この第１の構成情報が指示するこの第１のオフセットは、この第１のＣＳＩ−ＲＳリソースグループに対するオフセットであることが理解されるべきである。同時に、この第１のＣＳＩ−ＲＳリソースグループ内の各ＣＳＩ−ＲＳリソースは、それぞれ対応する第３のオフセットが存在する。
【０１３５】
具体的に、この実施例５では、
この端末機器が、この第１の指示情報を受信したとき、この第１のオフセット及び第１のＣＳＩ−ＲＳリソースに対する第３のオフセットに基づいてスロットｎを決定し、又は、この端末機器が、この第１の指示情報を受信したとき、第１のＣＳＩ−ＲＳリソースに対する第３のオフセットに基づいてスロットｎを決定し、ここで、この第１のＣＳＩ−ＲＳリソースは、この第１のＣＳＩ−ＲＳリソースグループ内の４つのＣＳＩ−ＲＳリソースのうちのいずれか１つのＣＳＩ−ＲＳリソースであり、ｎは、０以上の整数であり、
この端末機器が、このスロットｎでこの第１のＣＳＩ−ＲＳリソース内のこの第１の信号を受信する。
【０１３６】
この実施例５では、第１のＣＳＩ−ＲＳリソースを例として説明しているが、この第１のＣＳＩ−ＲＳリソースグループ内の他のＣＳＩ−ＲＳリソースも適用可能であることが理解されるべきである。
【０１３７】
選択的に、この実施例５では、この第３のオフセットは具体的に、この第１のＣＳＩ−ＲＳリソースグループ内に構成され、又は、具体的に、それに対応するＣＳＩ−ＲＳリソース内に構成される。
【０１３８】
選択的に、一例として、この第３のオフセットが具体的に、この第１のＣＳＩ−ＲＳリソースグループ内に構成される場合、
この第１のＣＳＩ−ＲＳリソースグループ内のＣＳＩ−ＲＳリソースの一部又は全部は、この第３のオフセットが構成される。
【０１３９】
さらに、この第１のＣＳＩ−ＲＳリソースグループに、第３のオフセットが構成されていないＣＳＩ−ＲＳリソースが少なくとも１つ含まれる場合、この第１の構成情報は、この第３のオフセットが構成されていない少なくとも１つのＣＳＩ−ＲＳリソースのうちの各ＣＳＩ−ＲＳリソースに対応するこの第３のオフセットを事前構成値として指示する。
【０１４０】
また、さらに、この事前構成値は、０である。
【０１４１】
選択的に、別の例として、この第３のオフセットが具体的に、それに対応するＣＳＩ−ＲＳリソース内に構成される場合、この第１のＣＳＩ−ＲＳリソースグループは、第２のＣＳＩ−ＲＳリソースを含み、
この第２のＣＳＩ−ＲＳリソース内にこの第３のオフセットが構成されない場合、この第１の構成情報は、この第２のＣＳＩ−ＲＳリソースに対応するこの第３のオフセットを事前構成値として指示する。
【０１４２】
さらに、この事前構成値は、０である。
【０１４３】
また、さらに、この第３のオフセットが具体的に、それに対応するＣＳＩ−ＲＳリソース内に構成される場合、この第１のＣＳＩ−ＲＳリソースに対応するこの第３のオフセットは、フィールド（ｆｉｅｌｄ）の指示に応じて周期的信号構成に従って解読した後に得られたオフセットによって決定される。
【０１４４】
例えば、周期的信号に基づいてこのフィールドを解読した後、＜周期＋オフセット＞を得ることができ、ここで、周期は無視し、対応するオフセットのみ取ることで、第３のオフセットを知ることができる。
【０１４５】
また、例えば、周期的信号によって解読されたこのフィールドを第３のオフセットと定義することができる。
【０１４６】
実施例６
この少なくとも１つのＣＳＩ−ＲＳリソースグループは、第１のＣＳＩ−ＲＳリソースグループ及び第２のＣＳＩ−ＲＳリソースグループを含み、Ｐ＝Ｑ＝２であり、つまり、この第１のＣＳＩ−ＲＳリソースグループは、２つのＣＳＩ−ＲＳリソースを含み、及びこの第１の信号は、２つのスロットを占有する。
【０１４７】
この第１の構成情報は、この第１のＣＳＩ−ＲＳリソースグループに対応する第１のオフセット、及びこの第２のＣＳＩ−ＲＳリソースグループに対応する第１のオフセットを指示することができることが理解されるべきである。
【０１４８】
具体的に、この実施例６では、
この端末機器が、この第１の指示情報を受信したとき、この第１のＣＳＩ−ＲＳリソースグループに対応するこの第１のオフセットに基づいてスロットｎを決定し、及びこの第２のＣＳＩ−ＲＳリソースグループに対応するこの第１のオフセットに基づいてスロットｍを決定し、ｎ及びｍは、０以上の整数であり、
この端末機器が、このスロットｎでこの第１のＣＳＩ−ＲＳリソースグループ内のこの第１の信号を受信し、及びこのスロットｍでこの第２のＣＳＩ−ＲＳリソースグループ内のこの第１の信号を受信する。
【０１４９】
なお、この第１のＣＳＩ−ＲＳリソースグループ及びこの第２のＣＳＩ−ＲＳリソースグループは、２つのレポート構成に関連付けられ、これら２つのレポート構成は、１つのＤＣＩトリガー状態（ＣＳＩ−ＡｐｅｒｉｏｄｉｃＴｒｉｇｇｅｒＳｔａｔｅ）に関連付けられる。端末機器は、ネットワーク機器に対応するＤＣＩ指示を受信し、この第１のＣＳＩ−ＲＳリソースグループ及びこの第２のＣＳＩ−ＲＳリソースグループにそれぞれ対応するｏｆｆｓｅｔを取得し、ｓｌｏｔ  ｎ及びｓｌｏｔ  ｍで対応するＣＳＩ−ＲＳリソースを受信することを決定する。
【０１５０】
選択的に、この実施例６では、
この第１のＣＳＩ−ＲＳリソースグループに対応するこの第１のオフセットとこの第２のＣＳＩ−ＲＳリソースグループに対応するこの第１のオフセットとの間は、Ｋスロットの差があり、Ｋは、１以上の整数である。
【０１５１】
例えば、Ｋ＝１である。つまり、この第１のＣＳＩ−ＲＳリソースグループに対応するこの第１のオフセットとこの第２のＣＳＩ−ＲＳリソースグループに対応するこの第１のオフセットとの間は、１スロットの差がある。
【０１５２】
したがって、本発明の実施例では、端末機器は、第１の構成情報に基づいて第１の信号を受信することができ、これにより、第１の信号を使用してタイミング及び／又は周波数のトラッキング／同期を行うことができ、タイミング及び／又は周波数のトラッキング／同期性能を向上させ、システム全体の性能を改善させた。
【０１５３】
図３は、本発明の実施例に係る情報決定方法３００の概略フローチャートである。この方法３００は選択的に、図１に示すシステムに適用されることができるが、それに限定されない。この方法３００は、下記の内容の少なくとも一部を含む。
【０１５４】
Ｓ３１０：ネットワーク機器が、端末機器に第１の構成情報を送信し、この第１の構成情報は、少なくとも１つのＣＳＩ−ＲＳリソースグループを構成し、及びこの少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロットを占有し、Ｐ及びＱは、２以上の整数である。
【０１５５】
選択的に、この端末機器は、この第１の信号を使用してタイミング及び／又は周波数のトラッキング／同期を行う。
【０１５６】
選択的に、この第１の構成情報はまた、この少なくとも１つのＣＳＩ−ＲＳリソースグループに対応する第１の指示パラメータを構成するために使用され、この第１の指示パラメータは、この少なくとも１つのＣＳＩ−ＲＳリソースグループの用途を指示するために使用される。
【０１５７】
選択的に、この第１の指示パラメータは、パラメータｔｒｓ−Ｉｎｆｏである。
【０１５８】
選択的に、この第１の信号は、トラッキング用の非周期的ＣＳＩ−ＲＳ信号（Ａｐｅｒｉｏｄｉｃ  ＣＳＩ−ＲＳ  ｆoｒ  Ｔｒａｃｋｉｎｇ）である。この第１の信号は、非周期的トラッキング信号（Ａｐｅｒｉｏｄｉｃ  Ｔｒａｃｋｉｎｇ  Ｒｅｆｅｒｅｎｃｅ  Ｓｉｇｎａｌ，Ａ−ＴＲＳ）と称されてもよい。
【０１５９】
選択的に、この第１の構成情報は、無線リソース制御ＲＲＣシグナリングである。
【０１６０】
Ｓ３２０：このネットワーク機器が、この端末機器に第１の指示情報を送信し、この第１の指示情報は、この端末機器がこの第１の信号を受信するようにトリガーするために使用される。
【０１６１】
選択的に、この第１の指示情報は、ＤＣＩシグナリングである。
【０１６２】
Ｓ３３０：このネットワーク機器が、この第１の構成情報に基づいてこの端末機器にこの第１の信号を送信する。
【０１６３】
以下、具体的な実施例に関連して、本発明の実施例における情報決定方法３００について説明する。
【０１６４】
実施例１
この少なくとも１つのＣＳＩ−ＲＳリソースグループは、第１のＣＳＩ−ＲＳリソースグループを含み、Ｐ＝Ｑ＝２であり、
具体的に、この実施例１では、
このネットワーク機器が、この第１の指示情報を送信するとき、この第１のオフセットに基づいてスロットｎを決定し、ｎは、０以上の整数であり、
このネットワーク機器が、このスロットｎに基づいて第１のスロット及び第２のスロットを決定し、及びこの第１のスロット及びこの第２のスロットでこの端末機器にこの第１のＣＳＩ−ＲＳリソースグループ内のこの第１の信号を送信する。
【０１６５】
選択的に、この実施例１では、
この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【０１６６】
実施例２
この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝Ｑ＝２であり、
具体的に、この実施例２では、
このネットワーク機器が、この第１の指示情報を送信するとき、この第１のオフセット及びこの第２のオフセットに基づいてスロットｎ及びスロットｍを決定し、ｎ及びｍは、０以上の整数であり、
このネットワーク機器が、このスロットｎ及びこのスロットｍでこの端末機器にこの第１のＣＳＩ−ＲＳリソースグループ内のこの第１の信号を送信する。
【０１６７】
選択的に、この実施例２では、
このネットワーク機器が、この第１の指示情報を送信するとき、この第１のオフセットに基づいてこのスロットｎを決定し、及びこの第２のオフセットに基づいてこのスロットｍを決定し、又は
このネットワーク機器が、この第１の指示情報を送信するとき、この第１のオフセットに基づいてこのスロットｎを決定し、及びこの第１のオフセット及びこの第２のオフセットに基づいてこのスロットｍを決定する。
【０１６８】
選択的に、この実施例２では、
このスロットｎとこのスロットｍとは、２つの連続するスロットであり、又は
このスロットｍは、このスロットｎの後のこの第１の信号を伝送できる最初の有効なダウンリンクスロットである。
【０１６９】
実施例３
この少なくとも１つのＣＳＩ−ＲＳリソースグループは、第１のＣＳＩ−ＲＳリソースグループを含み、Ｐ＝４、Ｑ＝２であり、
具体的に、この実施例３では、
このネットワーク機器が、この第１の指示情報を送信するとき、この第１のオフセットに基づいてスロットｎを決定し、ｎは、０以上の整数であり、
このネットワーク機器が、このスロットｎに基づいて第１のスロット及び第２のスロットを決定し、及びこの第１のスロット及びこの第２のスロットでこの端末機器にこの第１のＣＳＩ−ＲＳリソースグループ内のこの第１の信号を送信する。
【０１７０】
選択的に、この実施例３では、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
具体的に、このネットワーク機器は、下記の方法によってこの第１の信号を送信することができる。
【０１７１】
方法１：このネットワーク機器が、この第１のＣＳＩ−ＲＳリソースグループ構成情報における４つのＣＳＩ−ＲＳリソースの位置順に基づき、この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースである。
【０１７２】
方法２：このネットワーク機器が、この第１のＣＳＩ−ＲＳリソースグループ内の４つのＣＳＩ−ＲＳリソースの識別子ＩＤに基づき、この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースである。
【０１７３】
方法３：このネットワーク機器が、この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信し、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じである。
【０１７４】
選択的に、この実施例３では、
この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【０１７５】
実施例４
この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝４、Ｑ＝２であり、
具体的に、この実施例４では、
このネットワーク機器が、この第１の指示情報を送信するとき、この第１のオフセット及びこの第２のオフセットに基づいてスロットｎ及びスロットｍを決定し、ｎ及びｍは、０以上の整数であり、
このネットワーク機器が、このスロットｎ及びこのスロットｍでこの端末機器にこの第１のＣＳＩ−ＲＳリソースグループ内のこの第１の信号を送信する。
【０１７６】
選択的に、この実施例４では、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
具体的に、このネットワーク機器は、下記の方法によってこの第１の信号を送信することができる。
【０１７７】
方法ａ、このネットワーク機器が、この第１のＣＳＩ−ＲＳリソースグループ構成情報における４つのＣＳＩ−ＲＳリソースの位置順に基づき、このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースである。
【０１７８】
方法ｂ、このネットワーク機器が、この第１のＣＳＩ−ＲＳリソースグループ内の４つのＣＳＩ−ＲＳリソースの識別子ＩＤに基づき、このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースである。
【０１７９】
方法ｃ、このネットワーク機器が、このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信し、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じである。
【０１８０】
選択的に、この実施例４では、
このネットワーク機器が、この第１の指示情報を送信するとき、この第１のオフセットに基づいてこのスロットｎを決定し、及びこの第２のオフセットに基づいてこのスロットｍを決定し、又は
このネットワーク機器が、この第１の指示情報を送信するとき、この第１のオフセットに基づいてこのスロットｎを決定し、及びこの第１のオフセット及びこの第２のオフセットに基づいてこのスロットｍを決定する。
【０１８１】
選択的に、この実施例４では、
このスロットｎとこのスロットｍとは、２つの連続するスロットであり、又は
このスロットｍは、このスロットｎの後のこの第１の信号を伝送できる最初の有効なダウンリンクスロットである。
【０１８２】
実施例５
この少なくとも１つのＣＳＩ−ＲＳリソースグループは、第１のＣＳＩ−ＲＳリソースグループを含み、この第１の構成情報はまた、この第１のＣＳＩ−ＲＳリソースグループ内の各ＣＳＩ−ＲＳリソースに対する第３のオフセットを指示するために使用され、Ｐ＝４、Ｑ＝２であり、
具体的に、この実施例５では、
このネットワーク機器が、この第１の指示情報を送信するとき、この第１のオフセット及び第１のＣＳＩ−ＲＳリソースに対する第３のオフセットに基づいてスロットｎを決定し、又は、このネットワーク機器が、この第１の指示情報を送信するとき、第１のＣＳＩ−ＲＳリソースに対する第３のオフセットに基づいてスロットｎを決定し、ここで、この第１のＣＳＩ−ＲＳリソースは、この第１のＣＳＩ−ＲＳリソースグループ内の４つのＣＳＩ−ＲＳリソースのうちのいずれか１つのＣＳＩ−ＲＳリソースであり、ｎは、０以上の整数であり、
このネットワーク機器が、このスロットｎでこの端末機器にこの第１のＣＳＩ−ＲＳリソース内のこの第１の信号を送信する。
【０１８３】
選択的に、この実施例５では、この第３のオフセットは具体的に、この第１のＣＳＩ−ＲＳリソースグループ内に構成され、又は、具体的に、それに対応するＣＳＩ−ＲＳリソース内に構成される。
【０１８４】
選択的に、一例として、この第３のオフセットが具体的に、この第１のＣＳＩ−ＲＳリソースグループ内に構成される場合、
この第１のＣＳＩ−ＲＳリソースグループ内のＣＳＩ−ＲＳリソースの一部又は全部は、この第３のオフセットが構成される。
【０１８５】
さらに、この第１のＣＳＩ−ＲＳリソースグループに、第３のオフセットが構成されていないＣＳＩ−ＲＳリソースが少なくとも１つ含まれる場合、この第１の構成情報は、この第３のオフセットが構成されていない少なくとも１つのＣＳＩ−ＲＳリソースのうちの各ＣＳＩ−ＲＳリソースに対応するこの第３のオフセットを事前構成値として指示する。
【０１８６】
また、さらに、この事前構成値は、０である。
【０１８７】
選択的に、別の例として、この第３のオフセットが具体的に、それに対応するＣＳＩ−ＲＳリソース内に構成される場合、この第１のＣＳＩ−ＲＳリソースグループは、第２のＣＳＩ−ＲＳリソースを含み、
この第２のＣＳＩ−ＲＳリソース内にこの第３のオフセットが構成されない場合、この第１の構成情報は、この第２のＣＳＩ−ＲＳリソースに対応するこの第３のオフセットを事前構成値として指示する。
【０１８８】
さらに、この事前構成値は、０である。
【０１８９】
また、さらに、この第３のオフセットが具体的に、それに対応するＣＳＩ−ＲＳリソース内に構成される場合、この第１のＣＳＩ−ＲＳリソースに対応するこの第３のオフセットは、フィールドの指示に応じて周期的信号構成に従って解読した後に得られたオフセットによって決定される。
【０１９０】
例えば、周期的信号に基づいてこのフィールドを解読した後、＜周期＋オフセット＞を得ることができ、ここで、周期は無視し、対応するオフセットのみ取ることで、第３のオフセットを知ることができる。
【０１９１】
また、例えば、周期的信号によって解読されたこのフィールドを第３のオフセットと定義することができる。
【０１９２】
実施例６
この少なくとも１つのＣＳＩ−ＲＳリソースグループは、第１のＣＳＩ−ＲＳリソースグループ及び第２のＣＳＩ−ＲＳリソースグループを含み、Ｐ＝Ｑ＝２であり、
具体的に、この実施例６では、
このネットワーク機器が、この第１の指示情報を送信するとき、この第１のＣＳＩ−ＲＳリソースグループに対応するこの第１のオフセットに基づいてスロットｎを決定し、及びこの第２のＣＳＩ−ＲＳリソースグループに対応するこの第１のオフセットに基づいてスロットｍを決定し、ｎ及びｍは、０以上の整数であり、
このネットワーク機器が、このスロットｎでこの端末機器にこの第１のＣＳＩ−ＲＳリソースグループ内のこの第１の信号を送信し、及びこのスロットｍでこの端末機器にこの第２のＣＳＩ−ＲＳリソースグループ内のこの第１の信号を送信する。
【０１９３】
なお、この第１のＣＳＩ−ＲＳリソースグループ及びこの第２のＣＳＩ−ＲＳリソースグループは、２つのレポート構成に関連付けられ、これら２つのレポート構成は、１つのＤＣＩトリガー状態（ＣＳＩ−ＡｐｅｒｉｏｄｉｃＴｒｉｇｇｅｒＳｔａｔｅ）に関連付けられる。端末機器は、ネットワーク機器に対応するＤＣＩ指示を受信し、この第１のＣＳＩ−ＲＳリソースグループ及びこの第２のＣＳＩ−ＲＳリソースグループにそれぞれ対応するｏｆｆｓｅｔを取得し、ｓｌｏｔ  ｎ及びｓｌｏｔ  ｍで対応するＣＳＩ−ＲＳリソースを受信することを決定する。
【０１９４】
選択的に、この実施例６では、
この第１のＣＳＩ−ＲＳリソースグループに対応するこの第１のオフセットとこの第２のＣＳＩ−ＲＳリソースグループに対応するこの第１のオフセットとの間は、Ｋスロットの差があり、Ｋは、１以上の整数である。
【０１９５】
例えば、Ｋ＝１である。つまり、この第１のＣＳＩ−ＲＳリソースグループに対応するこの第１のオフセットとこの第２のＣＳＩ−ＲＳリソースグループに対応するこの第１のオフセットとの間は、１スロットの差がある。
【０１９６】
情報決定方法３００におけるステップについては、情報決定方法２００における対応するステップを参照することができることが理解されるべきであり、簡潔にするために、ここで詳細な説明を省略する。
【０１９７】
したがって、本発明の実施例では、ネットワーク機器は、端末機器に第１の構成情報を送信し、端末機器に端末機器が第１の信号を受信するようにトリガーするための第１の指示情報を送信し、及び第１の構成情報に基づいて第１の信号を送信し、これにより、端末機器は、第１の構成情報に基づいて第１の信号を受信することができ、さらに、第１の信号を使用してタイミング及び／又は周波数のトラッキング／同期を行うことができ、タイミング及び／又は周波数のトラッキング／同期性能を向上させ、システム全体の性能を改善させた。
【０１９８】
図４は、本発明の実施例に係る端末機器４００の概略ブロック図である。図４に示すように、この端末機器４００は、通信ユニット４１０を備える。
【０１９９】
通信ユニット４１０は、ネットワーク機器により送信された第１の構成情報を受信するために使用され、この第１の構成情報は、少なくとも１つのＣＳＩ−ＲＳリソースグループを構成し、及びこの少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロットを占有し、Ｐ及びＱは、２以上の整数であり、  この通信ユニット４１０はまた、このネットワーク機器により送信された第１の指示情報を受信するために使用され、この第１の指示情報は、この端末機器がこの第１の信号を受信するようにトリガーするために使用され、
この通信ユニット４１０はまた、この第１の指示情報に応答して、この第１の構成情報に基づいてこの第１の信号を受信するために使用される。
【０２００】
選択的に、この端末機器は、この第１の信号を使用してタイミング及び／又は周波数のトラッキング／同期を行う。
【０２０１】
選択的に、この第１の構成情報はまた、この少なくとも１つのＣＳＩ−ＲＳリソースグループに対応する第１の指示パラメータを構成するために使用され、この第１の指示パラメータは、この少なくとも１つのＣＳＩ−ＲＳリソースグループの用途を指示するために使用される。
【０２０２】
選択的に、この第１の指示パラメータは、パラメータｔｒｓ−Ｉｎｆｏである。
【０２０３】
選択的に、この少なくとも１つのＣＳＩ−ＲＳリソースグループは、第１のＣＳＩ−ＲＳリソースグループを含み、Ｐ＝Ｑ＝２であり、この端末機器４００は、処理ユニット４２０をさらに備える。
【０２０４】
この通信ユニット４１０がこの第１の指示情報を受信したとき、この処理ユニット４２０が、この第１のオフセットに基づいてスロットｎを決定し、ｎは、０以上の整数であり、
この処理ユニット４２０が、このスロットｎに基づいて第１のスロット及び第２のスロットを決定し、及びこの通信ユニット４１０が、この第１のスロット及びこの第２のスロットでこの第１のＣＳＩ−ＲＳリソースグループ内のこの第１の信号を受信する。
【０２０５】
選択的に、この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【０２０６】
選択的に、この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝Ｑ＝２であり、この端末機器４００は、処理ユニット４２０をさらに備える。
【０２０７】
この通信ユニット４１０がこの第１の指示情報を受信したとき、この処理ユニット４２０が、この第１のオフセット及びこの第２のオフセットに基づいてスロットｎ及びスロットｍを決定し、ｎ及びｍは、０以上の整数であり、
この通信ユニット４１０が、このスロットｎ及びこのスロットｍでこの第１のＣＳＩ−ＲＳリソースグループ内のこの第１の信号を受信する。
【０２０８】
選択的に、この処理ユニット４２０は具体的に、
この通信ユニット４１０がこの第１の指示情報を受信したとき、この第１のオフセットに基づいてこのスロットｎを決定し、及びこの第２のオフセットに基づいてこのスロットｍを決定し、又は
この通信ユニット４１０がこの第１の指示情報を受信したとき、この第１のオフセットに基づいてこのスロットｎを決定し、及びこの第１のオフセット及びこの第２のオフセットに基づいてこのスロットｍを決定するために使用される。
【０２０９】
選択的に、このスロットｎとこのスロットｍとは、２つの連続するスロットであり、又は
このスロットｍは、このスロットｎの後のこの第１の信号を伝送できる最初の有効なダウンリンクスロットである。
【０２１０】
選択的に、この少なくとも１つのＣＳＩ−ＲＳリソースグループは、第１のＣＳＩ−ＲＳリソースグループを含み、Ｐ＝４、Ｑ＝２であり、この端末機器４００は、処理ユニット４２０をさらに備える。
【０２１１】
この通信ユニット４１０がこの第１の指示情報を受信したとき、この処理ユニット４２０が、この第１のオフセットに基づいてスロットｎを決定し、ｎは、０以上の整数であり、
この処理ユニット４２０が、このスロットｎに基づいて第１のスロット及び第２のスロットを決定し、及びこの通信ユニット４１０が、この第１のスロット及びこの第２のスロットでこの第１のＣＳＩ−ＲＳリソースグループ内のこの第１の信号を受信する。
【０２１２】
選択的に、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
この通信ユニット４１０は具体的に、
この第１のＣＳＩ−ＲＳリソースグループ構成情報における４つのＣＳＩ−ＲＳリソースの位置順に基づき、この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであり、又は
この第１のＣＳＩ−ＲＳリソースグループ内の４つのＣＳＩ−ＲＳリソースの識別子ＩＤに基づき、この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであり、又は
この第１のスロットでこの第１のＣＳＩ−ＲＳリソース及び第２のＣＳＩ−ＲＳリソース内のこの第１の信号を受信し、及びこの第２のスロットでこの第３のＣＳＩ−ＲＳリソース及びこの第４のＣＳＩ−ＲＳリソース内のこの第１の信号を受信するために使用され、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じである。
【０２１３】
選択的に、この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【０２１４】
選択的に、この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝４、Ｑ＝２であり、この端末機器４００は、処理ユニット４２０をさらに備える。
【０２１５】
この通信ユニット４１０がこの第１の指示情報を受信したとき、この処理ユニット４２０が、この第１のオフセット及びこの第２のオフセットに基づいてスロットｎ及びスロットｍを決定し、ｎ及びｍは、０以上の整数であり、
この通信ユニット４１０が、このスロットｎ及びこのスロットｍでこの第１のＣＳＩ−ＲＳリソースグループ内のこの第１の信号を受信する。
【０２１６】
選択的に、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
この通信ユニット４１０は具体的に、
この第１のＣＳＩ−ＲＳリソースグループ構成情報における４つのＣＳＩ−ＲＳリソースの位置順に基づき、このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであり、又は
この第１のＣＳＩ−ＲＳリソースグループ内の４つのＣＳＩ−ＲＳリソースの識別子ＩＤに基づき、このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであり、又は
このスロットｎでこの第１のＣＳＩ−ＲＳリソース及び第２のＣＳＩ−ＲＳリソース内のこの第１の信号を受信し、及びこのスロットｍでこの第３のＣＳＩ−ＲＳリソース及びこの第４のＣＳＩ−ＲＳリソース内のこの第１の信号を受信するために使用され、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じである。
【０２１７】
選択的に、この処理ユニット４２０は具体的に、
この第１の指示情報を受信したとき、この第１のオフセットに基づいてこのスロットｎを決定し、及びこの第２のオフセットに基づいてこのスロットｍを決定し、又は
この第１の指示情報を受信したとき、この第１のオフセットに基づいてこのスロットｎを決定し、及びこの第１のオフセット及びこの第２のオフセットに基づいてこのスロットｍを決定するために使用される。
【０２１８】
選択的に、このスロットｎとこのスロットｍとは、２つの連続するスロットであり、又は
このスロットｍは、このスロットｎの後のこの第１の信号を伝送できる最初の有効なダウンリンクスロットである。
【０２１９】
選択的に、この少なくとも１つのＣＳＩ−ＲＳリソースグループは、第１のＣＳＩ−ＲＳリソースグループを含み、この第１の構成情報はまた、この第１のＣＳＩ−ＲＳリソースグループ内の各ＣＳＩ−ＲＳリソースに対する第３のオフセットを指示するために使用され、Ｐ＝４、Ｑ＝２であり、この端末機器４００は、処理ユニット４２０をさらに備える。
【０２２０】
この通信ユニット４１０がこの第１の指示情報を受信したとき、この処理ユニット４２０が、この第１のオフセット及び第１のＣＳＩ−ＲＳリソースに対する第３のオフセットに基づいてスロットｎを決定し、又は、この通信ユニット４１０がこの第１の指示情報を受信したとき、この処理ユニット４２０が、第１のＣＳＩ−ＲＳリソースに対する第３のオフセットに基づいてスロットｎを決定し、ここで、この第１のＣＳＩ−ＲＳリソースは、この第１のＣＳＩ−ＲＳリソースグループ内の４つのＣＳＩ−ＲＳリソースのうちのいずれか１つのＣＳＩ−ＲＳリソースであり、ｎは、０以上の整数であり、
この通信ユニット４１０が、このスロットｎでこの第１のＣＳＩ−ＲＳリソース内のこの第１の信号を受信する。
【０２２１】
選択的に、この第３のオフセットは具体的に、この第１のＣＳＩ−ＲＳリソースグループ内に構成され、又は、具体的に、それに対応するＣＳＩ−ＲＳリソース内に構成される。
【０２２２】
選択的に、この第３のオフセットが具体的に、この第１のＣＳＩ−ＲＳリソースグループ内に構成される場合、
この第１のＣＳＩ−ＲＳリソースグループ内のＣＳＩ−ＲＳリソースの一部又は全部は、この第３のオフセットが構成される。
【０２２３】
選択的に、この第１のＣＳＩ−ＲＳリソースグループに、第３のオフセットが構成されていないＣＳＩ−ＲＳリソースが少なくとも１つ含まれる場合、この第１の構成情報は、この第３のオフセットが構成されていない少なくとも１つのＣＳＩ−ＲＳリソースのうちの各ＣＳＩ−ＲＳリソースに対応するこの第３のオフセットを事前構成値として指示する。
【０２２４】
選択的に、この第３のオフセットが具体的に、それに対応するＣＳＩ−ＲＳリソース内に構成される場合、この第１のＣＳＩ−ＲＳリソースグループは、第２のＣＳＩ−ＲＳリソースを含み、
この第２のＣＳＩ−ＲＳリソース内にこの第３のオフセットが構成されない場合、この第１の構成情報は、この第２のＣＳＩ−ＲＳリソースに対応するこの第３のオフセットを事前構成値として指示する。
【０２２５】
選択的に、この事前構成値は、０である。
【０２２６】
選択的に、この第３のオフセットが具体的に、それに対応するＣＳＩ−ＲＳリソース内に構成される場合、この第１のＣＳＩ−ＲＳリソースに対応するこの第３のオフセットは、フィールドの指示に応じて周期的信号構成に従って解読した後に得られたオフセットによって決定される。
【０２２７】
選択的に、この少なくとも１つのＣＳＩ−ＲＳリソースグループは、第１のＣＳＩ−ＲＳリソースグループ及び第２のＣＳＩ−ＲＳリソースグループを含み、Ｐ＝Ｑ＝２であり、この端末機器４００は、処理ユニット４２０をさらに備える。
【０２２８】
この通信ユニット４１０がこの第１の指示情報を受信したとき、この処理ユニット４２０が、この第１のＣＳＩ−ＲＳリソースグループに対応するこの第１のオフセットに基づいてスロットｎを決定し、及びこの第２のＣＳＩ−ＲＳリソースグループに対応するこの第１のオフセットに基づいてスロットｍを決定し、ｎ及びｍは、０以上の整数であり、
この通信ユニット４１０が、このスロットｎでこの第１のＣＳＩ−ＲＳリソースグループ内のこの第１の信号を受信し、及びこのスロットｍでこの第２のＣＳＩ−ＲＳリソースグループ内のこの第１の信号を受信する。
【０２２９】
選択的に、この第１のＣＳＩ−ＲＳリソースグループに対応するこの第１のオフセットとこの第２のＣＳＩ−ＲＳリソースグループに対応するこの第１のオフセットとの間は、Ｋスロットの差があり、Ｋは、１以上の整数である。
【０２３０】
選択的に、Ｋ＝１である。
【０２３１】
選択的に、この第１の信号は、トラッキング用の非周期的ＣＳＩ−ＲＳ信号（Ａｐｅｒｉｏｄｉｃ  ＣＳＩ−ＲＳ  ｆoｒ  Ｔｒａｃｋｉｎｇ）である。
【０２３２】
選択的に、この第１の構成情報は、ＲＲＣシグナリングであり、この第１の指示情報は、ＤＣＩシグナリングである。
【０２３３】
本発明の実施例に係る端末機器４００内の各モジュールの上記の及び他の動作及び／又は機能のそれぞれは、図２の方法２００における端末機器の対応するフローを実現するために使用されることが理解されるべきであり、簡潔にするために、ここで詳細な説明を省略する。
【０２３４】
図５は、本発明の実施例に係るネットワーク機器５００の概略ブロック図である。図５に示すように、このネットワーク機器５００は、通信ユニット５１０を備える。
【０２３５】
通信ユニット５１０は、端末機器に第１の構成情報を送信するために使用され、この第１の構成情報は、少なくとも１つのＣＳＩ−ＲＳリソースグループを構成し、及びこの少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、この少なくとも１つのＣＳＩ−ＲＳリソースグループは、第１の信号を決定するために使用され、この第１の信号は、Ｑ個のスロットを占有し、Ｐ及びＱは、２以上の整数であり、
この通信ユニット５１０はまた、この端末機器に第１の指示情報を送信するために使用され、この第１の指示情報は、この端末機器がこの第１の信号を受信するようにトリガーするために使用され、
この通信ユニット５１０はまた、この第１の構成情報に基づいてこの端末機器にこの第１の信号を送信するために使用される。
【０２３６】
選択的に、この端末機器は、この第１の信号を使用してタイミング及び／又は周波数のトラッキング／同期を行う。
【０２３７】
選択的に、この第１の構成情報はまた、この少なくとも１つのＣＳＩ−ＲＳリソースグループに対応する第１の指示パラメータを構成するために使用され、この第１の指示パラメータは、この少なくとも１つのＣＳＩ−ＲＳリソースグループの用途を指示するために使用される。
【０２３８】
選択的に、この第１の指示パラメータは、パラメータｔｒｓ−Ｉｎｆｏである。
【０２３９】
選択的に、この少なくとも１つのＣＳＩ−ＲＳリソースグループは、第１のＣＳＩ−ＲＳリソースグループを含み、Ｐ＝Ｑ＝２であり、このネットワーク機器５００は、処理ユニット５２０をさらに備える。
【０２４０】
この通信ユニット５１０がこの第１の指示情報を送信するとき、この処理ユニット５２０が、この第１のオフセットに基づいてスロットｎを決定し、ｎは、０以上の整数であり、
この処理ユニット５２０が、このスロットｎに基づいて第１のスロット及び第２のスロットを決定し、及びこの通信ユニット５１０が、この第１のスロット及びこの第２のスロットでこの端末機器にこの第１のＣＳＩ−ＲＳリソースグループ内のこの第１の信号を送信する。
【０２４１】
選択的に、この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【０２４２】
選択的に、この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝Ｑ＝２であり、このネットワーク機器５００は、処理ユニット５２０をさらに備える。
【０２４３】
この通信ユニット５１０がこの第１の指示情報を送信するとき、この処理ユニット５２０が、この第１のオフセット及びこの第２のオフセットに基づいてスロットｎ及びスロットｍを決定し、ｎ及びｍは、０以上の整数であり、
この通信ユニット５１０が、このスロットｎ及びこのスロットｍでこの端末機器にこの第１のＣＳＩ−ＲＳリソースグループ内のこの第１の信号を送信する。
【０２４４】
選択的に、この処理ユニット５２０は具体的に、
この通信ユニット５１０がこの第１の指示情報を送信するとき、この第１のオフセットに基づいてこのスロットｎを決定し、及びこの第２のオフセットに基づいてこのスロットｍを決定し、又は
この通信ユニット５１０がこの第１の指示情報を送信するとき、この第１のオフセットに基づいてこのスロットｎを決定し、及びこの第１のオフセット及びこの第２のオフセットに基づいてこのスロットｍを決定するために使用される。
【０２４５】
選択的に、このスロットｎとこのスロットｍとは、２つの連続するスロットであり、又は
このスロットｍは、このスロットｎの後のこの第１の信号を伝送できる最初の有効なダウンリンクスロットである。
【０２４６】
選択的に、この少なくとも１つのＣＳＩ−ＲＳリソースグループは、第１のＣＳＩ−ＲＳリソースグループを含み、Ｐ＝４、Ｑ＝２であり、このネットワーク機器５００は、処理ユニット５２０をさらに備える。
【０２４７】
この通信ユニット５１０がこの第１の指示情報を送信するとき、この処理ユニット５２０が、この第１のオフセットに基づいてスロットｎを決定し、ｎは、０以上の整数であり、
この処理ユニット５２０が、このスロットｎに基づいて第１のスロット及び第２のスロットを決定し、及びこの通信ユニット５１０が、この第１のスロット及びこの第２のスロットでこの端末機器にこの第１のＣＳＩ−ＲＳリソースグループ内のこの第１の信号を送信する。
【０２４８】
選択的に、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
この通信ユニット５１０は具体的に、
この第１のＣＳＩ−ＲＳリソースグループ構成情報における４つのＣＳＩ−ＲＳリソースの位置順に基づき、この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ構成情報におけるこの４つのＣＳＩ−ＲＳリソースの位置順は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ構成情報におけるこの４つのＣＳＩ−ＲＳリソースの位置順は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであり、又は
この第１のＣＳＩ−ＲＳリソースグループ内の４つのＣＳＩ−ＲＳリソースの識別子ＩＤに基づき、この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信することを決定し、ここで、この第１のＣＳＩ−ＲＳリソースグループ内の４つのＣＳＩ−ＲＳリソースのＩＤの順序は、この第１のＣＳＩ−ＲＳリソース＞この第３のＣＳＩ−ＲＳリソース、この第１のＣＳＩ−ＲＳリソース＞この第４のＣＳＩ−ＲＳリソース、この第２のＣＳＩ−ＲＳリソース＞この第３のＣＳＩ−ＲＳリソース、この第２のＣＳＩ−ＲＳリソース＞この第４のＣＳＩ−ＲＳリソースであり、又は、この第１のＣＳＩ−ＲＳリソースグループ内の４つのＣＳＩ−ＲＳリソースのＩＤの順序は、この第３のＣＳＩ−ＲＳリソース＞この第１のＣＳＩ−ＲＳリソース、この第３のＣＳＩ−ＲＳリソース＞この第２のＣＳＩ−ＲＳリソース、この第４のＣＳＩ−ＲＳリソース＞この第１のＣＳＩ−ＲＳリソース、この第４のＣＳＩ−ＲＳリソース＞この第２のＣＳＩ−ＲＳリソースであり、又は
この第１のスロットでこの第１のＣＳＩ−ＲＳリソース及び第２のＣＳＩ−ＲＳリソース内のこの第１の信号を送信し、及びこの第２のスロットでこの第３のＣＳＩ−ＲＳリソース及びこの第４のＣＳＩ−ＲＳリソース内のこの第１の信号を送信するために使用され、ここで、この第１のＣＳＩ−ＲＳリソースとこの第３のＣＳＩ−ＲＳリソースとは、１つのリソース集合に属し、この第２のＣＳＩ−ＲＳリソースとこの第４のＣＳＩ−ＲＳリソースとは、１つのリソース集合に属し、この第１のＣＳＩ−ＲＳリソースとこの第３のＣＳＩ−ＲＳリソースとは、少なくとも時間区域及び／又は周波数区域のリソース構成が同じであり、この第２のＣＳＩ−ＲＳリソースとこの第４のＣＳＩ−ＲＳリソースとは、少なくとも時間区域及び／又は周波数区域のリソース構成が同じである。
【０２４９】
選択的に、この第１のスロットは、このスロットｎであり、この第２のスロットは、スロットｎ＋１であり、又は
この第１のスロットは、このスロットｎ−１であり、この第２のスロットは、スロットｎであり、又は
この第１のスロットは、このスロットｎであり、この第２のスロットは、スロットｍであり、このスロットｍは、このスロットｎの後のこの第１の信号を伝送できる最初の有効なダウンリンクスロットである。
【０２５０】
選択的に、この第１の構成情報はまた、この少なくとも１つのＣＳＩ−ＲＳリソースグループに対する第２のオフセットを指示するために使用され、この少なくとも１つのＣＳＩ−ＲＳリソースグループは、第１のＣＳＩ−ＲＳリソースグループを含み、Ｐ＝４、Ｑ＝２であり、このネットワーク機器５００は、処理ユニット５２０をさらに備える。
【０２５１】
この通信ユニット５１０がこの第１の指示情報を送信するとき、この処理ユニット５２０が、この第１のオフセット及びこの第２のオフセットに基づいてスロットｎ及びスロットｍを決定し、ｎ及びｍは、０以上の整数であり、
この通信ユニット５１０が、このスロットｎ及びこのスロットｍでこの端末機器にこの第１のＣＳＩ−ＲＳリソースグループ内のこの第１の信号を送信する。
【０２５２】
選択的に、この第１のＣＳＩ−ＲＳリソースグループは、第１のＣＳＩ−ＲＳリソース、第２のＣＳＩ−ＲＳリソース、第３のＣＳＩ−ＲＳリソース及び第４のＣＳＩ−ＲＳリソースを含み、
この通信ユニット５１０は具体的に、
この第１のＣＳＩ−ＲＳリソースグループ構成情報における４つのＣＳＩ−ＲＳリソースの位置順に基づき、このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信することを決定し、又は
この第１のＣＳＩ−ＲＳリソースグループ内の４つのＣＳＩ−ＲＳリソースの識別子ＩＤに基づき、このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信することを決定し、又は
このスロットｎでこの第１のＣＳＩ−ＲＳリソース及び第２のＣＳＩ−ＲＳリソース内のこの第１の信号を送信し、及びこのスロットｍでこの第３のＣＳＩ−ＲＳリソース及びこの第４のＣＳＩ−ＲＳリソース内のこの第１の信号を送信するために使用される。
【０２５３】
選択的に、この処理ユニット５２０は具体的に、
この通信ユニットがこの第１の指示情報を送信するとき、この第１のオフセットに基づいてこのスロットｎを決定し、及びこの第２のオフセットに基づいてこのスロットｍを決定し、又は
この通信ユニットがこの第１の指示情報を送信するとき、この第１のオフセットに基づいてこのスロットｎを決定し、及びこの第１のオフセット及びこの第２のオフセットに基づいてこのスロットｍを決定するために使用される。
【０２５４】
選択的に、このスロットｎとこのスロットｍとは、２つの連続するスロットであり、又は
このスロットｍは、このスロットｎの後のこの第１の信号を伝送できる最初の有効なダウンリンクスロットである。
【０２５５】
選択的に、この少なくとも１つのＣＳＩ−ＲＳリソースグループは、第１のＣＳＩ−ＲＳリソースグループを含み、この第１の構成情報はまた、この第１のＣＳＩ−ＲＳリソースグループ内の各ＣＳＩ−ＲＳリソースに対する第３のオフセットを指示するために使用され、Ｐ＝４、Ｑ＝２であり、このネットワーク機器５００は、処理ユニット５２０をさらに備える。
【０２５６】
この通信ユニット５１０がこの第１の指示情報を送信するとき、この処理ユニット５２０が、この第１のオフセット及び第１のＣＳＩ−ＲＳリソースに対する第３のオフセットに基づいてスロットｎを決定し、又は、この通信ユニット５１０がこの第１の指示情報を送信するとき、この処理ユニット５２０が、第１のＣＳＩ−ＲＳリソースに対する第３のオフセットに基づいてスロットｎを決定し、ここで、この第１のＣＳＩ−ＲＳリソースは、この第１のＣＳＩ−ＲＳリソースグループ内の４つのＣＳＩ−ＲＳリソースのうちのいずれか１つのＣＳＩ−ＲＳリソースであり、ｎは、０以上の整数であり、
この通信ユニット５１０が、このスロットｎでこの端末機器にこの第１のＣＳＩ−ＲＳリソース内のこの第１の信号を送信する。
【０２５７】
選択的に、この第３のオフセットは具体的に、この第１のＣＳＩ−ＲＳリソースグループ内に構成され、又は、具体的に、それに対応するＣＳＩ−ＲＳリソース内に構成される。
【０２５８】
選択的に、この第３のオフセットが具体的に、この第１のＣＳＩ−ＲＳリソースグループ内に構成される場合、
この第１のＣＳＩ−ＲＳリソースグループ内のＣＳＩ−ＲＳリソースの一部又は全部は、この第３のオフセットが構成される。
【０２５９】
選択的に、この第１のＣＳＩ−ＲＳリソースグループに、第３のオフセットが構成されていないＣＳＩ−ＲＳリソースが少なくとも１つ含まれる場合、この第１の構成情報は、この第３のオフセットが構成されていない少なくとも１つのＣＳＩ−ＲＳリソースのうちの各ＣＳＩ−ＲＳリソースに対応するこの第３のオフセットを事前構成値として指示する。
【０２６０】
選択的に、この第３のオフセットが具体的に、それに対応するＣＳＩ−ＲＳリソース内に構成される場合、この第１のＣＳＩ−ＲＳリソースグループは、第２のＣＳＩ−ＲＳリソースを含み、
この第２のＣＳＩ−ＲＳリソース内にこの第３のオフセットが構成されない場合、この第１の構成情報は、この第２のＣＳＩ−ＲＳリソースに対応するこの第３のオフセットを事前構成値として指示する。
【０２６１】
選択的に、この事前構成値は、０である。
【０２６２】
選択的に、この第３のオフセットが具体的に、それに対応するＣＳＩ−ＲＳリソース内に構成される場合、この第１のＣＳＩ−ＲＳリソースに対応するこの第３のオフセットは、フィールドの指示に応じて周期的信号構成に従って解読した後に得られたオフセットによって決定される。
【０２６３】
選択的に、この少なくとも１つのＣＳＩ−ＲＳリソースグループは、第１のＣＳＩ−ＲＳリソースグループ及び第２のＣＳＩ−ＲＳリソースグループを含み、Ｐ＝Ｑ＝２であり、このネットワーク機器５００は、処理ユニット５２０をさらに備える。
【０２６４】
この通信ユニット５１０がこの第１の指示情報を送信するとき、この処理ユニット５２０が、この第１のＣＳＩ−ＲＳリソースグループに対応するこの第１のオフセットに基づいてスロットｎを決定し、及びこの第２のＣＳＩ−ＲＳリソースグループに対応するこの第１のオフセットに基づいてスロットｍを決定し、ｎ及びｍは、０以上の整数であり、
この通信ユニット５１０が、このスロットｎでこの端末機器にこの第１のＣＳＩ−ＲＳリソースグループ内のこの第１の信号を送信し、及びこのスロットｍでこの端末機器にこの第２のＣＳＩ−ＲＳリソースグループ内のこの第１の信号を送信する。
【０２６５】
選択的に、この第１のＣＳＩ−ＲＳリソースグループに対応するこの第１のオフセットとこの第２のＣＳＩ−ＲＳリソースグループに対応するこの第１のオフセットとの間は、Ｋスロットの差があり、Ｋは、１以上の整数である。
【０２６６】
選択的に、Ｋ＝１である。
【０２６７】
選択的に、この第１の信号は、トラッキング用の非周期的ＣＳＩ−ＲＳ信号（Ａｐｅｒｉｏｄｉｃ  ＣＳＩ−ＲＳ  ｆoｒ  Ｔｒａｃｋｉｎｇ）である。
【０２６８】
選択的に、この第１の構成情報は、ＲＲＣシグナリングであり、この第１の指示情報は、ＤＣＩシグナリングである。
【０２６９】
本発明の実施例に係るネットワーク機器５００内の各モジュールの上記の及び他の動作及び／又は機能のそれぞれは、図３の方法３００におけるネットワーク機器の対応するフローを実現するために使用されることが理解されるべきであり、簡潔にするために、ここで詳細な説明を省略する。
【０２７０】
図６は、本発明の実施例に係る通信機器６００の概略ブロック図である。図６に示す通信機器６００は、本発明の実施例における方法を実現するためにメモリからコンピュータプログラムを呼び出して実行することができるプロセッサー６１０を備える。
【０２７１】
選択的に、図６に示すように、通信機器６００は、メモリ６２０をさらに備えてもよい。ここで、プロセッサー６１０は、本発明の実施例における方法を実現するためにメモリ６２０からコンピュータプログラムを呼び出して実行することができる。
【０２７２】
ここで、メモリ６２０は、プロセッサー６１０から独立した１つの別個の装置であってもよいが、プロセッサー６１０に集積されていてもよい。
【０２７３】
選択的に、図６に示すように、通信機器６００は、送受信機６３０をさらに備えてもよく、プロセッサー６１０は、この送受信機６３０を制御して他の機器と通信することができ、具体的に、他の機器に情報又はデータを送信し、又は他の機器により送信された情報又はデータを受信することができる。
【０２７４】
ここで、送受信機６３０は、送信機及び受信機を備えてもよい。送受信機６３０はまた、アンテナをさらに備えてもよく、アンテナの数は、１つ又は複数であってもよい。
【０２７５】
選択的に、この通信機器６００は、本発明の実施例のネットワーク機器であってもよく、この通信機器６００は、本発明の実施例の各方法においてネットワーク機器により実現される対応するフローを実現することができ、簡潔にするために、ここで詳細な説明を省略する。
【０２７６】
選択的に、この通信機器６００は、本発明の実施例の端末機器であってもよく、この通信機器６００は、本発明の実施例の各方法において端末機器により実現される対応するフローを実現することができ、簡潔にするために、ここで詳細な説明を省略する。
【０２７７】
図７は、本発明の実施例に係るチップ７００の概略ブロック図である。図７に示すチップ７００は、本発明の実施例における方法を実現するためにメモリからコンピュータプログラムを呼び出して実行することができるプロセッサー７１０を備える。
【０２７８】
選択的に、図７に示すように、チップ７００は、メモリ７２０をさらに備えてもよい。ここで、プロセッサー７１０は、本発明の実施例における方法を実現するためにメモリ７２０からコンピュータプログラムを呼び出して実行することができる。
【０２７９】
ここで、メモリ７２０は、プロセッサー７１０から独立した１つの別個の装置であってもよいが、プロセッサー７１０に集積されていてもよい。
【０２８０】
選択的に、このチップ７００は、入力インターフェース７３０をさらに備えてもよい。ここで、プロセッサー７１０は、この入力インターフェース７３０を制御して他の機器又はチップと通信することができ、具体的に、他の機器又はチップにより送信された情報又はデータを取得することができる。
【０２８１】
選択的に、このチップ７００は、出力インターフェース７４０をさらに備えてもよい。ここで、プロセッサー７１０は、この出力インターフェース７４０を制御して他の機器又はチップと通信することができ、具体的に、他の機器又はチップに情報又はデータを出力することができる。
【０２８２】
選択的に、このチップは、本発明の実施例のネットワーク機器に適用されることができ、このチップは、本発明の実施例の各方法においてネットワーク機器により実現される対応するフローを実現することができ、簡潔にするために、ここで詳細な説明を省略する。
【０２８３】
選択的に、このチップは、本発明の実施例の端末機器に適用されることができ、このチップは、本発明の実施例の各方法において端末機器により実現される対応するフローを実現することができ、簡潔にするために、ここで詳細な説明を省略する。
【０２８４】
本発明の実施例に言及されているチップはまた、システムレベルチップ、システムチップ、チップシステム又はシステムオンチップ等と称されてもよいことが理解されるべきである。
【０２８５】
上記に言及されているプロセッサーは、汎用プロセッサー、デジタル信号プロセッサー（ｄｉｇｉｔａｌ  ｓｉｇｎａｌ  ｐｒｏｃｅｓｓｏｒ，ＤＳＰ）、フィールドプログラマブルゲートアレイ（ｆｉｅｌｄ  ｐｒｏｇｒａｍｍａｂｌｅ  ｇａｔｅ  ａｒｒａｙ，ＦＰＧＡ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ，ＡＳＩＣ）又は他のプログラマブル論理デバイス、トランジスタ論理デバイス、個別ハードウェアコンポーネント等であってもよい。ここで、上記に言及されている汎用プロセッサーは、マイクロプロセッサーであってもよく、又は、いずれかの通常のプロセッサー等であってもよい。
【０２８６】
上記に言及されているメモリは、揮発性メモリ又は不揮発性メモリであってもよく、又は、揮発性メモリと不揮発性メモリの両方を含んでもよい。ここで、不揮発性メモリは、読み取り専用メモリ（ｒｅａｄ−ｏｎｌｙ  ｍｅｍｏｒｙ，ＲＯＭ）、プログラマブル読み取り専用メモリ（ｐｒｏｇｒａｍｍａｂｌｅ  ＲＯＭ，ＰＲＯＭ）、消去可能なプログラマブル読み取り専用メモリ（ｅｒａｓａｂｌｅ  ＰＲＯＭ，ＥＰＲＯＭ）、電気的に消去可能なプログラマブル読み取り専用メモリ（ｅｌｅｃｔｒｉｃａｌｌｙ  ＥＰＲＯＭ，ＥＥＰＲＯＭ）又はフラッシュメモリであってもよい。揮発性メモリは、ランダムアクセスメモリ（ｒａｎｄｏｍ  ａｃｃｅｓｓ  ｍｅｍｏｒｙ，ＲＡＭ）であってもい。
【０２８７】
上記メモリは、例示的なものであり、限定的なものではなく、例えば、本発明の実施例におけるメモリはまた、スタティックランダムアクセスメモリ（ｓｔａｔｉｃ  ＲＡＭ，ＳＲＡＭ）、ダイナミックランダムアクセスメモリ（ｄｙｎａｍｉｃ  ＲＡＭ，ＤＲＡＭ）、同期ダイナミックランダムアクセスメモリ（ｓｙｎｃｈｒｏｎｏｕｓ  ＤＲＡＭ，ＳＤＲＡＭ）、ダブルデータレート同期ダイナミックランダムアクセスメモリ（ｄｏｕｂｌｅ  ｄａｔａ  ｒａｔｅ  ＳＤＲＡＭ，ＤＤＲ  ＳＤＲＡＭ）、拡張同期ダイナミックランダムアクセスメモリ（ｅｎｈａｎｃｅｄ  ＳＤＲＡＭ，ＥＳＤＲＡＭ）、同期接続ダイナミックランダムアクセスメモリ（ｓｙｎｃｈ  ｌｉｎｋ  ＤＲＡＭ，ＳＬＤＲＡＭ）及びダイレクトラムバスランダムアクセスメモリ（Ｄｉｒｅｃｔ  Ｒａｍｂｕｓ  ＲＡＭ，ＤＲ  ＲＡＭ）等であってもよいことが理解されるべきである。つまり、本発明の実施例におけるメモリは、これら及び他の任意の適切なタイプのメモリを含むことを意図しているが、それらに限定されない。
【０２８８】
図８は、本発明の実施例に係る無線通信システム８００の概略ブロック図である。図８に示すように、この無線通信システム８００は、端末機器８１０及びネットワーク機器８２０を備える。ここで、この端末機器８１０は、端末機器の状態が変化したときに、輻輳制御機構を実行するために使用される。このネットワーク機器８２０は、端末機器の状態が変化したときに、この端末機器により送信された第１の要求情報を受信し、ネットワークが輻輳状態にあるときに、この端末機器に指示情報を送信するために使用され、この第１の要求情報は、第１のサービスを要求するために使用され、この指示情報は、この端末機器がこの第１のサービスを要求するときに輻輳制御機構を実行することを指示するために使用される。
【０２８９】
ここで、この端末機器８１０は、上記方法２００において端末機器により実現される対応する機能を実現するために使用されることができ、及びこの端末機器８１０の構成は、図４の端末機器４００に示す通りであってもよく、簡潔にするために、ここで詳細な説明を省略する。
【０２９０】
このネットワーク機器８２０は、上記方法３００においてネットワーク機器により実現される対応する機能を実現するために使用されることができ、及びこのネットワーク機器８２０の構成は、図５のネットワーク機器５００に示す通りであってもよく、簡潔にするために、ここで詳細な説明を省略する。
【０２９１】
上記実施例では、全部又は部分的にソフトウェア、ハードウェア、ファームウェア又はそれらの任意の組み合わせによって実現されることができる。ソフトウェアで実現されるとき、全部又は部分的にコンピュータプログラム製品の形で実現されることができる。このコンピュータプログラム製品は、１つ又は複数のコンピュータ命令を含む。このコンピュータプログラム命令がコンピュータにロードされ実行されると、本発明の実施例に従って説明されるフロー又は機能が全部又は部分的に生成される。このコンピュータは、汎用コンピュータ、専用コンピュータ、コンピュータネットワーク、又は他のプログラマブル装置であってもよい。このコンピュータ命令は、コンピュータ読み取り可能な記録媒体に記憶され、又は１つのコンピュータ読み取り可能な記録媒体から別のコンピュータ読み取り可能な記録媒体に伝送されることができ、例えば、このコンピュータ命令は、１つのウェブサイト、コンピュータ、サーバ又はデータセンターから、有線（例えば、同軸ケーブル、光ファイバ、デジタル加入者線（ＤＳＬ））又は無線（例えば、赤外線、無線、マイクロ波等）の方法で、別のウェブサイト、コンピュータ、サーバ又はデータセンターに伝送されることができる。このコンピュータ読み取り可能な記録媒体は、コンピュータによってアクセスすることができる任意の利用可能な媒体、又は１つ又は複数の利用可能な媒体により集積されているサーバ、データセンター等のデータ記憶装置であってもよい。この利用可能な媒体は、磁気媒体、（例えば、フレキシブルディスク、ハードディスク、磁気テープ）、光学媒体（例えば、ＤＶＤ）、又は半導体媒体（例えば、ソリッドステートディスク（Ｓｏｌｉｄ  Ｓｔａｔｅ  Ｄｉｓｋ，ＳＳＤ））等であってもよい。
【０２９２】
本発明の各実施例では、上記各フローの番号の大きさは、実行する前後順序を意味するものではなく、各フローの実行順序は、その機能及び内部論理により確定されるべきであり、本発明の実施例に係る実施フローに対していずれかの限定を構成しないことが理解されるべきである。
【０２９３】
当業者であれば、説明の便宜及び簡潔さのために、上述のシステム、装置及びユニットの具体的な作業プロセスは、前述の方法の実施例に係る対応するプロセスを参照することができ、ここで詳細な説明を省略することを理解することができる。
【０２９４】
以上は、本発明の具体的な実施形態にすぎず、本発明の範囲はこれらに限定されない。この技術分野の当業者であれば、いずれも本発明に提示された技術範囲内で、変更又は置き換えを行うことを容易に想到し得るものがいずれも本発明の範囲に含まれる。したがって、本発明の範囲は、特許請求の範囲により示される。
【手続補正２】
【補正対象書類名】特許請求の範囲
【補正対象項目名】全文
【補正方法】変更
【補正の内容】
【特許請求の範囲】
【請求項１】
端末機器が、ネットワーク機器により送信された第１の構成情報を受信し、前記第１の構成情報は、少なくとも１つのチャネル状態情報参照信号ＣＳＩ−ＲＳリソースグループを構成し、及び前記少なくとも１つのＣＳＩ−ＲＳリソースグループに対する第１のオフセットを指示するために使用されるステップと、
前記端末機器が、前記ネットワーク機器により送信された第１の指示情報を受信し、前記第１の指示情報は、前記端末機器が第１の信号を受信するようにトリガーするために使用されるステップと、
前記第１の指示情報に応答して、前記端末機器が、前記第１の構成情報に基づいて前記第１の信号を受信するステップと、を含み、
ここで、各ＣＳＩ−ＲＳリソースグループは、Ｐ個のＣＳＩ−ＲＳリソースを含み、前記少なくとも１つのＣＳＩ−ＲＳリソースグループは、第１の信号を決定するために使用され、前記第１の信号は、Ｑ個のスロットを占有し、Ｐ及びＱは、２以上の整数である
ことを特徴とする情報決定方法。
【請求項２】
前記第１の構成情報はまた、前記少なくとも１つのＣＳＩ−ＲＳリソースグループに対応する第１の指示パラメータを構成するために使用され、前記第１の指示パラメータは、前記少なくとも１つのＣＳＩ−ＲＳリソースグループの用途を指示するために使用される
ことを特徴とする請求項１に記載の情報決定方法。
【請求項３】
前記第１の指示パラメータは、パラメータｔｒｓ−Ｉｎｆｏである
ことを特徴とする請求項２に記載の情報決定方法。
【請求項４】
前記少なくとも１つのＣＳＩ−ＲＳリソースグループは、第１のＣＳＩ−ＲＳリソースグループを含み、Ｐ＝４、Ｑ＝２であり、
前記端末機器が、前記第１の構成情報に基づいて前記第１の信号を受信するステップは、
前記端末機器が、前記第１の指示情報を受信したとき、前記第１のオフセットに基づいてスロットｎを決定するステップと、
前記端末機器が、前記スロットｎに基づいて第１のスロット及び第２のスロットを決定し、及び前記第１のスロット及び前記第２のスロットで前記第１のＣＳＩ−ＲＳリソースグループ内の前記第１の信号を受信するステップと、を含み、
ここで、ｎは、０以上の整数である
ことを特徴とする請求項１〜３のいずれか１項に記載の情報決定方法。
【請求項５】
前記第１のスロットは、前記スロットｎであり、前記第２のスロットは、スロットｎ＋１であり、又は
前記第１のスロットは、前記スロットｎ−１であり、前記第２のスロットは、スロットｎであり、又は
前記第１のスロットは、前記スロットｎであり、前記第２のスロットは、スロットｍであり、前記スロットｍは、前記スロットｎの後の前記第１の信号を伝送できる最初の有効なダウンリンクスロットである
ことを特徴とする請求項４に記載の情報決定方法。
【請求項６】
前記第１の信号は、トラッキング用の非周期的ＣＳＩ−ＲＳ信号である
ことを特徴とする請求項１〜５のいずれか１項に記載の情報決定方法。
【請求項７】
ネットワーク機器が、端末機器に第１の構成情報を送信し、前記第１の構成情報は、少なくとも１つのチャネル状態情報参照信号ＣＳＩ−ＲＳリソースグループを構成し、及び前記少なくとも１つのＣＳＩ−ＲＳリソースグループに対する第１のオフセットを指示するために使用されるステップと、
前記ネットワーク機器が、前記端末機器に第１の指示情報を送信し、前記第１の指示情報は、前記端末機器が第１の信号を受信するようにトリガーするために使用されるステップと、
前記ネットワーク機器が、前記第１の構成情報に基づいて前記端末機器に前記第１の信号を送信するステップと、を含み、
ここで、各ＣＳＩ−ＲＳリソースグループは、Ｐ個のＣＳＩ−ＲＳリソースを含み、前記少なくとも１つのＣＳＩ−ＲＳリソースグループは、第１の信号を決定するために使用され、前記第１の信号は、Ｑ個のスロットを占有し、Ｐ及びＱは、２以上の整数である
ことを特徴とする情報決定方法。
【請求項８】
ネットワーク機器により送信された第１の構成情報を受信するために使用される通信ユニットを備え、前記第１の構成情報は、少なくとも１つのチャネル状態情報参照信号ＣＳＩ−ＲＳリソースグループを構成し、及び前記少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、前記少なくとも１つのＣＳＩ−ＲＳリソースグループは、第１の信号を決定するために使用され、前記第１の信号は、Ｑ個のスロットを占有し、Ｐ及びＱは、２以上の整数であり、
前記通信ユニットはまた、前記ネットワーク機器により送信された第１の指示情報を受信するために使用され、前記第１の指示情報は、前記端末機器が前記第１の信号を受信するようにトリガーするために使用され、
前記通信ユニットはまた、前記第１の指示情報に応答して、前記第１の構成情報に基づいて前記第１の信号を受信するために使用される
ことを特徴とする端末機器。
【請求項９】
前記第１の構成情報はまた、前記少なくとも１つのＣＳＩ−ＲＳリソースグループに対応する第１の指示パラメータを構成するために使用され、前記第１の指示パラメータは、前記少なくとも１つのＣＳＩ−ＲＳリソースグループの用途を指示するために使用される
ことを特徴とする請求項８に記載の端末機器。
【請求項１０】
前記第１の指示パラメータは、パラメータｔｒｓ−Ｉｎｆｏである
ことを特徴とする請求項９に記載の端末機器。
【請求項１１】
前記少なくとも１つのＣＳＩ−ＲＳリソースグループは、第１のＣＳＩ−ＲＳリソースグループを含み、Ｐ＝４、Ｑ＝２であり、前記端末機器は、処理ユニットをさらに備え、
前記通信ユニットが前記第１の指示情報を受信したとき、前記処理ユニットが、前記第１のオフセットに基づいてスロットｎを決定し、ｎは、０以上の整数であり、
前記処理ユニットが、前記スロットｎに基づいて第１のスロット及び第２のスロットを決定し、及び前記通信ユニットが、前記第１のスロット及び前記第２のスロットで前記第１のＣＳＩ−ＲＳリソースグループ内の前記第１の信号を受信する
ことを特徴とする請求項８〜１０のいずれか１項に記載の端末機器。
【請求項１２】
前記第１のスロットは、前記スロットｎであり、前記第２のスロットは、スロットｎ＋１であり、又は
前記第１のスロットは、前記スロットｎ−１であり、前記第２のスロットは、スロットｎであり、又は
前記第１のスロットは、前記スロットｎであり、前記第２のスロットは、スロットｍであり、前記スロットｍは、前記スロットｎの後の前記第１の信号を伝送できる最初の有効なダウンリンクスロットである
ことを特徴とする請求項１１に記載の端末機器。
【請求項１３】
前記第１の信号は、トラッキング用の非周期的ＣＳＩ−ＲＳ信号である
ことを特徴とする請求項８〜１２のいずれか１項に記載の端末機器。
【請求項１４】
端末機器に第１の構成情報を送信するために使用される通信ユニットを備え、前記第１の構成情報は、少なくとも１つのチャネル状態情報参照信号ＣＳＩ−ＲＳリソースグループを構成し、及び前記少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、前記少なくとも１つのＣＳＩ−ＲＳリソースグループは、第１の信号を決定するために使用され、前記第１の信号は、Ｑ個のスロットを占有し、Ｐ及びＱは、２以上の整数であり、
前記通信ユニットはまた、前記端末機器に第１の指示情報を送信するために使用され、前記第１の指示情報は、前記端末機器が前記第１の信号を受信するようにトリガーするために使用され、
前記通信ユニットはまた、前記第１の構成情報に基づいて前記端末機器に前記第１の信号を送信するために使用される
ことを特徴とするネットワーク機器。
【請求項１５】
端末機器及びネットワーク機器を備え、ここで、
前記端末機器は、
ネットワーク機器により送信された第１の構成情報を受信し、前記第１の構成情報は、少なくとも１つのチャネル状態情報参照信号ＣＳＩ−ＲＳリソースグループを構成し、及び前記少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、前記少なくとも１つのＣＳＩ−ＲＳリソースグループは、第１の信号を決定するために使用され、前記第１の信号は、Ｑ個のスロットを占有し、Ｐ及びＱは、２以上の整数であり、
前記ネットワーク機器により送信された第１の指示情報を受信し、前記第１の指示情報は、前記端末機器が前記第１の信号を受信するようにトリガーするために使用され、
前記第１の指示情報に応答して、前記第１の構成情報に基づいて前記第１の信号を受信するために使用され、
前記ネットワーク機器は、
端末機器に第１の構成情報を送信し、前記第１の構成情報は、少なくとも１つのチャネル状態情報参照信号ＣＳＩ−ＲＳリソースグループを構成し、及び前記少なくとも１つのＣＳＩ−ＲＳリソースグループに対する第１のオフセットを指示するために使用され、ここで、各ＣＳＩ−ＲＳリソースグループは、Ｐ個のＣＳＩ−ＲＳリソースを含み、前記少なくとも１つのＣＳＩ−ＲＳリソースグループは、第１の信号を決定するために使用され、前記第１の信号は、Ｑ個のスロットを占有し、Ｐ及びＱは、２以上の整数であり、
前記端末機器に第１の指示情報を送信し、前記第１の指示情報は、前記端末機器が前記第１の信号を受信するようにトリガーするために使用され、
前記第１の構成情報に基づいて前記端末機器に前記第１の信号を送信するために使用される
ことを特徴とする無線通信システム。
【手続補正３】
【補正対象書類名】図面
【補正対象項目名】全図
【補正方法】変更
【補正の内容】
【図１】
2021527966.tif 000011
【図２】
2021527966.tif 000012
【図３】
2021527966.tif 000013
【図４】
2021527966.tif 000014
【図５】
2021527966.tif 000015
【図６】
2021527966.tif 000016
【図７】
2021527966.tif 000017
【図８】
2021527966.tif 000018
【国際調査報告】
2021527966.tif 000019
2021527966.tif 000020
2021527966.tif 000021
2021527966.tif 000022